(57)【要約】本発明は、μ−コノペプチド、その誘導体または医薬上許容される塩に関する。さらに、本発明は、電位依存性ナトリウムチャネルに関連する障害の治療のための本ペプチド、その誘導体および医薬上許容される塩の使用に指向される。かくして、μ−コノペプチドまたは誘導体は、神経筋遮断剤、局所麻酔剤、鎮痛剤および神経保護剤として有用である。また、μ−コノペプチドは神経筋障害を治療するのに有用である。本発明は、μ−コノペプチドおよびプロペプチドをコードする核酸、ならびにプロペプチドにさらに指向される。【特許請求の範囲】
【請求項１】
（ａ）表１または表２に記載されたペプチド、および
（ｂ）（ａ）のペプチドの誘導体
よりなる群から選択される単離ペプチド。
【請求項２】
Ｘａａ１がＧｌｕ、Ｘａａ２がピロ−Ｇｌｕ、Ｘａａ４がＴｒｐであって、Ｘａａ５がＴｙｒである請求項１記載の単離ペプチド。
【請求項３】
該Ａｒｇ残基が、Ｌｙｓ、オルニチン、ホモアルギニン、ノル−Ｌｙｓ、Ｎ−メチル−Ｌｙｓ、Ｎ，Ｎ−ジメチル−Ｌｙｓ、Ｎ，Ｎ，Ｎ−トリメチル−Ｌｙｓまたはいずれかの合成塩基性アミノ酸によって置換でき；該Ｌｙｓ残基が、Ａｒｇ、オルニチン、ホモアルギニン、ノル−Ｌｙｓまたはいずれかの合成塩基性アミノ酸によって置換でき；該Ｔｙｒ残基が、メタ−Ｔｙｒ、オルト−Ｔｙｒ、ノル−Ｔｙｒ、モノ−ハロ−Ｔｙｒ、ジ−ハロ−Ｔｙｒ、Ｏ−スルホ−Ｔｙｒ、Ｏ−ホスホ−Ｔｙｒ、ニトロ−Ｔｙｒまたはいずれかの合成ヒドロキシ含有アミノ酸で置換でき；該Ｓｅｒ残基が、Ｔｈｒまたはいずれかの合成ヒドロキシル化アミノ酸で置換でき；該Ｔｈｒ残基が、Ｓｅｒまたはいずれかの合成ヒドロキシル化アミノ酸で置換でき；該Ｐｈｅ残基が、いずれかの合成芳香族アミノ酸で置換でき；該Ｔｒｐ残基が、Ｔｒｐ（Ｄ）、ネオ−Ｔｒｐ、ハロ−Ｔｒｐ（ＤまたはＬ）またはいずれかの合成芳香族アミノ酸で置換でき；該Ａｓｎ、Ｓｅｒ、ＴｈｒまたはＨｙｐ残基がグリコシル化でき；また、該Ｔｙｒ残基が、３−ヒドロキシルまたは２−ヒドロキシル異性体（各々、メタ−Ｔｙｒまたはオルト−Ｔｙｒ）ならびに対応するＯ−スルホ−およびＯ−ホスホ−誘導体で置換でき；酸性アミノ酸残基が、いずれの合成酸性アミノ酸、例えば、ＧｌｙおよびＡｌａのテトラゾリル誘導体で置換でき；脂肪族アミノ酸が、非天然脂肪族のｎ＝８以下の分岐鎖または直鎖ＣｎＨ２ｎ＋２を持つ合成誘導体によって置換でき；該Ｍｅｔ残基が、Ｎｌｅによって置換でき；該Ｃｙｓ残基が、ＤもしくはＬ配置であり得、所望によりホモシステイン（ＤもしくはＬ）で置換されていてもよく；Ｃｙｓ残基の対が、Ｓｅｒ／（ＧｌｕもしくはＡｓｐ）、Ｌｙｓ／（ＧｌｕもしくはＡｓｐ）、Ｃｙｓ／Ｇｌｕ（もしくはＡｓｐ）またはＣｙｓ／Ａｌａ組合せのごとき、アイソテリック（ｉｓｏｔｅｒｉｃ）ラクタムまたはエステル−チオエーテル交換でペアで置きかえることができ；および該ペプチドが、放射性ヨウ化または放射性トリチウム化できる請求項１記載のペプチドの誘導体。
【請求項４】
請求項１、２または３記載のペプチドの置換体（ｐｅｒｍｕｔａｎｔ）を含む実質的に純粋なμ−コノトキシンペプチド誘導体。
【請求項５】
Ｏ−グリカン、Ｓ−グリカンまたはＮ−グリカンを含有するように修飾された請求項１、２または３記載のペプチドまたはペプチド誘導体を含む実質的に純粋なμ−コノトキシンペプチド誘導体。
【請求項６】
Ｏ−グリカン、Ｓ−グリカンまたはＮ−グリカンを含有するように修飾された請求項４記載のペプチド誘導体を含む実質的に純粋なμ−コノトキシンペプチド誘導体。
【請求項７】
表１に記載されたアミノ酸配列を有するμ−コノペプチドプロペプチドをコードする単離核酸。
【請求項８】
該核酸が表１に記載されたヌクレオチド配列を含む請求項７記載の単離核酸。
【請求項９】
表１に記載されたアミノ酸配列を有する単離されたμ−コノペプチドプロペプチド。
【請求項１０】
電位依存性イオンチャネル障害に関連する障害を治療または予防する方法であって、治療上有効量の請求項１記載のペプチドまたはその医薬上許容される塩をそれを必要とする患者に投与することを特徴とする該方法。
【請求項１１】
該障害が、神経障害であることを特徴とする請求項１０記載の方法。
【請求項１２】
該神経障害が、筋萎縮性側索硬化症であることを特徴とする請求項１１記載の方法。
【請求項１３】
該神経障害が頭部外傷であることを特徴とする請求項１１記載の方法。
【請求項１４】
該神経障害が癲癇であることを特徴とする請求項１１記載の方法。
【請求項１５】
該神経障害が、低酸素症、酸素欠乏症または虚血性疾患に関連する神経毒性損傷であることを特徴とする請求項１１記載の方法。
【請求項１６】
該神経毒性損傷が、発作、脳血管事故、脳または脊髄外傷、心筋梗塞、身体的外傷、溺死、窒息、分娩仮死または低血糖事象に関連することを特徴とする請求項１５記載の方法。
【請求項１７】
該障害が痛みであることを特徴とする請求項１０記載の方法。
【請求項１８】
該痛みが、片頭痛、急性疼痛、持続性疼痛、慢性疼痛、神経障害性疼痛または侵害受容性疼痛であることを特徴とする請求項１７記載の方法。
【請求項１９】
該痛みが、三叉神経痛、糖尿病性神経障害、疱疹後神経痛、神経腫痛、幻想肢痛であることを特徴とする請求項１８記載の方法。
【請求項２０】
該痛みが、熱傷痛であることを特徴とする請求項１７記載の方法。
【請求項２１】
該障害が、神経筋障害であることを特徴とする請求項１０記載の方法。
【請求項２２】
該神経筋障害が、顔面筋疼痛症候群、慢性筋痙攣、失調症または痙縮であることを特徴とする請求項２１記載の方法。
【請求項２３】
外科的処置を受けている患者における筋骨格弛緩を供する方法であって、それを必要とする患者に、治療上有効量の請求項１記載のペプチドまたはその医薬上許容される塩を投与することを特徴とする該方法。
【請求項２４】
痛みを示しているか、または痛みを引き起こす事象に付されようとする哺乳動物に、痛みを緩和する量の請求項１記載のペプチドまたはその医薬上許容される塩を投与することを特徴とする痛みを緩和する方法。
【請求項２５】
該ペプチドが、局所麻酔剤として投与されることを特徴とする請求項２４記載の方法。
【請求項２６】
該ペプチドが、眼用麻酔剤として投与されることを特徴とする請求項２４記載の方法。
【請求項２７】
請求項１記載のペプチドに対する細孔閉塞部位の親和性を決定することを特徴とする、ナトリウムチャネルサブタイプに関して当該部位を特徴付ける方法。
【請求項２８】
該ナトリウムチャネルサブタイプが、ニューロンナトリウムチャネルサブタイプであって、該ペプチドが配列番号：２１１または配列番号：４３２に記載されたアミノ酸配列を含むμ−コノペプチドＳ３．２であることを特徴とする請求項２７記載の方法。
【請求項２９】
ナトリウムチャネルサブタイプの選択的遮断剤である小分子を同定するための小分子ライブラリーをスクリーニングする方法であって、（ａ）該ナトリウムチャネルサブタイプに対する小分子の遮断活性を測定し、（ｂ）該ナトリウムチャネルサブタイプに対する請求項１記載のペプチドの遮断活性を測定し、次いで、（ｃ）該小分子の遮断活性を該ペプチドの遮断活性と比較することを含むことを特徴とする該方法。
【請求項３０】
該ナトリウムチャネルサブタイプが、ニューロンナトリウムチャネルサブタイプであって、該ペプチドが配列番号：２１１または配列番号：４３２に記載されたアミノ酸配列を含むμ−コノペプチドＳ３．２であることを特徴とする請求項２９記載の方法。
【請求項３１】
ナトリウムチャネルサブタイプの選択的遮断剤である小分子を同定するための小分子ライブラリーをスクリーニングする方法であって、（ａ）該ナトリウムチャネルサブタイプに対する小分子の結合親和性を測定し、（ｂ）該ナトリウムチャネルサブタイプに対する請求項１記載のペプチドの結合親和性を測定し、次いで、（ｃ）該小分子の結合親和性を該ペプチドの結合親和性と比較することを含むことを特徴とする該方法。
【請求項３２】
該ペプチドが放射性標識されていることを特徴とする請求項３１記載の方法。
【請求項３３】
該ナトリウムチャネルサブタイプが、ニューロンナトリウムチャネルサブタイプであって、該ペプチドが配列番号：２１１または配列番号：４３２に記載されたアミノ酸配列を含むμ−コノペプチドＳ３．２であることを特徴とする請求項３１記載の方法。
【請求項３４】
該ペプチドが放射性標識されていることを特徴とする請求項３３記載の方法。
【請求項３５】
ナトリウムチャネルサブタイプの選択的遮断剤である小分子を同定するための小分子ライブラリーをスクリーニングする方法であって、（ａ）請求項１記載のペプチドをナトリウムチャネルサブタイプに結合させ、（ｂ）小分子を添加し、次いで、（ｃ）該ナトリウムチャネルサブタイプに対する該ペプチドの置換量を該小分子により測定することを含むことを特徴とする該方法。
【請求項３６】
該ペプチドが放射性標識されている請求項３５記載の方法。
【請求項３７】
該ナトリウムチャネルサブタイプがニューロンナトリウムチャネルサブタイプであって、該ペプチドが配列番号：２１１または配列番号：４３２に記載されたアミノ酸配列を含むμ−コノペプチドＳ３．２であることを特徴とする請求項３５記載の方法。
【請求項３８】
該ペプチドが放射性標識されていることを特徴とする請求項３７記載の方法。
【請求項３９】
ナトリウムチャネルサブタイプの選択的遮断剤である小分子を同定するための小分子ライブラリーをスクリーニングする方法であって、（ａ）小分子をナトリウムチャネルサブタイプに結合させ、（ｂ）請求項１記載のペプチドを添加し、次いで、（ｃ）該ナトリウムチャネルサブタイプに対する該小分子の置換量を該小分子により測定することを含むことを特徴とする該方法。
【請求項４０】
該ナトリウムチャネルサブタイプがニューロンナトリウムチャネルサブタイプであって、該ペプチドが配列番号：２１１または配列番号：４３２に記載されたアミノ酸配列を含むμ−コノペプチドＳ３．２であることを特徴とする請求項３９記載の方法。
【請求項４１】
μ−コノトキシンの治療上の活性を模倣する化合物を同定する方法であって、（ａ）治療上の活性を決定するために試験化合物に対して生物学的アッセイを行い；次いで、（ｂ）試験化合物の生物学的アッセイから得られた結果を、μ−コノトキシンの生物学的アッセイから得られた結果に比較し、ここに、該μ−コノトキシンは請求項１記載のペプチドである工程を含むことを特徴とする該方法。
【請求項４２】
該μ−コノトキシンが、配列番号：２１１または配列番号：４３２に記載されたアミノ酸配列を含むＳ３．２であることを特徴とする請求項４１記載の方法。
【発明の詳細な説明】
【０００１】
関連出願の相互参照
本出願は、米国特許法第１１９条（ｅ）下、２０００年７月２１日付で出願された米国仮出願シリアル番号６０／２１９，６１９、２０００年１１月３日付で出願された米国仮出願シリアル番号６０／２４５，１５７、２００１年１月２９日付で出願された米国仮出願シリアル番号６０／２６４，３１９、および２００１年３月２１日付で出願された米国仮出願シリアル番号６０／２７７，２７０に対する利益を請求する。これらの各出願をここに出典明示して本明細書の一部とみなす。
【０００２】
本発明は、メリーランド州ベセスダのアメリカ国立予防衛生研究所の国立一般医学研究所（Ｎａｔｉｏｎａｌ Ｉｎｓｔｉｔｕｔｅ ｏｆ Ｇｅｎｅｒａｌ Ｍｅｄｉｃａｌ Ｓｃｉｅｎｃｅｓ）によって授けられた助成金番号ＰＯ１ ＧＭ４８６７７下の政府援助によりなされた。合衆国政府は本発明にある種の権利を有する。
【０００３】
発明の背景
本発明は、μ−コノペプチド、その誘導体または医薬上許容される塩に関する。さらに、本発明は、電位依存性ナトリウムチャネルに関連する障害の治療のための本ペプチド、その誘導体および医薬上許容される塩の使用に指向される。かくして、μ−コノペプチドまたは誘導体は、神経筋遮断剤、局所麻酔剤、鎮痛剤および神経保護剤（ｎｅｕｒｏｐｒｏｔｅｃｔａｎｔ）として有用である。また、μ−コノペプチドは神経筋障害を治療するのに有用である。本発明は、μ−コノペプチドおよびプロペプチドをコードする核酸、ならびにプロペプチドにさらに指向される。
【０００４】
本発明の背景を説明する場合、特に、実施に関するさらなる詳細を提供する場合において、本明細書中で用いる刊行物および他の資料は、出典明示して本明細書の一部とみなし、利便のため、以下の本文中では著者および日付で参照して、添付の参考文献リストにおいて著者のアルファベット順で列記する。
【０００５】
コーヌス（Ｃｏｎｕｓ）は、被食体に毒液を注入する捕食性海洋腹足動物（巻貝）の属である。有毒なイモガイは、高度に発達した毒液器官を用いて、有毒なコノトキシンのそれらのカクテルをそれらの被食体に送達する。Ｃｏｎｕｓ ｍａｇｕｓのごとき捕魚性種において、該イモガイは、そのサイホン中の化学的感覚器を用いて魚の存在を検知し、該イモガイは閉められる場合その口を十分に延ばし、毒液を含有する中空の銛様の歯を魚に放つ。これは、魚を不動とさせ、イモガイが付属のフィラメントを介してその口にそれを巻き込むのを可能とする。コーヌスおよびそれらの毒液に関する一般的な情報については、ウェブサイトアドレス ｈｔｔｐ：／ｇｒｉｍｗａｄｅ．ｂｉｏｃｈｅｍ．ｕｎｉｍｅｌｂ．ｅｄｕ．ａｕ／ｃｏｎｅ／ｒｅｆｅｒｅｎｃ．ｈｔｍｌを参照されたし。被食体捕捉は、特殊なイオンチャネルおよび受容体サブタイプを標的とするペプチドの精巧な蓄積を通して達成される。各コーヌス種の毒液は、５０〜２００ペプチドのユニークな組を含有するらしい。毒液の組成は、種間および各種内の個々の巻貝間で大きく異なり、各々は、その被食体を麻痺させるように最適に進化している。毒液の有効成分は、小さなペプチド毒素、典型的には長さが１０〜４０個のアミノ酸残基で、高密度のジスルフィド結合のために典型的には高度に制限されたペプチドである。
【０００６】
該毒液は、分離される場合、ある範囲の生物学的活性を示し；マウスに注射される場合、それらはある範囲のショックないし抑制の生理学的な応答を得る非常に多数の異なるペプチド成分よりなる。最近の研究の焦点となっている毒液の麻痺性成分は、α−、ω−およびμ−コノトキシンである。これらのコノトキシンの全てが、神経伝達を妨害することによって作用するが、各々は、プロセスの異なる点を標的として、これを達成する。該α−コノトキシンは、ニコチン性のリガンド感受性（ｌｉｇａｎｄ ｇａｔｅｄ）チャネルを標的とし、該μ−コノトキシンは、電位依存性（ｖｏｌｔａｇｅ−ｇａｔｅｄ）ナトリウムチャネルを標的とし、ω−コノトキシンは、電位依存性カルシウムチャネルを標的とする（Ｏｌｉｖｅｒａら、１９８５；Ｏｌｉｖｅｒａら、１９９０）。例えば、結合は、α−、αＡ−およびφ−コノトキシンとニコチン性リガンド感受性イオンチャネルとの間；ω−コノトキシンと電位依存性カルシウムチャネルとの間；μ−コノトキシンと電位依存性ナトリウムチャネルとの間；δ−コノトキシンと電位依存性ナトリウムとの間；κ−コノトキシンと電位依存性カリウムチャネルとの間；コナントキン（ｃｏｎａｎｔｏｋｉｎ）とリガンド感受性グルタミン酸（ＮＭＤＡ）チャネルとの間で確立されている。
【０００７】
しかしながら、これらのペプチドの少数だけの構造および機能が現在決定されている。機能が決定されたペプチドでは、３つのクラスの標的：電位依存性イオンチャネル；リガンド感受性イオンチャネルおよびＧタンパク結合受容体が評価された。
【０００８】
電位依存性イオンチャネルを標的とするコーヌスペプチドには、ナトリウムチャネルの不活性化を遅延させるもの、ならびにナトリウムチャネル、カルシウムチャネルおよびカリウムチャネルに特異的なブロッカーが含まれる。リガンド感受性イオンチャネルを標的とするペプチドには、ＮＭＤＡおよびセロトニン受容体のアンタゴニスト、ならびに競合的および非競合的なニコチン性受容体アンタゴニストが含まれる。Ｇ−タンパク受容体に作用するペプチドには、ニューロテンシンおよびバソプレシンの受容体アゴニストが含まれる。コノトキシンの新しい医薬上の選択性は、少なくとも部分的に、ジスルフィド・ループ内の超可変性アミノ酸と結合した特異的ジスルフィド結合骨格によって規定される（概説につきＭｃＩｎｔｏｓｈら、１９９８参照）。
【０００９】
痛みの治療に用いる薬物が存在し、それは論文中でおよび当業者に対して知られている。例えば、Ｍｅｒｋ  Ｍａｎｕａｌ、第１６版（１９９２）を参照。しかしながら、減少した副作用および毒性を持ち、常習性がなくより活性な鎮痛剤についての要求が存在する。理想的な鎮痛剤は、痛みの自覚を低下させ、広い範囲の痛みのタイプにわたって鎮痛を生じ、経口的または非経口的に与えられようとも十分に作用し、最小または全く副作用を生じず、寛容性および薬物依存を生じる傾向がないものであろう。
【００１０】
該コノペプチドの高い効力および優れた選択性のために、いくつかのものがヒト障害の治療のために臨床的開発の種々の段階にある。例えば、２つのコーヌスペプチドは、痛みの治療用に開発されている。最も進んでいるは、Ｎ−タイプのカルシウムチャネルブロッカーのω−コノトキシンＭＶＩＩＡ（ジコノチド（ｚｉｃｏｎｏｔｉｄｅ））である（Ｈｅａｄｉｎｇ， Ｃ．， １９９９；米国特許第５，８５９，１８６号参照）。Ｃｏｎｕｓ  ｍａｇｕｓから単離されたω−コノトキシンＭＶＩＩＡは、モルヒネより約１０００倍強力であり、まだ寛容性および麻薬の嗜癖特性を生じていない。ω−コノトキシンＭＶＩＩＡは、ヒト臨床試験の第ＩＩＩ相（最終段階）を完了し、治療剤として承認された。ω−コノトキシンＭＶＩＩＡは、髄腔内に通されたカテーテルを用いて、埋込み可能でプログラム可能なポンプによりヒト患者に導入される。術後疼痛における使用のための前臨床試験は、Ｃｏｎｕｓ  ｇｅｏｇｒａｐｈｕｓから単離されたもう一つのコーヌスペプチド、コンツラキン−Ｇに関して実施されている（Ｃｒａｉｇら， １９９９）。コンツラキン−Ｇは１６個のアミノ酸Ｏ−結合糖ペプチドであり、そのＣ末端は、ニューロテンシンに似ている。それは、ニューロテンシン受容体のアゴニストであるが、ｉｎ ｖｉｖｏアッセイでの痛みの阻害において、ニューロテンシンよりかなり強力であるらしい。
【００１１】
コーヌス種における多数の生物学的に活性な物質に関して、それらをさらに特徴付けし、発作および痛みのごとき電位依存性イオンチャネルに関連する障害を治療することができるペプチドを同定することが望ましい。驚くべきことに、かつ本発明により、出願人は、電位依存性イオンチャネルに関連する障害の治療に有用であり得、安全で有効な治療のための長期の切実な必要性に対処できる新規なコノトキシンを発見した。
【００１２】
発明の概要
本発明は、μ−コノペプチド、その誘導体または医薬上許容される塩に関する。さらに、本発明は、電位依存性ナトリウムチャネルに関連する障害の治療のための本ペプチド、その誘導体および医薬上許容される塩の使用に指向される。かくして、μ−コノペプチドまたは誘導体は、神経筋遮断剤、局所麻酔剤、鎮痛剤および神経保護剤として有用である。また、μ−コノペプチドは神経筋障害を治療するのに有用である。本発明は、μ−コノペプチドおよびプロペプチドをコードする核酸、ならびにプロペプチドにさらに指向される。
【００１３】
より詳細には、本発明は、後記の表１および２に記載されるアミノ酸配列を有するμ−コノペプチドに指向される。
【００１４】
また、本発明は、μ−コノペプチドの誘導体または医薬上許容される塩、あるいは誘導体に指向される。誘導体の例には、該Ａｒｇ残基が、Ｌｙｓ、オルニチン、ホモアルギニン、ノル−Ｌｙｓ、Ｎ−メチル−Ｌｙｓ、Ｎ，Ｎ−ジメチル−Ｌｙｓ、Ｎ，Ｎ，Ｎ−トリメチル−Ｌｙｓまたはいずれかの合成塩基性アミノ酸によって置換でき；該Ｌｙｓ残基が、Ａｒｇ、オルニチン、ホモアルギニン、ノル−Ｌｙｓまたはいずれかの合成塩基性アミノ酸によって置換でき；該Ｔｙｒ残基が、メタ−Ｔｙｒ、オルト−Ｔｙｒ、ノル−Ｔｙｒ、モノ−ハロ−Ｔｙｒ、ジ−ハロ−Ｔｙｒ、Ｏ−スルホ−Ｔｙｒ、Ｏ−ホスホ−Ｔｙｒ、ニトロ−Ｔｙｒまたはいずれかの合成ヒドロキシ含有アミノ酸で置換でき；該Ｓｅｒ残基が、Ｔｈｒまたはいずれかの合成ヒドロキシル化アミノ酸で置換でき；該Ｔｈｒ残基が、Ｓｅｒまたはいずれかの合成ヒドロキシル化アミノ酸で置換でき；該Ｐｈｅ残基が、いずれかの合成芳香族アミノ酸で置換でき；該Ｔｒｐ残基が、Ｔｒｐ（Ｄ）、ネオ−Ｔｒｐ、ハロ−Ｔｒｐ（ＤまたはＬ）またはいずれかの合成芳香族アミノ酸で置換でき；および該Ａｓｎ、Ｓｅｒ、ＴｈｒまたはＨｙｐ残基がグリコシル化できるペプチドが含まれる。該ハロゲンは、ヨード、クロロ、フルオロまたはブロモ；好ましくは、ハロゲン置換−Ｔｙｒにつきヨードおよびハロゲン置換−Ｔｒｐにつきブロモである。また、該Ｔｙｒ残基は、３−ヒドロキシルまたは２−ヒドロキシル異性体（各々、メタ−Ｔｙｒまたはオルト−Ｔｙｒ）ならびに対応するＯ−スルホ−およびＯ−ホスホ−誘導体で置換できる。酸性アミノ酸残基は、いずれの合成酸性アミノ酸、例えば、ＧｌｙおよびＡｌａのテトラゾリル誘導体で置換できる。脂肪族アミノ酸は、非天然脂肪族のｎ＝８以下の分岐鎖または直鎖ＣｎＨ２ｎ＋２を持つ合成誘導体によって置換できる。該Ｍｅｔ残基は、ノルロイシン（Ｎｌｅ）によって置換できる。該Ｃｙｓ残基は、ＤもしくはＬ配置であり得、所望によりホモシステイン（ＤもしくはＬ）で置換されていてもよい。
【００１５】
合成芳香族アミノ酸の例には、限定されるものではないが、ニトロ−Ｐｈｅ、４−置換−Ｐｈｅ（ここに、置換基はＣ１−Ｃ３アルキル、カルボキシル、ヒドロキシメチル、スルホメチル、ハロ、フェニル、−ＣＨＯ、−ＣＮ、−ＳＯ３Ｈおよび−ＮＨＡｃである）が含まれる。合成ヒドロキシ含有アミノ酸の例には、限定されるものではないが、４−ヒドロキシメチル−Ｐｈｅ、４−ヒドロキシフェニル−Ｇｌｙ、２，６−ジメチル−Ｔｙｒおよび５−アミノ−Ｔｙｒのごときが含まれる。合成塩基性アミノ酸の例には、限定されるものではないが、Ｎ−１−（２−ピラゾジリニル）−Ａｒｇ、２−（４−ピペリニル）−Ｇｌｙ、２−（４−ピペリニル）−Ａｌａ、２−［３−（２Ｓ）ピロリニニル］−Ｇｌｙおよび２−［３−（２Ｓ）ピロリニニル］−Ａｌａが含まれる。これらおよび他の合成塩基性アミノ酸、合成ヒドロキシ含有アミノ酸または合成芳香族アミノ酸は、ＲＳＰ Ａｍｉｎｏ Ａｃｉｄ Ａｎａｌｏｇｕｅｓ，Ｉｎｃ．社、Ｗｏｒｃｅｓｔｅｒ，ＭＡによるおよびそこから入手可能であるＢｕｉｌｄｉｎｇ Ｂｌｏｃｋ Ｉｎｄｅｘ，Ｖｅｒｓｉｏｎ ３．０（１９９９ カタログ、ヒドロキシ含有アミノ酸および芳香族アミノ酸については４〜４７頁に、および塩基性アミノ酸については６６〜８７頁に記載されており；また、ｈｔｔｐ：／／ｗｗｗ．ａｍｉｎｏ−ａｃｉｄｓ．ｃｏｍも参照されたし）（これらをここに出典明示して本明細書の一部とみなす）に記載されている。合成酸性アミノ酸の例には、各々出典明示して本明細書の一部とみなす、Ｏｒｎｓｔｅｉｎら（１９９３）によっておよび米国特許第５，３３１，００１号に記載されるごとき、カルボキシル、リン酸、スルホン酸ならびに合成テトラゾリル誘導体を含む酸性官能基を持つそれらの誘導体が含まれる。
【００１６】
所望により、本発明のμ−コノペプチドにおいては、Ａｓｎ残基は修飾されてＮ−グリカンを含んでいてもよく、ＳｅｒおよびＴｈｒおよびＨｙｐ残基は修飾されてＯ−グリカン（例えば、ｇ−Ｎ、ｇ−Ｓ、ｇ−Ｔおよびｇ−Ｈｙｐ）を含んでいてもよい。本発明によれば、グリカンはいずれかのＮ−、Ｓ−またはＯ−結合した単−、二−、三−、多−またはオリゴ糖を意味し、それらは当該技術分野で知られている合成または酵素法によって天然または修飾アミノ酸のいずれかのヒドロキシ、アミノまたはチオール基に結合することができる。グリカンを構成する単糖には、Ｄ−アロース、Ｄ−アルトロース、Ｄ−グルコース、Ｄ−マンノース、Ｄ−グロース、Ｄ−イドース、Ｄ−ガラクトース、Ｄ−タロース、Ｄ−ガラクトサミン、Ｄ−グルコサミン、Ｄ−Ｎ−アセチル−グルコサミン（ＧｌｃＮＡｃ）、Ｄ−Ｎ−アセチル−ガラクトサミン（ＧａｌＮＡｃ）、Ｄ−フコースまたはＤ−アラビノースが含まれ得る。これらの糖は、例えば、１以上のＯ−硫酸、Ｏ−リン酸、Ｏ−アセチル、またはシアル酸のごとき酸性基ならびにこれらの組合せで、構造的に修飾されていてもよい。グリカンには、Ｄ−ペニシラミン２，５およびそのハロゲン化誘導体のごとき同様のポリヒドロキシ基またはポリプロピレングリコール誘導体も含まれ得る。また、グリコシド結合はベータであって１−４または１−３、好ましくは１−３である。グリカンとアミノ酸との間の結合はアルファまたはベータであってもよく、好ましくはアルファであって１−である。
【００１７】
コアＯ−グリカンは、Ｖａｎ ｄｅ Ｓｔｅｅｎら（１９９８）（ここに出典明示して本明細書の一部とみなす）によって記載されている。ムチン型Ｏ−結合オリゴ糖はＧａｌＮＡｃ残基によってＳｅｒまたはＴｈｒ（または本ペプチドの他のヒドロキシル化残基）に結合している。単糖形成ブロックおよびこの第１のＧａｌＮＡｃ残基に結合した結合は「コアグリカン」と定義され、そのうちの８が同定されている。各コアグリカンについてグリコシド結合の型（向きおよび結合性）は定義される。適当なグリカンおよびグリカン・アナログは、１９９９年１０月１９日に出願された米国出願第０９／４２０，７９７号および１９９９年１０月１９日に出願されたＰＣＴ出願番号ＰＣＴ／ＵＳ９９／２４３８０（ＰＣＴ公開出願番号ＷＯ００／２３０９２）（各々、出典明示して本明細書の一部とみなす）にさらに記載されている。好ましいグリカンはＧａｌ（β１→３）ＧａｌＮＡｃ（α１→）である。
【００１８】
所望により、前記のμ−コノペプチドにおいて、Ｃｙｓ残基の対はＳｅｒ／（ＧｌｕもしくはＡｓｐ）、Ｌｙｓ／（ＧｌｕもしくはＡｓｐ）、Ｃｙｓ／ＧｌｕもしくはＡｓｐ）またはＣｙｓ／Ａｌａ組合せのごとき、アイソテリック（ｉｓｏｔｅｒｉｃ）ラクタムまたはエステル−チオエーテル交換でペアで置きかえることができる。公知の方法（Ｂａｒｎａｙら、２０００；Ｈｒｕｂｙら、１９９４；Ｂｉｔａｎら、１９９７）による順次カップリングは、ラクタム架橋での天然Ｃｙｓ架橋の置換を可能とする。チオエーテル・アナログは、ＲＳＰ Ａｍｉｎｏ Ａｃｉｄ Ａｎａｌｏｇｕｅｓから市販されているハロ−Ａｌａ残基を用いて容易に合成できる。
【００１９】
本発明は、前記ペプチドの誘導体およびアシル置換であるペプチド誘導体にさらに指向され、ここに、環状置換体は、天然毒素の天然の架橋パターンを保持する。例えば、Ｃｒａｉｋら（２００１）を参照されたし。
【００２０】
本発明は、対象における電位依存性イオンチャネル障害に関連する障害を治療する方法であって、有効量の、治療上有効量の本明細書に記載されたμ−コノペプチドまたはその医薬上許容される塩もしくは溶媒和物を含む医薬組成物を対象に投与することを特徴とする該方法にさらに指向される。また、本発明は、治療上有効量の本明細書に記載されたμ−コノペプチドまたは医薬上許容される塩もしくは溶媒和物、ならびに医薬上許容される担体を含む医薬組成物に指向される。
【００２１】
より詳細には、本発明は、神経筋遮断剤、局所麻酔剤、鎮痛剤および神経保護剤として本明細書に記載されたこれらのペプチドまたは核酸の使用にさらに指向される。また、μ−コノペプチドは、神経筋障害を治療するのに有用である。
【００２２】
本発明は、痛みを治療するための局所麻酔剤としてのμ−コノペプチドの使用に指向される。μ−コノペプチドは、長時間作用型の麻酔活性を有し、特に、術後疼痛につき急性に、または重篤な慢性疼痛状態のにつき髄腔内ポンプを介して投与される脊髄麻酔に有用である。また、μ−コノペプチドは、三叉神経痛、糖尿病性神経障害、疱疹後神経痛、神経腫痛、幻想肢痛のごとき慢性および神経障害性の疼痛状態における鎮痛剤として有用である。また、該μ−コノペプチドは熱傷疼痛を治療するために、および眼用麻酔剤として有用である。
【００２３】
本発明は、神経保護剤としてのμ−コノペプチドの使用に指向される。該μ−コノペプチドは、癲癇の治療および緩和に、および全身性抗痙攣剤として有用である。また、該μ−コノペプチドは、筋萎縮性側索硬化症（ＡＬＳ）のごとき神経変性疾患を治療するのに有用である。該μ−コノペプチドは、典型的には、発作、脳血管事故、脳または脊髄外傷、心筋梗塞、身体的外傷、溺死、窒息、分娩仮死または低血糖事象に続く低酸素症、酸素欠乏症または虚血性疾患に関連する神経毒性損傷を軽減するためのごとき脳保護剤としてさらに有用である。
【００２４】
本発明は、神経筋遮断剤として、および神経筋傷害を治療するためのμ−コノペプチドの使用に指向される。このように、該μ−コノペプチドは、筋肉の弛緩を供するのに、良性の特発性眼瞼痙攣および局所性ジストニアの他の形態を治療するのに、および抗皺（ａｎｔｉ−ｗｒｉｎｋｌｅ）使用に有用である。
【００２５】
より詳細には、本発明は、本発明のμ−コノペプチドをコードする核酸またはこれらのμ−コノペプチドについての前駆体ペプチドをコードする核酸、ならびに前駆体ペプチドにも指向される。本発明の他のμ−コノペプチドの前駆体ペプチドをコードする核酸配列を表１に記載する。また、表１はこれらの前駆体ペプチドのアミノ酸配列を記載している。
【００２６】
本発明は、異なるナトリウムチャネルサブタイプに対して細孔閉塞（ｐｏｒｅ ｏｃｃｌｕｓｉｏｎ）部位を特徴付けるか、またはスクリーニングアッセイにおける使用のための選択的に放射性ヨウ化または放射性トリチウム化されたμ−コノペプチドの使用に指向される。
【００２７】
また、本発明は、哺乳動物系で発現される特異的ナトリウムチャネルサブタイプに選択的な遮断剤である小分子を同定するための小分子ライブラリーのスクリーニング用のμ−コノペプチドの使用に指向される。一つの具体例において、特定のナトリウムチャネルサブタイプでの小分子の遮断活性は、同一ナトリウムチャネルサブタイプでのμ−コノペプチドの遮断活性に比較される。第２の具体例において、ナトリウムチャネルサブタイプからμ−コノペプチドを置換するための小分子の能力が決定される。第３の具体例において、ナトリウムチャネルサブタイプに対する小分子の結合親和性は、同一ナトリウムチャネルサブタイプに対するμ−コノペプチドの結合親和性に比較される。
【００２８】
好ましい具体例の詳細な記載
本発明は、μ−コノペプチド、その誘導体または医薬上許容される塩に関する。さらに、本発明は、電位依存性ナトリウムチャネルに関連する障害の治療のための本ペプチド、その誘導体および医薬上許容される塩の使用に指向される。かくして、μ−コノペプチドまたは誘導体は、神経筋遮断剤、局所麻酔剤、鎮痛剤および神経保護剤として有用である。また、μ−コノペプチドは神経筋障害を治療するのに有用である。本発明は、μ−コノペプチドおよびプロペプチドをコードする核酸、ならびにプロペプチドにさらに指向される。
【００２９】
本発明は、もう一つの態様において、有効量のμ−コノペプチド、そのムテイン、そのアナログ、その活性断片または医薬上許容される塩もしくは溶媒和物を含む医薬組成物に関する。かかる医薬組成物は、電位依存性イオンチャネルにて作用する能力を有し、かくして、ヒトを含めた動物の生体の障害または疾患を治療するのに有用であり、その障害または疾患は、中枢神経系の電位依存性イオンチャネルの部分的または完全な遮断に応答し、治療上有効量の本発明の医薬組成物をそれを必要とするヒトを含めたそのような動物の生体に投与する工程を含む。
【００３０】
本発明は、神経筋遮断剤として、および神経筋傷害を治療するためのμ−コノペプチドの使用に指向される。このように、該μ−コノペプチドは、筋肉の弛緩を供するのに、良性の特発性眼瞼痙攣および局所性ジストニアの他の形態を治療するのに、および抗皺使用に有用である。かくして、一の態様において、該μ−コノペプチドは、通常の非経口投与、例えば、溶液中の筋肉内または静脈内投与によって、外科処置と組み合わせてまたは気管挿管のための神経筋遮断剤として有用である。第２の態様において、該μ−コノペプチドは、顔面筋疼痛症候群、慢性筋痙攣、失調症または痙縮（ｓｐａｓｔｉｃｉｔｙ）のごとき神経筋障害を治療するための剤として有用である。
【００３１】
酸素供給不足またはミトコンドリア機能不全と関連する神経性障害におけるニューロンに対する有害な主要因子は、それらの要求に対する不十分なＡＴＰ産生である。脳細胞により消費されるエネルギーの大部分が細胞膜を横切るＮａ＋勾配の維持に用いられるので、電位依存性Ｎａ（＋）−チャネルの下降修飾により必要とされるエネルギー低下は、神経保護の一つの戦略である。加えて、内方Ｎａ＋勾配の保存は有益である、というのは、その保存はＣａ２＋恒常性および神経伝達物質の取込みのごとき重要なイオン交換および輸送機構についての本質的な駆動力であるからである。かくして、本発明のμ−コノペプチドは、神経保護剤として有用である。
【００３２】
かくして、本発明の医薬組成物は、神経保護剤、特に、脳保護剤、神経筋遮断剤、鎮痛剤（局所麻酔剤として、および一般的な鎮痛用途の双方）または全身麻酔に対する補助薬として有用である。「神経学上の障害または疾病」は、限定されるものではないが、総体および限局性の虚血性および出血性の発作、頭部外傷、脊髄損傷、心停止または新生児仮死における低酸素症誘導の神経細胞損傷、あるいは癲癇を含めた神経系の障害または疾患である。加えて、「神経学上の障害または疾病」は、神経保護剤、抗痙攣剤、鎮痛剤、および／または全身麻酔における補助物として示され、有用であり、推奨または処方できる疾患状態および疾患である。
【００３３】
より詳細には、本発明は、典型的には、発作、脳血管事故、脳または脊髄外傷、心筋梗塞、身体的外傷、溺死、窒息、分娩仮死または低血糖事象に続く低酸素症、酸素欠乏症または虚血性疾患に関連する神経毒性損傷を軽減するためのこれらの化合物の使用に指向される。本発明は、急性および慢性の疼痛、かかる片頭痛、侵害受容性および神経障害性の疼痛を含めた痛みを治療するためのこれらの化合物の使用にさらに指向される。
【００３４】
「神経保護剤」は、神経の障害または疾患と関連するニューロン死を予防できる化合物である。「鎮痛剤」は、麻酔または意識喪失を生じない侵害受容性刺激に対する認知を変更することによって痛みを緩和できる化合物である。「筋弛緩剤」は、筋肉緊張を低下させる化合物である。「全身麻酔における補助物（ａｄｊｕｎｃｔ）」は、意識喪失に関連した痛みを知覚する能力の喪失を生じる麻酔剤と組み合せて有用な化合物である。
【００３５】
本発明は、限定されるものではないが、総体および限局性の虚血性および出血性の発作、頭部外傷、脊髄損傷、心停止または新生児仮死における低酸素症誘導の神経細胞損傷、癲癇、または望ましくない副作用のない他の痙攣性障害を含めた神経系の障害および疾患の治療に有用な方法にさらに関連する。
【００３６】
かくして、１つの具体例において、本発明は、対象による痛みの認知を低下／緩和／減少させる方法、または対象における鎮痛を誘導するための方法を提供し、ここに、該方法は、治療上有効量の本明細書に記載されたμ−コノペプチド、またはその医薬上許容される塩もしくは溶媒和物を含む、有効量の医薬組成物を対象に投与することを含む。その痛みは、急性、持続性、炎症性または神経障害性の痛みであり得る。該μ−コノペプチドは、三叉神経痛、糖尿病性神経障害、疱疹後神経痛、神経腫痛、幻想肢痛のごとき慢性および神経障害性の疼痛状態における鎮痛剤として有用である。また、これらのペプチドは熱傷疼痛を治療するために、および眼用麻酔剤として有用である。
【００３７】
第２の具体例において、本発明は、対象による痛みの認識を低下／緩和／減少させる、または鎮痛、特に、局所鎮痛を誘導するための方法を提供し、該方法は、治療上有効量の本明細書に記載されたμ−コノペプチドまたはその医薬上許容される塩もしくは溶媒和物を含む、有効量の医薬組成物を該対象に投与することを含む。また、これらのペプチドは、熱傷を治療するのに、および眼用麻酔剤として有用である。
【００３８】
第３の具体例において、本発明は、対象における発作、頭部または脊髄の外傷または損傷、酸素欠乏症、低酸素症誘導の神経細胞損傷、虚血、片頭痛、精神病、不安、精神分裂病、炎症、運動障害、癲癇、いずれかの他の痙攣性障害を治療する方法、または同一物と関連する変性変化の予防における方法を提供し、ここに、該方法は、治療上有効量の本明細書に記載されたμ−コノペプチドまたはその医薬上許容される塩もしくは溶媒和物を含む、有効量の医薬組成物を該対象に投与することを含む。
【００３９】
第４の具体例において、本発明は、筋肉の弛緩を供するため、良性の特発性眼瞼痙攣および局所性ジストニアの他の形態を治療するための、および抗皺使用における方法のごとき神経筋遮断を提供するまたは神経筋障害を治療するための方法を提供する。かくして、一の態様において、該μ−コノペプチドは、通常の非経口投与、例えば、溶液中の筋肉内または静脈内投与によって、手術と組み合わせてまたは気管挿管のための神経筋遮断剤として有用である。第２の態様において、該μ−コノペプチドは、顔面筋疼痛症候群、慢性筋痙攣、失調症または痙縮のごとき神経筋障害を治療するための剤として有用である。
【００４０】
また、本発明は、哺乳動物系で発現される特異的ナトリウムチャネルサブタイプに選択的な遮断剤である小分子を同定するための小分子ライブラリーのスクリーニング用のμ−コノペプチドの使用に指向される。一つの具体例において、特定のナトリウムチャネルサブタイプでの小分子の遮断活性は、同一ナトリウムチャネルサブタイプでのμ−コノペプチドの遮断活性に比較される。第２の具体例において、ナトリウムチャネルサブタイプからμ−コノペプチドを置換するための小分子の能力が決定される。第３の具体例において、ナトリウムチャネルサブタイプに対する小分子の結合親和性は、同一ナトリウムチャネルサブタイプに対するμ−コノペプチドの結合親和性に比較される。
【００４１】
本明細書に記載されたμ−コノペプチドは、化学的に合成するのに十分に小さい。前記のμ−コノトキシンペプチドを調製するための一般的な化学合成は、後記されている。また、μ−コノペプチドの種々のものが、米国特許第４，４４７，３５６号（Ｏｌｉｖｅｒａら、１９８４）；第５，５１４，７７４号；第５，７１９，２６４号；および第５，５９１，８２１号、ならびにＰＣＴ公開出願ＷＯ ９８／０３１８９（これらをここに出典明示して本明細書の一部とみなす）に記載された技術を用いて、特定のコーヌス種からの単離および精製によって得ることができる。
【００４２】
本発明のμ−コノペプチドはイモガイからの精製によって得ることができるが、個々の巻貝から得ることができるμ−コノペプチドの量は非常に少量であるため、所望の実質的に純粋なμ−コノペプチドは、固相戦略を用いる化学合成によって商業的に価値ある量にて現実には最良に得る。例えば、単一のイモガイからの収量は約１０マイクログラム以下のμ−コノペプチドペプチドであり得る。「実質的に純粋」とは、該ペプチドが同一タイプの他の生物学的分子の実質的な不存在下にて存在することを意味し；それは好ましくは少なくとも約８５％純度、好ましくは少なくとも約９５％純度の量で存在する。生物学的に活性なμ−コノペプチドペプチドの化学合成は、もちろんアミノ酸配列の正確な決定の過程に依存する。
【００４３】
また、μ−コノペプチドは、当該技術分野でよく知られている組換えＤＮＡ技術によっても産生できる。かかる技術はＳａｍｂｒｏｏｋら（１９８９）によって記載されている。注目する遺伝子（すなわち、適当なμ−コノペプチドをコードする遺伝子）は、標準的手法を用いることによって適当な発現ベクターのクローニング部位に挿入できる。これらの手法は、当業者によく知られている。次いで、注目する遺伝子を含有する発現ベクターを用いて、所望の細胞系をトランスフェクトできる。リン酸カルシウム共沈殿、ＤＥＡＥ−デキストラントランスフェクションまたはエレクトロポレーションのごとき標準的トランスフェクション手法を利用できる。非常に広範囲の宿主／発現ベクターの組合せを用いて、注目するコノトキシンペプチドをコードする遺伝子を発現できる。かかる組合せは当業者によく知られている。このようにして産生したペプチドを単離し、要すれば還元し、酸化して、正確なジスルフィド結合を形成させる。
【００４４】
本発明のμ−コノペプチド中にジスルフィド結合を形成させる１つの方法は、冷室温下または室温にて長時間の線状ペプチドの空気酸化である。この手法の結果、実質量の生物活性のジスルフィド結合ペプチドが創製する。酸化されたペプチドは逆相高速液体クロマトグラフィー（ＨＰＬＣ）等を用いて分画して、異なる結合立体配置を有するペプチドを分離する。その後、これらの画分を天然物質の溶出と比較するか、または単純なアッセイ方法を用いることによって、最大の生物学的効力の正確な結合を有する特定の画分を容易に決定する。しかしながら、より低い生物効力の他の画分の存在から生じる希釈のため、幾分より高い投与量が必要となり得る。
【００４５】
該ペプチドは、絶対固相技術、部分固相技術、フラグメント縮合または古典的な溶液カップリングによるごとき、適当な方法によって合成される。
【００４６】
通常の液相ペプチド合成においては、ペプチド鎖は、構成アミノ酸を所望の順序で伸長するペプチド鎖に付加する一連のカップリング反応によって調製できる。種々のカップリング試薬、例えば、ジシクロヘキシルカルボジイミドまたはジイソプロピルカルボニルジイミダゾール、種々の活性エステル、例えば、Ｎ−ヒドロキシフタルイミドまたはＮ−ヒドロキシ−スクシンイミドのエステル、ならびに種々の切断試薬を用いて溶液中で反応を行い、続いて中間体を単離および精製することはよく知られている古典的なペプチド法である。古典的な溶液合成は、論文「Ｍｅｔｈｏｄｅｎ ｄｅｒ Ｏｒｇａｎｉｓｃｈｅｎ Ｃｈｅｍｉｅ（Ｈｏｕｂｅｎ−Ｗｅｙｌ）： Ｓｙｎｔｈｅｓｅ ｖｏｎ Ｐｅｐｔｉｄｅｎ」（１９７４）に詳記されている。絶対的固相合成の技術は、テキストブック、「Ｓｏｌｉｄ‐Ｐｈａｓｅ Ｐｅｐｔｉｄｅ Ｓｙｎｔｈｅｓｉｓ」（ＳｔｅｗａｒｔおよびＹｏｕｎｇ，１９６９）に記載されており、米国特許第４，１０５，６０３号（Ｖａｌｅら、１９７８）の開示によって例示されている。合成のフラグメント縮合法は米国特許第３，９７２，８５９号（１９７６）に例示されている。他の利用可能な合成は、米国特許第３，８４２，０６７号（１９７４）および第３，８６２，９２５号（１９７５）によって例示されている。γ−カルボキシグルタミン酸残基を含有するペプチドの合成は、Ｒｉｖｉｅｒら（１９８７）、Ｎｉｓｈｉｕｃｈｉら（１９９３）およびＺｈｏｕら（１９９６）によって例示されている。
【００４７】
かかる化学合成に共通しているのは、当該基が最終的に除去されるまで、その部位で化学反応が起こるのを妨ぐであろう適当な保護基で種々のアミノ酸部位の不安定な側鎖基を保護することである。また、通常共通しているのは、その原子団がカルボキシル基において反応し、続いてα−アミノ保護基を選択的に除去してその位置で続く反応が起こることを許容する間に、アミノ酸または断片上のα−アミノ基を保護することである。したがって、かかる合成における工程として、不安定側鎖を有する残基の種々のものに結合した適当な側鎖保護基を有するペプチド鎖中に所望の順序で位置する各アミノ酸残基を含む中間体化合物を生成することが共通している。
【００４８】
側鎖アミノ保護基の選択に関する限り、一般的に、合成中α−アミノ基の脱保護の間には除去されないものが選択される。しかしながら、いくらかのアミノ酸、例えば、Ｈｉｓについては、保護は一般的には必要でない。ペプチド合成に用いられるべき特定の側鎖保護基の選択においては、以下の一般規則に従う：（ａ）保護基は好ましくはカップリング条件下にてその保護特性を保持し、かつ、分裂しないこと、（ｂ）保護基は合成の各工程にてα−アミノ保護基を除去するために選択した反応条件下で安定でなければならないこと、ならびに、（ｃ）側鎖保護基は、ペプチド鎖を望ましくないように変化させない反応条件下にて、所望のアミノ酸配列を含む合成の完了の際に、除去可能でなければならないこと。
【００４９】
組換えＤＮＡ技術を用いてこれらのペプチドの多くまたは全てでさえ調製することが可能である。しかしながら、ペプチドをそのように調製しない場合には、当該技術分野で知られている他の等価な化学合成も先に述べたごとく用い得るが、それを好ましくはメリフィールド固相合成を用いて調製する。固相合成は、保護α−アミノ酸を適当な樹脂にカップリングさせることによって、ぺプチドのＣ−末端から開始される。かかる出発物質は、α−アミノ−保護アミノ酸を、エステル結合によりクロロメチル化樹脂もしくはヒドロキシメチル樹脂に結合させることによって、あるいは、アミド結合によってベンズヒドリルアミン（ＢＨＡ）樹脂またはパラメチルベンズヒドリルアミン（ＭＢＨＡ）樹脂に結合させることによって調製できる。ヒドロキシメチル樹脂の調製は、Ｂｏｄａｎｓｋｙら（１９６６）によって記載されている。クロロメチル化樹脂はＢｉｏ Ｒａｄ Ｌａｂｏｒａｔｏｒｉｅｓ社（Ｒｉｃｈｍｏｎｄ、ＣＡ）およびＬａｂ． Ｓｙｓｔｅｍｓ，Ｉｎｃ．社から市販されている。かかる樹脂の調製は、ＳｔｅｗａｒｔおよびＹｏｕｎｇ（１９６９）によって記載されている。ＢＨＡおよびＭＢＨＡ樹脂支持体は市販されており、合成すべき所望のポリペプチドがＣ−末端に非置換アミドを有する場合に一般的に用いられる。したがって、式−Ｏ−ＣＨ２−樹脂支持体、−ＮＨ ＢＨＡ樹脂支持体または−ＮＨ−ＭＢＨＡ樹脂支持体を有するもののごとく、固体樹脂支持体は当該技術分野で知られているいずれのものであってもよい。未置換アミドが望まれる場合、切断がアミドを直接的に与えるためにＢＨＡまたはＭＢＨＡ樹脂の使用が好ましい。Ｎ−メチルアミドが望まれる場合、それはＮ−メチルＢＨＡ樹脂から生成することができる。他の置換されたアミドが所望ならば、米国特許第４，５６９，９６７号の教示（Ｋｏｒｎｒｅｉｃｈら、１９８６）を用いることができ、あるいは、遊離酸以外のなお他の基がＣ−末端に望まれる場合、Ｈｏｕｂｅｎ−Ｗｅｙｌテキスト（１９７４）に記載された古典的方法を用いてペプチドを合成するのが好ましいであろう。
【００５０】
ＢｏｃまたはＦｍｏｃによって、および側鎖保護基によって保護されたＣ−末端アミノ酸は、適当には、Ｃ−末端に遊離酸を有するペプチドを合成すべき場合、まず、攪拌しつつ約６０℃にて２４時間、ＤＭＦ中のＫＦを用い、Ｋ． Ｈｏｒｉｋｉら（１９７８）に記載された手法に従って、クロロメチル化樹脂にカップリングさせることができる。ＢＯＣ−保護アミノ酸を樹脂支持体にカップリングさせた後に、塩化メチレン中のトリフルオロ酢酸（ＴＦＡ）またはＴＦＡ単独を用いることによって、α−アミノ保護基を除去する。脱保護は約０℃と室温との間の温度で行う。ジオキサン中のＨＣｌのごとき他の標準的な切断試薬および特異的α−アミノ保護基の除去のための条件は、ＳｃｈｒｏｄｅｒおよびＬｕｂｋｅ（１９６５）に記載されているごとく使用できる。
【００５１】
α−アミノ保護基の除去後、残りのα−アミノ−および側鎖−保護アミノ酸を所望の順序で段階的にカップリングさせて本明細書に前記に定義した中間体化合物を得るか、あるいは別法として、合成中に各アミノ酸に別々に付加し、そのうちの幾つかは固相反応器に添加する前に互いにカップリングさせ得る。適当なカップリング試薬の選択は当業者の範囲内にある。カップリング試薬として特に適当なのは、Ｎ，Ｎ’−ジシクロヘキシルカルボジイミド（ＨｏＢｔまたはＨｏＡｔの存在下でのＤＣＣ、ＤＩＣ、ＨＢＴＵ、ＨＡＴＵ、ＴＢＴＵ）である。
【００５２】
ペプチドの固相合成に用いる活性化試薬は、ペプチドの技術分野でよく知られている。適当な活性化試薬の例は、Ｎ，Ｎ’−ジイソプロピルカルボジイミドおよびＮ−エチル−Ｎ’−（３−ジメチルアミノプロピル）カルボジイミドのごときカルボジイミドである。他の活性化試薬およびペプチド・カップリングにおけるそれらの使用は、ＳｃｈｒｏｄｅｒおよびＬｕｂｋｅ（１９６５）ならびにＫａｐｏｏｒ（１９７０）によって記載されている。
【００５３】
各保護アミノ酸またはアミノ酸配列を約２倍以上の過剰量で固相反応器に導入し、ジメチルホルムアミド（ＤＭＦ）：ＣＨ２Ｃｌ２（１：１）の媒体中またはＤＭＦもしくはＣＨ２Ｃｌ２単独中でカップリングを行い得る。中間体カップリングが起こる場合、次のアミノ酸のカップリングより前のα−アミノ保護基の除去前にカップリング手法を繰り返す。手動で行う場合、合成の各段階でのカップリング反応の成功は、好ましくは、Ｋａｉｓｅｒら（１９７０）によって記載されているごとく、ニンヒドリン反応によってモニターする。カップリング反応は、Ｂｅｃｋｍａｎ ９９０自動合成器におけるように、Ｒｉｖｉｅｒら（１９７８）において報告されているごときプログラムを用いて自動的に行い得る。
【００５４】
所望のアミノ酸配列が完成した後に、液体フッ化水素またはＴＦＡ（Ｆｍｏｃ化学を用いる場合）のごとき試薬を用いる処理によって、中間体ペプチドを樹脂支持体から取り外すことができ、それは、樹脂からペプチドを切断するだけではなく、全ての残存する側鎖保護基および以前に除去されていない場合には、Ｎ末端の  −アミノ保護基をも切断して、ペプチドを遊離酸の形態で得ることができる。配列中にＭｅｔが存在する場合、好ましくは、ＨＦを用いて樹脂からペプチドを切断する前にトリフルオロ酢酸（ＴＦＡ）／エタンジチオールを用いて最初にＢｏｃ保護基を除去して、潜在的なＳ−アルキル化を排除する。フッ化水素またはＴＦＡを切断に用いる場合には、アニソール、クレゾール、ジメチルスルフィドおよびメチルエチルスルフィドのごとき１以上のスカベンジャーを反応容器に含ませる。
【００５５】
ペプチド−樹脂の一部である場合のペプチドの環化とは対照的に、好ましくは、線状ペプチドの環化に影響してＣｙｓ残基間の結合を創製する。かかるジスルフィド環化結合をもたらすために、当該技術分野でよく知られているごとく、アンモノリシスによって、完全に保護されたペプチドをヒドロキシメチル化樹脂またはクロロメチル化樹脂支持体から切断して、完全に保護されたアミド中間体を得ることができ、その後、それを適当に環化および脱保護することができる。別法として、脱保護ならびに上記の樹脂またはベンズヒドリルアミン（ＢＨＡ）樹脂もしくはメチルベンズヒドリルアミン（ＭＢＨＡ）からのペプチドの切断は、フッ化水素酸（ＨＦ）またはＴＦＡを用いて０℃で行うことができ、その後、上記のように酸化できる。
【００５６】
また、自動合成器を用いてもペプチドが合成される。Ａｄｖａｎｃｅｄ Ｃｈｅｍｔｅｃｈ ３５７自動ペプチド合成器を用いて、Ｃ末端にて開始してＭＢＨＡ Ｒｉｎｋ樹脂（典型的には１００ｍｇの樹脂）にアミノ酸を順次カップリングさせる。カップリングは、Ｎ−メチルピロリジノン（ＮＭＰ）中の１，３−ジイソプロピルカルボジイミドを用いるか、または２−（１Ｈ−ベンゾトリアゾール−１−イル）−１，１，３，３−テトラメチルウロニウム  ヘキサフルオロホスフェート（ＨＢＴＵ）およびジエチルイソプロピルエチルアミン（ＤＩＥＡ）によって行う。ＦＭＯＣ保護基は、ジメチルホルムアミド（ＤＭＦ）中のピペリジンの２０％溶液での処理によって除去する。その後、樹脂をＤＭＦ（２回）、続いてメタノールおよびＮＭＰで洗浄する。
【００５７】
また、前記のコノトキシンペプチドのアナログまたは活性断片のムテインは本明細書に含まれる。例えば、Ｈａｍｍｅｒｌａｎｄら（１９９２）参照。そのコノトキシンペプチドのアナログまたは活性断片の、誘導体ムテインは、米国特許第５，５４５，７２３号（特に、第２欄、第５０行〜第３欄、第８行）；第５，５３４，６１５号（特に、第１９欄、第４５行〜第２２欄、第３３行）；および第５，３６４，７６９号（特に、第４欄、第５５行〜第７欄、第２６行）（各々をここに出典明示して本明細書の一部とみなす）に概説されたごとき保存的アミノ酸置換を含めた公知の手法により合成できる。
【００５８】
また、本発明のμ−コノペプチドは、典型的には、発作、脳血管事故、脳または脊髄外傷、心筋梗塞、身体的外傷、溺死、窒息、分娩仮死または低血糖事象に続く低酸素症、酸素欠乏症または虚血性疾患に関連する神経毒性損傷を減少させるのに有用である。神経毒性損傷を減少させるために、μ−コノペプチドは、患者が経験するであろうＣＮＳ損傷を効果的に最小とするように、低酸素症、酸素欠乏症または虚血性疾患の開始の２４時間以内に患者に治療上有効量にて投与されるであろう。
【００５９】
本発明のμ−コノペプチドは、さらに、例えば、鎮痛剤として痛みの制御、および片頭痛、急性疼痛または持続性疼痛の治療に有用である。それらは、予防的にあるいは片頭痛エピソードに関連する症状を緩和する、または急性もしくは持続性疼痛を治療するために用いることができる。これらの用途では、μ−コノペプチドは、痛みを克服または和らげる治療上の有効量にて投与される。
【００６０】
また、本発明のμ−コノペプチドは、神経筋遮断剤として、または神経筋障害を治療するのに有用である。それらは、筋肉の弛緩を供するために、良性の特発性眼瞼痙攣および局所性ジストニアの他の形態を治療するために、および抗皺使用のために用いることができる。かくして、一の態様において、該μ−コノペプチドは、通常の非経口投与、例えば、溶液中の筋肉内または静脈内投与によって、外科処置と組み合わせてまたは気管挿管のための神経筋遮断剤として用いられる。第２の態様において、該μ−コノペプチドは、顔面筋疼痛症候群、慢性筋痙攣、失調症または痙縮のごとき神経筋障害を治療するための剤として用いられる。こららの用途では、μ−コノペプチドは、筋肉を弛緩させるまたは神経筋遮断を供するための治療上有効量にて投与される。
【００６１】
有効成分として本発明の化合物を含有する医薬組成物は、慣用的な医薬調剤技術に従って調製できる。例えば、Ｒｅｍｉｎｇｔｏｎ’ｓ Ｐｈａｒｍａｃｅｕｔｉｃａｌ Ｓｃｉｅｎｃｅｓ、第１８版（１９９０，Ｍａｃｋ Ｐｕｂｌｉｓｈｉｎｇ Ｃｏ．社，Ｅａｓｔｏｎ，ＰＡ）を参照されたし。典型的には、治療上有効量の有効成分は医薬上許容される担体と混合されるであろう。担体は、投与、例えば、静脈内、経口、非経口または髄腔内、に望ましい製剤の形態に依存して非常に様々な形態を取ることができる。送達方法については、米国特許第５，８４４，０７７号（ここに出典明示して本明細書の一部とみなす）を参照されたし。
【００６２】
「医薬組成物」とは、医薬投与につき適当な物理的に区別される統一性のある部分を意味する。「投与単位形態における医薬組成物」とは、医薬投与につき適当な物理的に区別される統一性のある単位を意味し、各々は、担体と組み合わせたおよび／または包被内に入れられた活性化合物の毎日用量、複数（４回まで）またはサブマルチプル（４０回より下）の毎日用量を含有する。該組成物が毎日用量、または毎日用量の半分または１／３または１／４を含むかは、該医薬組成物が、１日当り１回または例えば、２、３または４回投与されるべきかに依存するであろう。
【００６３】
本明細書に用いられる「塩」なる用語は、無機または有機の酸および／または塩基、好ましくは塩基塩で形成された酸性および／または塩基性塩を示す。特に、本発明の化合物を医薬として使用する場合、医薬上許容される塩が好ましいが、他の塩は、例えば、これらの化合物を処理するのに、または医薬タイプでない使用を意図する場合に有用性を見出せる。これらの化合物の塩は、技術が認識されている手法によって調製できる。
【００６４】
かかる医薬上許容される塩の例には、限定されるものではないが、各々、塩酸塩、硫酸塩、硝酸塩またはリン酸塩および酢酸塩、トリフルオロ酢酸塩、プロピオン酸塩、コハク酸塩、安息香酸塩、クエン酸塩、酒石酸塩、フマル酸塩、マレイン酸塩、メタンスルホン酸塩、イソチオン酸塩、酢酸テオフィリン、サリチル酸塩等のごとき無機および有機の付加塩が含まれる。低級アルキル四級アンモニウム塩等も同様に適当である。
【００６５】
本明細書に用いる「医薬上許容される」担体なる用語は、非毒性の、不活性固体の、半固形液体の充填剤、希釈剤、カプセル化物質、いずれかのタイプの処方補助剤、または単に、セーラインのごとき無菌水性媒体を意味する。医薬上許容される担体として機能できる物質のいつらかの例は、ラクトース、グルコースおよびスクロースのごとき糖、コーンスターチおよび馬鈴薯デンプンのごときデンプン、セルロースおよびカルボキシメチルセルロースナトリウム、エチルセルロースおよび酢酸セルロースのごときその誘導体；粉末トラガカントゴム；メルト、ゼラチン、タルク；カカオ脂および坐薬ワックスのごとき賦形剤；落花生油、綿実油、べにばな油、ゴマ油、オリーブ油、トウモロコシ油および大豆油のごとき油；プロピレングリコールのごときグリコール、グリセリン、ソルビトール、マンニトールおよびポリエチレングリコールのごときポリオール；オレイン酸エチルおよびラウリン酸エチルのごときエステル、寒天；水酸化マグネシウムおよび水酸化アルミニウムのごとき緩衝剤；アルギン酸；パイロジェンフリー水；等張性セーライン、リンゲル液；エチルアルコールおよびリン酸緩衝液、ならびに医薬処方において用いられる他の非毒性の適合性物質である。
【００６６】
また、ラウリル硫酸ナトリウムおよびステアリン酸マグネシウムのごとき湿潤剤、乳化剤および滑沢剤、ならびに着色剤、放出剤、コーティング剤、甘味剤、矯味剤および芳香剤、保存剤および抗酸化剤は、処方者の判断により該組成物中に存在できる。医薬上許容される抗酸化剤の例には、限定されるものではないが、アスコルビン酸、システイン塩酸塩、亜硫酸水素ナトリウム、メタ重亜硫酸水素ナトリウム、亜硫酸ナトリウム等のごとき水溶性抗酸化剤；アスコルビルパルチメート、ブチルヒドロキシアニソール（ＢＨＡ）またはブチルヒドロキシトルエン（ＢＨＴ）、レクチン、没食子酸プロピル、アルファ−トコフェロール等のごとき油可溶性抗酸化剤；およびクエン酸、エチレンジアミン四酢酸（ＥＤＴＡ）、ソルビトール、酒石酸、リン酸等のごとき金属キレート化剤が含まれる。
【００６７】
経口投与に関しては、化合物をカプセル剤、丸剤、錠剤、トローチ剤、メルト剤、散剤、懸濁剤または乳剤のごとき固体または液体の製剤に処方化できる。経口投与形態での組成物の調製においては、いずれかの通常の医薬媒体を用いることができ、これは例えば、（例えば、懸濁剤、エリキシル剤および液剤のごとき）経口液体製剤の場合においては、水、グリコール、油剤、アルコール、矯味剤、保存料、着色剤、懸濁化剤等；あるいは（例えば、散剤、カプセル剤および錠剤のごとき）経口固体製剤の場合においては、デンプン、糖、希釈剤、顆粒化剤、滑沢剤、結合剤、崩壊剤等のごとき担体である。投与におけるそれらの簡便性のために、錠剤およびカプセル剤は最も有利な投与単位形態を表し、その場合、固体医薬担体を明らかに用いる。所望ならば、錠剤は標準的な技術によって糖衣または腸溶衣をかけ得る。活性薬剤をカプセル化して、それが血液脳関門を通過することを許容すると同時に胃腸管を安定に通過させ得る。例えば、ＷＯ９６／１１６９８を参照されたし。
【００６８】
非経口投与に関しては、化合物を医薬担体に溶解して、液剤または懸濁剤として投与できる。適当な担体の例示は水、セーライン、デキストロース溶液、フラクトース溶液、エタノール、または動物、植物もしくは合成起源の油剤である。また、担体は、他の成分、例えば、保存剤、懸濁化剤、可溶化剤、緩衝剤等も含むこともできる。また、化合物を髄腔内投与する場合、それらを脳脊髄液に溶解できる。
【００６９】
様々な投与経路が利用可能である。選択された特定の様式は、選択された特定の薬物、治療されるべき疾患状態の重篤度および治療上の効力のために必要とされる用量にもちろん依存するであろう。本発明の方法は、一般的に言えば、医学的に許容できるいずれの様式の投与を用いても実施でき、臨床的に許容できない副作用を生じることなく、活性化合物の有効レベルを生じるいずれの様式も意味する。かかる投与様式には、経口、直腸、舌下、局所、経鼻、経皮または非経口の経路が含まれる。「非経口」なる用語は、皮下、静脈内、硬膜外、潅注、筋肉内、放出ポンプまたは注入が含まれる。
【００７０】
例えば、本発明による活性薬剤の投与は、いずれの適当な送達手段を用いても達成でき、
（ａ）ポンプ（例えば、ＬａｕｅｒおよびＨａｔｔｏｎ（１９９３）、Ｚｉｍｍら（１９８４）ならびにＥｔｔｉｎｇｅｒら（１９７８）参照）；
（ｂ）マイクロカプセル化（例えば、米国特許第４，３５２，８８３号；第４，３５３，８８８号および第５，０８４，３５０号参照）；
（ｃ）持続性放出ポリマー埋込み剤（例えば、米国特許第４，８８３，６６６号参照）；
（ｄ）マイクロカプセル化（例えば、米国特許第５，２８４，７６１号、第５，１５８，８８１号、第４，９７６，８５９号および第４，９６８，７３３号ならびに公開されたＰＣＴ特許出願ＷＯ９２／１９１９５、ＷＯ９５／０５４５２参照）；
（ｅ）ＣＮＳに対する裸のまたは非カプセル化の細胞移植（例えば、米国特許第５，０８２，６７０号および第５，６１８，５３１号参照）；
（ｆ）皮下、静脈内、動脈内、筋肉内もしくは他の適当な部位への注射；または
（ｇ）カプセル剤、液剤、錠剤、丸剤または持続性放出製剤における経口投与
が含まれる。
【００７１】
本発明の１つの具体例において、活性薬剤は、ＣＮＳ、好ましくは、脳室、脳実質、髄腔または他の適当なＣＮＳ位置、最も好ましくは髄腔内に直接的に送達される。
【００７２】
あるいは、ターゲティング治療を用いて、抗体または細胞特異的リガンドのごときターゲティング・システムの使用によって、さらにとりわけ、ある種のタイプの細胞に活性薬剤を送達できる。ターゲティングは、種々の理由、例えば、薬剤が許容できない毒性があるならば、余りにも高用量を必要とするならば、または標的細胞に入ることができないならば望ましい。
【００７３】
また、ペプチドである活性薬剤は、活性薬剤をコードするＤＮＡ配列を患者の体内、特に脊髄領域に移植するために設計された細胞に導入する細胞ベースの送達システムにて投与できる。適当な送達システムは、米国特許第５，５５０，０５０号およびＰＣＴ出願公開番号ＷＯ９２／１９１９５、ＷＯ９４／２５５０３、ＷＯ９５／０１２０３、ＷＯ９５／０５４５２、ＷＯ９６／０２２８６、ＷＯ９６／０２６４６、ＷＯ９６／４０８７１、ＷＯ９６／４０９５９およびＷＯ９７／１２６３５に記載されている。適当なＤＮＡ配列は、開示された配列および公知の遺伝暗号に基づいて、各活性薬剤について合成により調製できる。
【００７４】
かかる筋弛緩化合物（例えば、無菌または防腐性条件を達成する）を投与する例示的方法は、当業者には明らかであろう。本発明により有用な化合物を投与するのに適したある種の方法が、ＧｏｏｄｍａｎおよびＧｉｌｍａｎ’ｓ Ｔｈｅ Ｐｈａｒｍａｃｏｌｏｇｉｃａｌ Ｂａｓｉｓ ｏｆ Ｔｈｅｒａｐｅｕｔｉｃｓ， 第７版（１９８５）に記載されている。患者への投与は、断続的であり得；または漸進的、連続的、一定または制御された速度であり得る。投与は、温血動物（例えば、マウス、ラット、ネコ、ウサギ、イヌ、ブタ、ウシまたはサルのごとき哺乳動物）に対してであり得るが；有利には、ヒトへ投与される。投与は、全身麻酔剤が投与された後に生じる。投与頻度は、通常、麻酔医により決定され、典型的には、患者間で変更される。
【００７５】
活性薬剤は、好ましくは、治療上有効量にて投与される。活性化合物の「治療上有効量」または単に「有効量」とは、いずれの医学的治療にも適用できる適当な利益／リスク比にて、所望の疾患を治療するのに十分な化合物の量を意味する。投与される実際の量、ならびに投与の速度および時間経過は、治療すべき疾患の性質および重篤度に依存するであろう。治療の処方箋、例えば、投与量、時期等に関する決定は、一般医師または専門医の責任の範囲内にあり、典型的には治療すべき障害、個々の患者の症状、送達部位、投与方法、および実践者に知られている他の因子を考慮する。技術およびプロトコールの例は、Ｒｅｍｉｎｇｔｏｎ’ｓ Ｐｈａｒｍａｃｅｕｔｉｃａｌ Ｓｃｉｅｎｃｅｓに見出すことができる。
【００７６】
用量は、局所的または全身的に所望の薬物レベルを達成するように適当に調製できる。典型的には、本発明の活性薬剤は、活性薬剤の約０．００１ｍｇ／ｋｇないし約２５０ｍｇ／ｋｇ、好ましくは、約０．０１ｍｇ／ｋｇないし約１００ｍｇ／ｋｇ、最も好ましくは、約０．０５ｍｇ／ｋｇないし約７５ｍｇ／ｋｇの用量範囲にてそれらの効果を示す。適当な用量は、１日当り複数のサブ用量にて投与できる。典型的には、用量またはサブ用量は、単位投与形態当り約０．１ｍｇないし約５００ｍｇの活性薬剤を含有できる。より好ましい用量は、単位投与形態当り約０．５ｍｇないし約１００ｍｇの活性薬剤を含有するであろう。用量は、一般的には、低レベルにて開始され、所望の効果が達成されるまで増加させる。対象における応答がかかる用量にて不十分である事象において、より高用量（または異なるより局所化された送達経路による有効なより高用量）さえ、患者耐容性が許される範囲まで使用できる。例えば、２４時間にわたる連続投与または１日当りの複数用量は、化合物の適当な全身レベルを達成すると考えられる。
【００７７】
痛みの治療では、投与経路がＣＮＳに直接的であるならば、考えられる用量は、１日当り約１ｎｇないし約１００ｍｇ、好ましくは１日当り約１００ｎｇないし約１０ｍｇ、より好ましくは１日当り約１μｇないし約１００μｇである。末梢的に投与されるならば、考えられる用量は、いくらか高く、１日当り約１００ｎｇないし約１０００ｍｇ、好ましくは１日当り約１０μｇないし約１００ｍｇ、より好ましくは１日当り約１００μｇないし約１０ｍｇである。コノペプチドが連続注入によって（例えば、ポンプ送達、生分解性ポリマー送達または細胞ベースの送達により）送達されるならば、低用量がボーラス送達についてよりも考えられる。
【００７８】
有利には、該組成物は、投与単位として処方され、各単位は、活性薬剤の固定用量を供給するように適合される。錠剤、被覆錠、カプセル剤、アンプル剤および坐剤は、本発明による投与形態の例である。
【００７９】
活性薬剤は、すなわち、適当な有効用量が、単一または複数の単位用量にて用いられた投与形態と一致するであろうように、有効量を構成することを必要とするにすぎない。正確な個々の用量、ならびに毎日用量は、使用ヒトまたは動物につき医師または獣医の指示の下、標準的医学原理により決定される。
【００８０】
医薬組成物は、一般的には、全組成物の重量当り、活性薬剤の約０．０００１ないし９９重量％、好ましくは約０．００１ないし５０重量％、より好ましくは約０．０１ないし１０重量％を含有するであろう。また、活性薬剤に加えて、該医薬組成物および医薬品は、他の医薬上活性な化合物を含有できる。他の医薬上活性な化合物の例には、限定されるものではないが、鎮痛剤、サイトカインおよび臨床医学の全ての主要領域における治療剤が含まれる。他の医薬上活性な化合物と共に用いる場合、本発明のコノペプチドは、薬物カクテルの形態にて送達できる。カクテルは、本発明で有用ないずれかの化合物と、もう一つの薬物または薬剤の混合物である。本具体例において、共通の投与ビヒクル（例えば、丸剤、錠剤、埋込み剤、ポンプ、注射溶液等）は、薬剤を補足的に増強する組合せにて本組成物の双方を含有するであろう。カクテルの個々の薬物は、治療上有効量にて各々投与される。治療上の有効量は、前記のパラメーターによって決定されるであろうが；それは、いずれの事象においても薬物が、所望の効果を達成するのに有効である時間に必要とされる身体の領域における薬物レベルを確立するその量である。
【００８１】
本発明の実施には、特記されない限り、化学、分子生物学、微生物学、組換えＤＮＡ、遺伝子学、免疫学、細胞生物学、細胞培養およびトランスジェニックバイオロジーを使用し、それらは当該技術分野の技量内にある。例えば、Ｍａｎｉａｔｉｓら、１９８２；Ｓａｍｂｒｏｏｋら、１９８９；Ａｕｓｕｂｅｌら、１９９２；Ｇｌｏｖｅｒ、１９８５；Ａｎａｎｄ、１９９２；ＧｕｔｈｒｉｅおよびＦｉｎｋ、１９９１；ＨａｒｌｏｗおよびＬａｎｅ、１９８８；ＪａｋｏｂｙおよびＰａｓｔａｎ、１９７９；Ｎｕｃｌｅｉｃ Ａｃｉｄ Ｈｙｂｒｉｄｉｚａｔｉｏｎ（Ｂ． Ｄ． ＨａｍｅｓおよびＳ． Ｊ． Ｈｉｇｇｉｎｓ編 １９８４）；Ｔｒａｎｓｃｒｉｐｔｉｏｎ Ａｎｄ Ｔｒａｎｓｌａｔｉｏｎ（Ｂ． Ｄ． ＨａｍｅｓおよびＳ． Ｊ． Ｈｉｇｇｉｎｓ編 １９８４）；Ｃｕｌｔｕｒｅ Ｏｆ Ａｎｉｍａｌ Ｃｅｌｌｓ（Ｒ． Ｉ． Ｆｒｅｓｈｎｅｙ、Ａｌａｎ Ｒ． Ｌｉｓｓ、Ｉｎｃ．、１９８７）；Ｉｍｍｏｂｉｌｉｚｅｄ Ｃｅｌｌｓ Ａｎｄ Ｅｎｚｙｍｅｓ（ＩＲＬ Ｐｒｅｓｓ、１９８６）；Ｂ． Ｐｅｒｂａｌ、Ａ Ｐｒａｃｔｉｃａｌ Ｇｕｉｄｅ Ｔｏ Ｍｏｌｅｃｕｌａｒ Ｃｌｏｎｉｎｇ（１９８４）；論文、Ｍｅｔｈｏｄｓ Ｉｎ Ｅｎｚｙｍｏｌｏｇｙ（Ａｃａｄｅｍｉｃ Ｐｒｅｓｓ、Ｉｎｃ．、Ｎ．Ｙ．）；Ｇｅｎｅ Ｔｒａｎｓｆｅｒ Ｖｅｃｔｏｒｓ Ｆｏｒ Ｍａｍｍａｌｉａｎ Ｃｅｌｌｓ（Ｊ． Ｈ． ＭｉｌｌｅｒおよびＭ． Ｐ． Ｃａｌｏｓ編、１９８７、Ｃｏｌｄ Ｓｐｒｉｎｇ Ｈａｒｂｏｒ Ｌａｂｏｒａｔｏｒｙ）；Ｍｅｔｈｏｄｓ Ｉｎ Ｅｎｚｙｍｏｌｏｇｙ、第１５４および１５５巻（Ｗｕら編）、Ｉｍｍｕｎｏｃｈｅｍｉｃａｌ Ｍｅｔｈｏｄｓ Ｉｎ Ｃｅｌｌ Ａｎｄ Ｍｏｌｅｃｕｌａｒ Ｂｉｏｌｏｇｙ（ＭａｙｅｒおよびＷａｌｋｅｒ編、Ａｃａｄｅｍｉｃ Ｐｒｅｓｓ、Ｌｏｎｄｏｎ、１９８７）；Ｈａｎｄｂｏｏｋ Ｏｆ Ｅｘｐｅｒｉｍｅｎｔａｌ Ｉｍｍｕｎｏｌｏｇｙ、第Ｉ−ＩＶ巻（Ｄ． Ｍ． ＷｅｉｒおよびＣ． Ｃ． Ｂｌａｃｋｗｅｌｌ編、１９８６）；Ｒｉｏｔｔ、Ｅｓｓｅｎｔｉａｌ Ｉｍｍｕｎｏｌｏｇｙ、第６版、Ｂｌａｃｋｗｅｌｌ Ｓｃｉｅｎｔｉｆｉｃ Ｐｕｂｌｉｃａｔｉｏｎｓ、Ｏｘｆｏｒｄ、１９８８；Ｈｏｇａｎら、Ｍａｎｉｐｕｌａｔｉｎｇ ｔｈｅ Ｍｏｕｓｅ Ｅｍｂｒｙｏ、（Ｃｏｌｄ Ｓｐｒｉｎｇ Ｈａｒｂｏｒ Ｌａｂｏｒａｔｏｒｙ Ｐｒｅｓｓ、Ｃｏｌｄ Ｓｐｒｉｎｇ Ｈａｒｂｏｒ、Ｎ．Ｙ．、１９８６）参照。
【００８２】
実施例
本発明を以下の実施例に参照することによって説明するが、それは例示的な方法によって提供するもので、如何なる場合においても本発明を限定することを意図するものではない。当該技術分野でよく知られている標準的な技術、または以下に特記される技術を利用した。
【００８３】
実施例１
μ−コノペプチドの単離
毒液管から粗製毒液を抽出し（Ｃｒｕｚら、１９７６）、従前に記載されているごとく成分を精製した（Ｃａｒｔｉｅｒら、１９９６）。毒液管からの粗製抽出物を、ＶｙｄａｃＣ１８半分取用カラム（１０×２５０ｍｍ）を用いる逆相液体クロマトグラフィー（ＲＰＬＣ）によって精製した。生物活性ピークのさらなる精製は、ＶｙｄａｃＣ１８分析用カラム（４．６×２２０ｍｍ）にて行った。流出物は２２０ｍｍでモニターした。ピークを収集し、そのアリコートを活性につきアッセイした。精製中に、ＨＰＬＣ画分をマウスへの脳室内（ｉ．ｃ．ｖ．）注入によりアッセイした（Ｃｌａｒｋら、１９８１）。
【００８４】
精製ペプチドのアミノ酸配列は、標準的な方法によって決定した。１２０Ａ アナライザを備えたＡｐｐｌｉｅｄ Ｂｉｏｓｙｓｔｅｍｓ ４７７Ａタンパク質シークエンサー（ＤＮＡ／Ｐｅｐｔｉｄｅ Ｆａｃｉｌｉｔｙ，Ｕｎｉｖｅｒｓｉｔｙ ｏｆ Ｕｔａｈ）上の自動エドマン分解によって配列決定する前に、精製したペプチドを還元し、アルキル化した（Ｍａｒｔｉｎｅｚら、１９９５；Ｓｈｏｎら、１９９４）。
【００８５】
本方法により、表１に「単離」ごとく記載されたμ−コノペプチドを得た。これらのμ−コノペプチド、ならびに表１に記載された他のμ−コノペプチドおよびμ−コノペプチド前駆体を米国特許第５，６７０，６２２号に記載されたごとく合成する。
【００８６】
実施例２
μ−コノペプチドをコードするＤＮＡの単離
μ−コノペプチドをコードするＤＮＡは、Ｏｌｉｖｅｒａら（１９９６）に記載されているごとき、当該技術分野でよく知られている一般的手法を用いる慣用技術に従って単離およびクローン化した。別法として、ｃＤＮＡライブラリーは、慣用技術を用いてコーヌス毒液管から調製した。単一クローンからのＤＮＡは、Ｍ１３ユニバーサル・プライミング部位およびＭ１３リバース・ユニバーサル・プライミング部位にほぼ対応するプライマーを用いる慣用技術によって増幅させた。ほぼ３００〜５００ヌクレオチドのサイズを有するクローンを配列決定し、既知のμ−コノペプチドに対する配列中の類似性につきスクリーニングした。ＤＮＡ配列およびコードされたプロペプチド配列を表１に記載する。また、成熟毒素をコードするＤＮＡ配列は、表１に記載されたＤＮＡ配列に基づいて調製できる。本発明のμ−コノペプチドの整列を表２に記載する。
【００８７】
表１
μ−コノペプチドおよび前駆体のＤＮＡおよびアミノ酸配列
名称：  Ａｒ３．１
種：  ａｒｅｎａｔｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＣＴＴＧＡＣＣＡＴＣＴＧＴＡＴＧＣＴＴＣＴＧＴＴＴＣＣＣＣＴＴＡＣＴＧＣＴＣＴＴＣＣＧＣＴＧＧＡＴＧＧＧＧＡＴＣＡＡＣＣＴＧＣＡＧＡＣＣＧＡＣＣＴＧＣＡＧＡＧＣＧＴＡＴＧＣＡＧＧＡＣＧＡＣＴＴＴＡＴＡＡＣＴＧＡＧＣＡＴＣＡＴＣＣＣＣＴＧＴＴＴＧＡＴＣＣＴＧＴＣＡＡＡＣＧＧＴＧＴＴＧＣＧＡＧＡＧＧＣＣＡＴＧＣＡＡＣＡＴＡＧＧＡＴＧＣＧＴＡＣＣＴＴＧＴＴＧＴＴＡＡＴＧＡＣＣＡＧＣＴＴＴＧＴＣＡＴＣＧＣＧＧＣＣＴＣＡＴＣＡＡＧＣＧＡＡＴＡＡＧＴＡＡＡＡＣＧＡＴＴＧＣＡＧＴ（配列番号：１）
翻訳：
ＭＭＳＫＬＧＶＦＬＴＩＣＭＬＬＦＰＬＴＡＬＰＬＤＧＤＱＰＡＤＲＰＡＥＲＭＱＤＤＦＩＴＥＨＨＰＬＦＤＰＶＫＲＣＣＥＲＰＣＮＩＧＣＶＰＣＣ（配列番号：２）
毒素配列：
Ｃｙｓ−Ｃｙｓ−Ｘａａ１−Ａｒｇ−Ｘａａ３−Ｃｙｓ−Ａｓｎ−Ｉｌｅ−Ｇｌｙ−Ｃｙｓ−Ｖａｌ−Ｘａａ３−Ｃｙｓ−Ｃｙｓ−＾（配列番号：３）
【００８８】
名称：  Ａｋ３．１
種：  ａｔｌａｎｔｉｃｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＡＣＴＴＡＣＴＧＣＴＣＴＴＣＣＧＣＴＧＧＡＴＧＡＡＧＡＴＣＡＡＣＣＧＧＴＡＣＡＣＣＧＡＣＣＴＧＣＡＧＡＧＣＧＴＡＴＧＣＡＧＧＡＣＡＴＴＴＣＡＴＣＴＧＡＴＣＡＡＣＡＴＣＴＣＴＴＣＴＴＴＧＡＴＣＴＣＡＴＣＡＡＡＣＧＧＴＧＣＴＧＣＧＡＧＴＴＧＣＣＡＴＧＣＧＧＧＣＣＡＧＧＣＴＴＴＴＧＣＧＴＣＣＣＴＴＧＴＴＧＣＴＧＡＣＡＴＣＡＡＴＡＡＣＧＴＧＴＴＧＡＴＧＡＣＣＡＡＣＴＴＴＣＴＣＧＡＧ（配列番号：４）
翻訳：
ＧＳＭＭＳＫＬＧＶＬＬＴＩＣＬＬＬＦＰＬＴＡＬＰＬＤＥＤＱＰＶＨＲＰＡＥＲＭＱＤＩＳＳＤＱＨＬＦＦＤＬＩＫＲＣＣＥＬＰＣＧＰＧＦＣＶＰＣＣ（配列番号：５）
毒素配列：
Ｃｙｓ−Ｃｙｓ−Ｘａａ１−Ｌｅｕ−Ｘａａ３−Ｃｙｓ−Ｇｌｙ−Ｘａａ３−Ｇｌｙ−Ｐｈｅ−Ｃｙｓ−Ｖａｌ−Ｘａａ３−Ｃｙｓ−Ｃｙｓ−＾（配列番号：６）
【００８９】
名称：  Ａ３．１
種：  ａｕｒｉｓｉａｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＴＴＧＣＴＴＣＴＧＴＴＴＣＣＣＣＴＴＡＣＴＧＣＴＣＴＴＣＣＧＡＴＧＧＡＴＧＧＡＧＡＴＣＡＡＴＣＴＧＴＡＧＡＣＣＧＡＣＣＴＧＡＡＧＡＧＣＧＴＡＴＧＣＡＧＧＡＣＧＡＣＡＴＴＴＣＡＴＣＴＧＡＧＣＡＧＣＡＴＣＣＣＴＴＧＴＴＴＡＡＴＣＡＧＡＡＡＡＧＡＡＴＧＴＧＴＴＧＣＧＧＣＧＡＡＧＧＣＣＧＧＡＡＡＴＧＣＣＣＣＡＧＣＴＡＴＴＴＣＡＧＡＡＡＣＡＧＴＣＡＧＡＴＴＴＧＴＣＡＴＴＧＴＴＧＴＴＡＡＡＴＧＡＣＡＡＣＧＴＧＴＣＧＡＴＧＡＣＣＡＡＣＴＴＣＧＴＴＡＴＣＡＣＧＡＣＴＡＡＴＧＡＡＴＡＡＧＴＡＡＡＡＣＧＡＴＴＧＣＡＧＴ（配列番号：７）
翻訳：
ＭＭＳＫＬＧＶＬＬＴＩＣＬＬＬＦＰＬＴＡＬＰＭＤＧＤＱＳＶＤＲＰＥＥＲＭＱＤＤＩＳＳＥＱＨＰＬＦＮＱＫＲＭＣＣＧＥＧＲＫＣＰＳＹＦＲＮＳＱＩＣＨＣＣ（配列番号：８）
毒素配列：
Ｍｅｔ−Ｃｙｓ−Ｃｙｓ−Ｇｌｙ−Ｘａａ１−Ｇｌｙ−Ａｒｇ−Ｌｙｓ−Ｃｙｓ−Ｘａａ３−Ｓｅｒ−Ｘａａ５−Ｐｈｅ−Ａｒｇ−Ａｓｎ−Ｓｅｒ−Ｇｌｎ−Ｉｌｅ−Ｃｙｓ−Ｈｉｓ−Ｃｙｓ−Ｃｙｓ−＾（配列番号：９）
【００９０】
名称：  Ａ３．２
種：  ａｕｒｉｓｉａｃｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＴＴＧＣＴＴＣＴＧＴＴＴＣＣＣＣＴＴＡＣＴＧＣＴＣＴＴＣＣＧＡＴＣＧＡＴＧＧＡＧＡＴＣＡＡＴＣＴＧＴＡＧＡＣＣＧＡＣＣＴＧＣＡＧＡＧＣＧＴＡＴＧＣＡＧＧＡＴＧＡＣＡＴＴＴＣＡＴＣＴＧＡＧＣＡＧＣＡＴＣＧＣＴＴＧＴＴＣＡＡＴＣＡＧＡＡＡＡＧＡＡＧＧＴＧＣＴＧＣＣＧＧＴＧＧＣＣＡＴＧＣＣＣＣＣＧＡＣＡＡＡＴＣＧＡＣＧＧＴＧＡＡＴＡＴＴＧＴＧＧＣＴＧＴＴＧＣＣＴＴＧＧＡＴＧＡＴＡＡＣＣＧＴＧＴＴＧＡＴＧＡＣＣＡＡＣＴＴＴＣＴＣＧＡＧ（配列番号：１０）
翻訳：
ＧＳＭＭＳＫＬＧＶＬＬＴＩＣＬＬＬＦＰＬＴＡＬＰＩＤＧＤＱＳＶＤＲＰＡＥＲＭＱＤＤＩＳＳＥＱＨＲＬＦＮＱＫＲＲＣＣＲＷＰＣＰＲＱＩＤＧＥＹＣＧＣＣＬＧ（配列番号：１１）
毒素配列：
Ｃｙｓ−Ｃｙｓ−Ａｒｇ−Ｘａａ４−Ｘａａ３−Ｃｙｓ−Ｘａａ３−Ａｒｇ−Ｇｌｎ−Ｉｌｅ−Ａｓｐ−Ｇｌｙ−Ｘａａ１−Ｘａａ５−Ｃｙｓ−Ｇｌｙ−Ｃｙｓ−Ｃｙｓ−Ｌｅｕ−＃（配列番号：１２）
【００９１】
名称：  Ａ３．３
種：  ａｕｒｉｓｉａｃｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＣＣＣＣＴＴＡＣＴＧＣＴＴＴＴＣＣＧＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＡＣＴＧＧＧＡＡＧＡＡＧＧＧＧＴＣＡＴＧＣＴＣＣＧＧＣＡＡＡＧＣＡＴＧＣＡＡＡＡＡＴＣＴＣＡＡＡＴＧＴＴＧＣＴＣＴＧＧＡＣＧＡＴＡＡＣＧＴＧＴＴＧＡＴＧＡＣＣＡＡＣＴＴＴＣＴＣＧＡＧ（配列番号：１３）
翻訳：
ＧＳＭＭＳＫＬＧＶＬＬＴＩＣＬＬＬＦＰＬＴＡＦＰＭＤＧＤＱＰＡＤＱＰＡＤＲＭＱＤＤＩＳＳＥＱＹＰＬＦＤＫＲＱＫＣＣＴＧＫＫＧＳＣＳＧＫＡＣＫＮＬＫＣＣＳＧＲ（配列番号：１４）
毒素配列：
Ｘａａ２−Ｌｙｓ−Ｃｙｓ−Ｃｙｓ−Ｔｈｒ−Ｇｌｙ−Ｌｙｓ−Ｌｙｓ−Ｇｌｙ−Ｓｅｒ−Ｃｙｓ−Ｓｅｒ−Ｇｌｙ−Ｌｙｓ−Ａｌａ−Ｃｙｓ−Ｌｙｓ−Ａｓｎ−Ｌｅｕ−Ｌｙｓ−Ｃｙｓ−Ｃｙｓ−Ｓｅｒ−＃（配列番号：１５）
【００９２】
名称：  Ａ３．４
種：  ａｕｒｉｓｉａｃｕｓ
クローニング：  はい
ＤＮＡ配列：
ＧＧＡＴＣＣＡＴＧＡＴＧＴＣＴＡＡＡＣＴＧＧＧＡＧＴＣＴＴＧＣＴＧＡＣＣＡＴＣＴＧＴＣＴＧＣＴＴＣＴＧＴＴＴＣＣＡＣＴＴＡＣＴＧＣＴＧＴＴＣＣＧＣＴＧＧＡＴＧＧＡＧＡＴＣＡＡＣＣＴＣＴＡＧＡＣＣＧＡＣＡＣＧＣＧＧＡＧＣＧＴＡＴＧＣＡＴＧＡＴＧＧＣＡＴＴＴＣＡＣＣＴＡＡＡＣＧＣＣＡＴＣＣＣＴＧＧＴＴＴＧＡＴＣＣＣＧＴＣＡＡＡＣＧＧＴＧＴＴＧＣＡＡＧＧＴＧＣＡＡＴＧＣＧＡＧＴＣＴＴＧＣＡＣＣＣＣＴＴＧＴＴＧＣＴＡＡＣＧＴＧＴＴＧＡＴＧＡＣＣＡＡＣＴＴＴＣＴＣＧＡＧ（配列番号：１６）
翻訳：
ＧＳＭＭＳＫＬＧＶＬＬＴＩＣＬＬＬＦＰＬＴＡＶＰＬＤＧＤＱＰＬＤＲＨＡＥＲＭＨＤＧＩＳＰＫＲＨＰＷＦＤＰＶＫＲＣＣＫＶＱＣＥＳＣＴＰＣＣ（配列番号：１７）
毒素配列：
Ｃｙｓ−Ｃｙｓ−Ｌｙｓ−Ｖａｌ−Ｇｌｎ−Ｃｙｓ−Ｘａａ１−Ｓｅｒ−Ｃｙｓ−Ｔｈｒ−Ｘａａ３−Ｃｙｓ−Ｃｙｓ−＾（配列番号：１８）
【００９３】
名称：  Ｂｎ３．１
種：  ｂａｎｄａｎｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＡＴＧＣＴＴＣＴＧＴＴＴＣＣＣＣＴＣＡＣＴＧＣＴＣＴＴＣＣＧＡＴＧＧＡＴＧＧＡＧＡＴＣＡＡＣＣＴＧＣＡＧＡＣＣＧＡＣＣＴＧＣＡＧＡＧＣＧＴＡＧＴＣＡＧＧＡＣＧＴＴＴＣＡＴＣＴＧＡＡＣＡＧＣＡＴＣＣＣＴＴＧＴＴＴＧＡＴＣＣＣＧＴＣＡＡＡＣＧＧＴＧＴＴＧＣＡＡＣＴＧＧＣＣＡＴＧＣＴＣＣＡＴＧＧＧＡＴＧＣＡＴＣＣＣＴＴＧＴＴＧＣＴＡＣＴＡＴＴＡＡＴＡＡＣＧＴＧＴＴＧＡＴＧＡＣＣＡＡＣＴＴＴＣＴＣＧＡＧ（配列番号：１９）
翻訳：
ＧＳＭＭＳＫＬＧＶＬＬＴＩＣＭＬＬＦＰＬＴＡＬＰＭＤＧＤＱＰＡＤＲＰＡＥＲＳＱＤＶＳＳＥＱＨＰＬＦＤＰＶＫＲＣＣＮＷＰＣＳＭＧＣＩＰＣＣＹＹ（配列番号：２０）
毒素配列：
Ｃｙｓ−Ｃｙｓ−Ａｓｎ−Ｘａａ４−Ｘａａ３−Ｃｙｓ−Ｓｅｒ−Ｍｅｔ−Ｇｌｙ−Ｃｙｓ−Ｉｌｅ−Ｘａａ３−Ｃｙｓ−Ｃｙｓ−Ｘａａ５−Ｘａａ５−＾（配列番号：２１）
【００９４】
名称：  Ｂｔ３．１
種：  ｂｅｔｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＴＴＣＴＧＴＣＴＧＣＴＴＣＴＧＴＴＴＣＣＣＣＴＧＡＣＴＧＣＴＣＴＴＣＣＧＣＴＧＧＡＴＧＡＡＧＡＴＣＡＡＣＣＴＧＣＡＧＡＣＣＧＡＣＣＴＧＣＡＧＡＧＣＧＴＡＴＧＣＡＧＧＡＣＡＴＴＴＣＡＴＣＴＧＡＡＣＡＧＣＡＴＣＣＣＴＴＧＴＴＴＧＡＴＣＣＣＧＴＣＡＡＡＣＧＧＴＧＴＴＧＣＧＡＡＴＴＧＣＣＡＴＧＣＣＡＴＧＧＡＴＧＣＧＴＣＣＣＴＴＧＴＴＧＣＴＧＧＣＣＴＴＡＡＴＡＡＣＧＴＧＴＧＧＡＴＧＡＣＣＡＡＣＴＧＴＧＴＴＡＴＣＡＣＧＧＣＣＡＣＧＴＣＡＡＧＴＧＴＣＴＡＡＴＧＡＡＴＡＡＧＴＡＡＡＡＴＧＡＴＴＧＣＡＧＴ（配列番号：２２）
翻訳：
ＭＭＳＫＬＧＶＬＬＴＦＣＬＬＬＦＰＬＴＡＬＰＬＤＥＤＱＰＡＤＲＰＡＥＲＭＱＤＩＳＳＥＱＨＰＬＦＤＰＶＫＲＣＣＥＬＰＣＨＧＣＶＰＣＣＷＰ（配列番号：２３）
毒素配列：
Ｃｙｓ−Ｃｙｓ−Ｘａａ１−Ｌｅｕ−Ｘａａ３−Ｃｙｓ−Ｈｉｓ−Ｇｌｙ−Ｃｙｓ−Ｖａｌ−Ｘａａ３−Ｃｙｓ−Ｃｙｓ−Ｘａａ４−Ｘａａ３−＾（配列番号：２４）
【００９５】
名称：  Ｂｔ３．２
種：  ｂｅｔｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＴＴＣＴＧＴＣＴＧＣＴＴＣＴＧＴＴＴＣＣＣＣＴＧＡＣＴＧＣＴＣＴＴＣＣＧＣＴＧＧＡＴＧＡＡＧＡＴＣＡＡＣＣＴＧＣＡＧＡＣＣＧＡＣＡＴＧＣＡＧＡＧＣＧＴＡＴＧＣＡＧＧＡＣＡＴＴＴＣＡＣＣＴＧＡＡＣＡＧＣＡＴＣＣＣＴＣＧＴＴＴＧＡＴＣＣＣＧＴＣＡＡＡＣＧＧＴＧＴＴＧＣＧＧＧＣＴＧＣＣＡＴＧＣＡＡＴＧＧＡＴＧＣＧＴＣＣＣＴＴＧＴＴＧＣＴＧＧＣＣＴＴＣＡＴＡＡＣＧＴＧＴＧＧＡＣＧＡＣＣＡＡＣＴＴＴＧＴＴＡＴＣＡＣＧＧＣＣＡＣＧＴＣＡＡＧＴＧＴＣＴＧＡＴＧＡＡＴＡＡＧＴＡＡＡＡＣＧＡＴＴＧＣＡＧＴ（配列番号：２５）
翻訳：
ＭＭＳＫＬＧＶＬＬＴＦＣＬＬＬＦＰＬＴＡＬＰＬＤＥＤＱＰＡＤＲＨＡＥＲＭＱＤＩＳＰＥＱＨＰＳＦＤＰＶＫＲＣＣＧＬＰＣＮＧＣＶＰＣＣＷＰＳ（配列番号：２６）
毒素配列：
Ｃｙｓ−Ｃｙｓ−Ｇｌｙ−Ｌｅｕ−Ｘａａ３−Ｃｙｓ−Ａｓｎ−Ｇｌｙ−Ｃｙｓ−Ｖａｌ−Ｘａａ３−Ｃｙｓ−Ｃｙｓ−Ｘａａ４−Ｘａａ３−Ｓｅｒ−＾（配列番号：２７）
−−−−−−−−−−−−−−−−−−−−−−−−−−−−−−−
名称：  Ｂｔ３．３
種：  ｂｅｔｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＴＴＡＡＡＣＴＧＧＧＡＧＴＣＴＴＧＴＴＧＡＣＣＡＴＣＴＡＴＡＴＧＣＴＴＣＴＧＴＴＴＣＣＣＴＴＴＡＣＴＧＣＴＣＴＴＣＣＧＣＴＧＧＡＴＧＧＡＧＡＴＣＡＡＣＣＴＧＣＡＧＡＣＣＡＡＣＣＴＣＴＡＧＡＧＣＧＣＡＴＧＣＡＧＴＡＴＧＡＣＡＴＧＴＴＡＣＧＴＧＣＡＧＴＧＡＡＴＣＣＣＴＧＧＴＴＴＧＡＴＣＣＣＧＴＣＡＡＡＡＧＧＴＧＣＴＧＣＴＣＧＡＧＧＡＡＣＴＧＣＧＣＡＧＴＡＴＧＣＡＴＣＣＣＴＴＧＴＴＧＣＣＣＧＡＡＴＴＧＧＣＣＡＧＣＴＴＧＡＴＴＡＴＣＧＣＧＧＣＣＡＡＧＡＧＴＣＴＡＡＴＧＡＡＴＡＡＧＴＡＡＡＡＣＧＡＴＴＧＣＡＧＴ（配列番号：２８）
翻訳：
ＭＭＦＫＬＧＶＬＬＴＩＹＭＬＬＦＰＦＴＡＬＰＬＤＧＤＱＰＡＤＱＰＬＥＲＭＱＹＤＭＬＲＡＶＮＰＷＦＤＰＶＫＲＣＣＳＲＮＣＡＶＣＩＰＣＣＰＮＷＰＡ（配列番号：２９）
毒素配列：
Ｃｙｓ−Ｃｙｓ−Ｓｅｒ−Ａｒｇ−Ａｓｎ−Ｃｙｓ−Ａｌａ−Ｖａｌ−Ｃｙｓ−Ｉｌｅ−Ｘａａ３−Ｃｙｓ−Ｃｙｓ−Ｘａａ３−Ａｓｎ−Ｘａａ４−Ｘａａ３−Ａｌａ−＾（配列番号：３０）
【００９６】
名称：  Ｂｕ３．１
種：  ｂｕｌｌａｔｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＴＴＴＧＣＴＣＴＴＣＣＧＣＡＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＧＣＡＧＡＡＴＴＣＣＴＴＧＣＴＴＧＡＧＡＡＧＡＧＡＧＴＴＡＣＴＧＡＣＡＧＧＴＧＣＴＧＣＡＡＡＧＧＧＡＡＧＡＧＧＧＡＡＴＧＣＧＧＣＡＧＡＴＧＧＴＧＣＡＧＡＧＡＴＣＡＣＴＣＧＣＧＴＴＧＴＴＧＣＧＧＴＣＧＡＣＧＡＴＡＡＧＣＴＧＴＴＧＡＴＧＡＣＣＡＧＣＴＴＴＧＴＴＡＴＣＡＣＧＧＣＴＡＣＡＴＣＡＡＧＴＧＴＣＴＡＧＴＧＡＡＴＡＡＧＴＡＡＡＡＴＧＡＴＴＧＣＡＧＴ（配列番号：３１）
翻訳：
ＭＭＳＫＬＧＶＬＬＴＩＣＬＬＬＦＰＬＦＡＬＰＱＤＧＤＱＰＡＤＲＰＡＥＲＭＱＤＤＩＳＳＥＱＮＳＬＬＥＫＲＶＴＤＲＣＣＫＧＫＲＥＣＧＲＷＣＲＤＨＳＲＣＣＧＲＲ（配列番号：３２）
毒素配列：
Ｖａｌ−Ｔｈｒ−Ａｓｐ−Ａｒｇ−Ｃｙｓ−Ｃｙｓ−Ｌｙｓ−Ｇｌｙ−Ｌｙｓ−Ａｒｇ−Ｘａａ１−Ｃｙｓ−Ｇｌｙ−Ａｒｇ−Ｘａａ４−Ｃｙｓ−Ａｒｇ−Ａｓｐ−Ｈｉｓ−Ｓｅｒ−Ａｒｇ−Ｃｙｓ−Ｃｙｓ−＃（配列番号：３３）
【００９７】
名称：  Ｂｕ３．１Ａ
種：  ｂｕｌｌａｔｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＴＴＴＧＣＴＣＴＴＣＧＧＣＡＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＴＧＡＣＡＴＴＴＣＡＴＣＴＧＡＧＣＡＧＡＡＴＣＣＣＴＴＧＣＴＴＧＡＧＡＡＧＡＧＡＧＴＴＧＧＴＧＡＣＡＧＧＴＧＣＴＧＣＡＡＡＧＧＧＡＡＧＡＧＧＧＧＧＴＧＣＧＧＣＡＧＡＴＧＧＴＧＣＡＧＡＧＡＴＣＡＣＴＣＡＣＧＴＴＧＴＴＧＣＧＧＴＣＧＡＣＧＡＴＡＡＣＧＴＧＴＴＧＡＴＧＡＣＣＡＧＣＴＴＴＧＴＴＡＴＣＡＣＧＧＣＴＡＣＡＴＣＡＡＧＴＧＴＣＴＴＡＧＴＧＡＴＴＡＡＧＴＡＡＡＡＣＧＡＴＴＧＣＡＧＴ（配列番号：３４）
翻訳：
ＭＭＳＫＬＧＶＬＬＴＩＣＬＬＬＦＰＬＦＡＬＲＱＤＧＤＱＰＡＤＲＰＡＥＲＭＱＤＤＩＳＳＥＱＮＰＬＬＥＫＲＶＧＤＲＣＣＫＧＫＲＧＣＧＲＷＣＲＤＨＳＲＣＣＧＲＲ（配列番号：３５）
毒素配列：
Ｖａｌ−Ｇｌｙ−Ａｓｐ−Ａｒｇ−Ｃｙｓ−Ｃｙｓ−Ｌｙｓ−Ｇｌｙ−Ｌｙｓ−Ａｒｇ−Ｇｌｙ−Ｃｙｓ−Ｇｌｙ−Ａｒｇ−Ｘａａ４−Ｃｙｓ−Ａｒｇ−Ａｓｐ−Ｈｉｓ−Ｓｅｒ−Ａｒｇ−Ｃｙｓ−Ｃｙｓ−＃（配列番号：３６）
【００９８】
名称：  Ｂｕ３．２
種：  ｂｕｌｌａｔｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＴＴＴＧＣＴＣＴＴＣＣＧＣＡＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＧＣＡＧＡＡＴＣＣＣＴＴＧＣＴＴＧＡＧＡＡＧＡＧＡＧＴＴＧＧＴＧＡＡＡＧＧＴＧＣＴＧＣＡＡＡＡＡＣＧＧＧＡＡＧＡＧＧＧＧＧＴＧＣＧＧＣＡＧＡＴＧＧＴＧＣＡＧＡＧＡＴＣＡＣＴＣＡＣＧＴＴＧＴＴＧＣＧＧＴＣＧＡＣＧＡＴＡＡＣＧＴＧＴＴＧＡＴＧＡＣＣＧＡＧＧＣＴＴＴＣＧＴＴＡＴＣＡＣＧＧＣＴＡＣＡＴＣＡＡＧＴＧＴＣＴＡＧＴＧＡＡＴＡＡＧＴＡＡＡＡＣＧＡＴＴＧＣＡＧＴ（配列番号：３７）
翻訳：
ＭＭＳＫＬＧＶＬＬＴＩＣＬＬＬＦＰＬＦＡＬＰＱＤＧＤＱＰＡＤＲＰＡＥＲＭＱＤＤＩＳＳＥＱＮＰＬＬＥＫＲＶＧＥＲＣＣＫＮＧＫＲＧＣＧＲＷＣＲＤＨＳＲＣＣＧＲＲ（配列番号：３８）
毒素配列：
Ｖａｌ−Ｇｌｙ−Ｘａａ１−Ａｒｇ−Ｃｙｓ−Ｃｙｓ−Ｌｙｓ−Ａｓｎ−Ｇｌｙ−Ｌｙｓ−Ａｒｇ−Ｇｌｙ−Ｃｙｓ−Ｇｌｙ−Ａｒｇ−Ｘａａ４−Ｃｙｓ−Ａｒｇ−Ａｓｐ−Ｈｉｓ−Ｓｅｒ−Ａｒｇ−Ｃｙｓ−Ｃｙｓ−＃（配列番号：３９）
【００９９】
名称：  Ｂｕ３．３
種：  ｂｕｌｌａｔｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＴＴＴＧＣＴＣＴＴＣＣＧＣＡＧＧＡＣＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＣＴＴＴＣＡＴＣＴＧＡＧＣＡＧＣＡＴＣＣＣＴＴＧＴＴＴＧＡＧＡＡＧＡＧＡＡＴＴＧＴＴＧＡＣＡＧＧＴＧＣＴＧＣＡＡＣＡＡＡＧＧＧＡＡＣＧＧＧＡＡＧＡＧＧＧＧＧＴＧＣＡＧＣＡＧＡＴＧＧＴＧＣＡＧＡＧＡＴＣＡＣＴＣＡＣＧＴＴＧＴＴＧＣＧＧＴＣＧＡＣＧＡＴＧＡＡＣＴＧＴＴＧＡＴＧＡＣＣＧＡＧＧＣＴＴＴＧＧＴＴＡＴＣＡＣＧＧＣＴＡＣＡＴＣＡＡＧＴＧＴＣＴＡＧＴＧＡＡＴＡＡＧＴＡＡＡＡＣＧＡＴＴＧＣＡＧＴ（配列番号：４０）
翻訳：
ＭＭＳＫＬＧＶＬＬＴＩＣＬＬＬＦＰＬＦＡＬＰＱＤＧＤＱＰＡＤＲＰＡＥＲＭＱＤＤＬＳＳＥＱＨＰＬＦＥＫＲＩＶＤＲＣＣＮＫＧＮＧＫＲＧＣＳＲＷＣＲＤＨＳＲＣＣＧＲＲ（配列番号：４１）
毒素配列：
Ｉｌｅ−Ｖａｌ−Ａｓｐ−Ａｒｇ−Ｃｙｓ−Ｃｙｓ−Ａｓｎ−Ｌｙｓ−Ｇｌｙ−Ａｓｎ−Ｇｌｙ−Ｌｙｓ−Ａｒｇ−Ｇｌｙ−Ｃｙｓ−Ｓｅｒ−Ａｒｇ−Ｘａａ４−Ｃｙｓ−Ａｒｇ−Ａｓｐ−Ｈｉｓ−Ｓｅｒ−Ａｒｇ−Ｃｙｓ−Ｃｙｓ−＃（配列番号：４２）
【０１００】
名称：  Ｂｕ３．４
種：  ｂｕｌｌａｔｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＴＴＴＧＣＴＣＴＴＣＣＧＣＡＧＧＡＴＧＧＡＧＡＴＣＡＡＣＣＴＧＣＡＧＡＣＣＧＡＣＣＴＧＣＴＧＡＧＣＧＴＡＴＧＣＡＧＧＡＣＧＡＣＡＴＴＴＣＡＴＣＴＧＡＧＣＧＧＡＡＴＣＣＣＴＴＧＴＴＴＧＡＧＡＡＧＡＧＣＧＴＴＧＧＴＴＴＡＴＡＴＴＧＣＴＧＣＣＧＡＣＣＣＡＡＡＣＣＣＡＡＣＧＧＧＣＡＧＡＴＧＡＴＧＴＧＣＧＡＣＡＧＡＴＧＧＴＧＣＧＡＡＡＡＡＡＡＣＴＣＡＣＧＴＴＧＴＴＧＣＧＧＴＣＧＡＣＧＡＴＡＡＴＧＴＧＴＴＧＡＴＧＡＣＣＡＧＣＴＴＴＧＴＴＡＴＣＡＡＧＧＣＴＡＣＡＴＣＡＡＧＴＡＴＣＴＡＧＴＧＡＡＴＡＡＧＴＡＡＡＡＣＧＡＴＴＧＣＡＧＴ（配列番号：４３）
翻訳：
ＭＭＳＫＬＧＶＬＬＴＩＣＬＬＬＦＰＬＦＡＬＰＱＤＧＤＱＰＡＤＲＰＡＥＲＭＱＤＤＩＳＳＥＲＮＰＬＦＥＫＳＶＧＬＹＣＣＲＰＫＰＮＧＱＭＭＣＤＲＷＣＥＫＮＳＲＣＣＧＲＲ（配列番号：４４）
毒素配列：
Ｖａｌ−Ｇｌｙ−Ｌｅｕ−Ｘａａ５−Ｃｙｓ−Ｃｙｓ−Ａｒｇ−Ｘａａ３−Ｌｙｓ−Ｘａａ３−Ａｓｎ−Ｇｌｙ−Ｇｌｎ−Ｍｅｔ−Ｍｅｔ−Ｃｙｓ−Ａｓｐ−Ａｒｇ−Ｘａａ４−Ｃｙｓ−Ｘａａ１−Ｌｙｓ−Ａｓｎ−Ｓｅｒ−Ａｒｇ−Ｃｙｓ−Ｃｙｓ−＃（配列番号：４５）
−−−−−−−−−−−−−−−−−−−−−−−−−−−−−−−
名称：  Ｂｕ３．５
種：  ｂｕｌｌａｔｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＴＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＴＣＴＧＴＡＧＡＣＣＧＡＣＣＴＧＣＡＧＡＡＣＧＴＡＴＧＣＡＧＧＡＣＧＡＣＣＴＴＴＣＡＴＣＴＧＡＧＣＡＧＣＡＴＣＣＣＴＴＧＴＴＴＧＴＴＣＡＧＡＡＡＡＧＡＡＧＧＴＧＴＴＧＣＧＧＣＧＡＡＧＧＣＴＴＧＡＣＡＴＧＣＣＣＣＡＧＡＴＡＴＴＧＧＡＡＡＡＡＣＡＧＴＣＡＧＡＴＴＴＧＴＧＣＴＴＧＴＴＧＴＴＡＡＡＴＧＡＣＡＡＣＧＴＧＴＣＧＡＴＧＡＣＣＡＡＣＴＴＣＧＧＴＡＴＣＡＣＧＡＣＴＡＣＧＣＣＡＡＧＴＧＴＣＴＡＡＴＧＡＡＴＡＡＧＴＡＡＡＡＣＧＡＴＴＧＣＡＧＴ（配列番号：４６）
翻訳：
ＭＭＳＫＬＧＶＬＬＴＩＣＬＬＬＦＰＬＴＡＬＰＭＤＧＤＱＳＶＤＲＰＡＥＲＭＱＤＤＬＳＳＥＱＨＰＬＦＶＱＫＲＲＣＣＧＥＧＬＴＣＰＲＹＷＫＮＳＱＩＣＡＣＣ（配列番号：４７）
毒素配列：
Ａｒｇ−Ｃｙｓ−Ｃｙｓ−Ｇｌｙ−Ｘａａ１−Ｇｌｙ−Ｌｅｕ−Ｔｈｒ−Ｃｙｓ−Ｘａａ３−Ａｒｇ−Ｘａａ５−Ｘａａ４−Ｌｙｓ−Ａｓｎ−Ｓｅｒ−Ｇｌｎ−Ｉｌｅ−Ｃｙｓ−Ａｌａ−Ｃｙｓ−Ｃｙｓ−＾（配列番号：４８）
【０１０１】
名称：  Ｂｕ３．５Ａ
種：  ｂｕｌｌａｔｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＴＴＴＧＣＴＣＴＴＣＣＧＣＡＧＧＡＴＧＧＡＧＡＴＣＡＡＣＣＴＧＣＡＧＡＣＣＧＡＣＣＴＧＣＴＧＡＧＣＧＴＡＴＧＣＡＧＧＡＣＧＡＣＡＴＴＴＣＡＴＣＴＧＡＧＣＡＧＧＡＴＣＣＣＴＴＧＴＴＴＧＴＴＣＡＧＡＡＡＡＧＡＡＧＧＴＧＴＴＧＣＧＧＣＧＡＡＧＧＣＴＴＧＡＣＡＴＧＣＣＣＣＡＧＡＴＡＴＴＧＧＡＡＡＡＡＣＡＧＴＣＡＧＡＴＴＴＧＴＧＣＴＴＧＴＴＧＴＴＡＡＡＴＧＡＣＡＡＣＧＴＧＴＧＡＴＧＡＣＣＡＡＣＴＴＣＧＧＴＡＴＣＡＣＧＡＣＴＡＣＧＣＣＡＡＧＴＧＴＣＴＡＡＴＧＡＡＴＡＡＧＴＡＡＡＡＣＧＡＴＴＧＣＡＧＴ（配列番号：４９）
翻訳：
ＭＭＳＫＬＧＶＬＬＴＩＣＬＬＬＦＰＬＦＡＬＰＱＤＧＤＱＰＡＤＲＰＡＥＲＭＱＤＤＩＳＳＥＱＤＰＬＦＶＱＫＲＲＣＣＧＥＧＬＴＣＰＲＹＷＫＮＳＱＩＣＡＣＣ（配列番号：５０）
毒素配列：
Ａｒｇ−Ｃｙｓ−Ｃｙｓ−Ｇｌｙ−Ｘａａ１−Ｇｌｙ−Ｌｅｕ−Ｔｈｒ−Ｃｙｓ−Ｘａａ３−Ａｒｇ−Ｘａａ５−Ｘａａ４−Ｌｙｓ−Ａｓｎ−Ｓｅｒ−Ｇｌｎ−Ｉｌｅ−Ｃｙｓ−Ａｌａ−Ｃｙｓ−Ｃｙｓ−＾（配列番号：５１）
【０１０２】
名称：  Ｃｐ３．１
種：  ｃａｐｉｔａｎｅｕｓ
クローニング：  はい
ＤＮＡ配列：
ＧＧＡＴＣＣＡＴＧＡＴＧＴＣＴＡＡＡＣＴＧＧＧＡＧＴＣＴＴＧＧＴＧＡＣＣＡＴＣＴＧＣＣＴＧＣＴＴＣＴＧＴＴＴＣＣＣＣＴＴＧＣＴＧＣＴＴＴＴＣＣＡＣＴＧＧＡＴＧＧＡＡＡＴＣＡＡＣＣＴＧＣＡＧＡＣＣＡＣＣＣＴＧＣＡＡＡＧＣＧＴＡＣＧＣＡＡＧＡＴＧＡＣＡＧＴＴＣＡＧＣＴＧＣＣＣＴＧＡＴＣＡＡＴＡＣＣＴＧＧＡＴＴＧＡＴＣＡＴＴＣＣＣＡＴＴＣＴＴＧＣＴＧＣＡＧＧＧＡＣＴＧＣＧＧＴＧＡＡＧＡＴＴＧＴＧＴＴＧＧＴＴＧＴＴＧＣＣＧＧＴＡＡＣＧＴＧＴＴＧＡＴＧＡＣＣＡＡＣＴＴＴＣＴＣＧＡＧ（配列番号：５２）
翻訳：
ＧＳＭＭＳＫＬＧＶＬＶＴＩＣＬＬＬＦＰＬＡＡＦＰＬＤＧＮＱＰＡＤＨＰＡＫＲＴＱＤＤＳＳＡＡＬＩＮＴＷＩＤＨＳＨＳＣＣＲＤＣＧＥＤＣＶＧＣＣＲ（配列番号：５３）
毒素配列：
Ｓｅｒ−Ｃｙｓ−Ｃｙｓ−Ａｒｇ−Ａｓｐ−Ｃｙｓ−Ｇｌｙ−Ｘａａ１−Ａｓｐ−Ｃｙｓ−Ｖａｌ−Ｇｌｙ−Ｃｙｓ−Ｃｙｓ−Ａｒｇ−＾（配列番号：５４）
【０１０３】
名称：  Ｃａ３．１
種：  ｃａｒａｃｔｅｒｉｓｔｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＴＧＡＧＡＡＡＡＡＧＧＴＧＴＴＧＣＧＧＣＣＣＣＧＧＣＧＧＴＴＣＡＴＧＣＣＣＣＧＴＡＴＡＴＴＴＣＡＧＡＧＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＡＣＴＴＣＡＴＴＡＴＣＡＣＧＡＣＴＡＣＧＣＣＡＡＧＴＧＴＣＴＡＡＴＧＡＡＴＡＡＧＴＡＡＡＡＴＧＡＴＴＧＣＡＧＴ（配列番号：５５）
翻訳：
ＭＭＳＫＬＧＶＬＬＴＩＣＬＬＬＦＰＬＴＡＬＰＭＤＧＤＱＰＡＤＱＰＡＤＲＭＱＤＤＩＳＳＥＱＹＰＬＦＤＭＲＫＲＣＣＧＰＧＧＳＣＰＶＹＦＲＤＮＦＩＣＧＣＣ（配列番号：５６）
毒素配列：
Ｃｙｓ−Ｃｙｓ−Ｇｌｙ−Ｘａａ３−Ｇｌｙ−Ｇｌｙ−Ｓｅｒ−Ｃｙｓ−Ｘａａ３−Ｖａｌ−Ｘａａ５−Ｐｈｅ−Ａｒｇ−Ａｓｐ−Ａｓｎ−Ｐｈｅ−Ｉｌｅ−Ｃｙｓ−Ｇｌｙ−Ｃｙｓ−Ｃｙｓ−＾（配列番号：５７）
【０１０４】
名称：  Ｃａ３．２
種：  ｃａｒａｃｔｅｒｉｓｔｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＧＡＡＣＣＴＧＣＡＡＡＣＣＧＡＣＣＴＧＴＣＧＡＧＣＧＴＡＴＧＣＡＧＧＡＣＡＡＣＡＴＴＴＣＡＴＣＴＧＡＧＣＡＧＴＡＴＣＣＣＴＴＧＴＴＴＧＡＧＡＡＧＡＧＡＣＧＡＧＡＴＴＧＴＴＧＣＡＣＴＣＣＧＣＣＧＡＡＧＡＡＡＴＧＣＡＡＡＧＡＣＣＧＡＣＡＡＴＧＣＡＡＡＣＣＣＣＡＧＡＧＡＴＧＴＴＧＣＧＣＴＧＧＡＣＧＡＴＡＡＣＧＴＧＴＴＧＡＴＧＡＣＣＡＡＣＴＴＴＡＴＣＡＣＧＧＣＴＡＣＧＴＣＡＡＧＴＧＴＴＴＡＧＴＧＡＡＴＡＡＧＴＡＡＡＡＴＧＡＴＴＧＣＡＧＴ（配列番号：５８）
翻訳：
ＭＭＳＫＬＧＶＬＬＴＩＣＬＬＬＦＰＬＴＡＬＰＭＤＧＤＥＰＡＮＲＰＶＥＲＭＱＤＮＩＳＳＥＱＹＰＬＦＥＫＲＲＤＣＣＴＰＰＫＫＣＫＤＲＱＣＫＰＱＲＣＣＡＧＲ（配列番号：５９）
毒素配列：
Ａｒｇ−Ａｓｐ−Ｃｙｓ−Ｃｙｓ−Ｔｈｒ−Ｘａａ３−Ｘａａ３−Ｌｙｓ−Ｌｙｓ−Ｃｙｓ−Ｌｙｓ−Ａｓｐ−Ａｒｇ−Ｇｌｎ−Ｃｙｓ−Ｌｙｓ−Ｘａａ３−Ｇｌｎ−Ａｒｇ−Ｃｙｓ−Ｃｙｓ−Ａｌａ−＃（配列番号：６０）
【０１０５】
名称：  Ｃａ３．３
種：  ｃａｒａｃｔｅｒｉｓｔｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＣＴＧＧＡＴＧＧＡＧＡＴＣＡＡＣＣＴＧＣＡＧＡＴＣＡＡＴＣＴＧＣＡＧＡＧＣＧＡＣＣＴＧＣＡＧＡＧＣＧＴＡＣＧＣＡＧＧＡＣＧＡＣＡＴＴＣＡＧＣＡＧＣＡＴＣＣＧＴＴＡＴＡＴＧＡＴＣＣＧＡＡＡＡＧＡＡＧＧＴＧＴＴＧＣＣＧＴＴＡＴＣＣＡＴＧＣＣＣＣＧＡＣＡＧＣＴＧＣＣＡＣＧＧＡＴＣＴＴＧＣＴＧＣＴＡＴＡＡＧＴＧＡＴＡＡＣＡＴＧＴＴＧＡＴＧＧＣＣＡＧＣＴＴＴＧＴＴＡＴＣＡＣＧＧＣＣＡＣＧＴＣＡＡＧＴＧＴＣＴＴＡＡＴＧＡＡＴＡＡＧＴＡＡＡＡＣＧＡＴＴＧＣＡＧＴ（配列番号：６１）
翻訳：
ＭＭＳＫＬＧＶＬＬＴＩＣＬＬＬＦＰＬＴＡＬＰＬＤＧＤＱＰＡＤＱＳＡＥＲＰＡＥＲＴＱＤＤＩＱＱＨＰＬＹＤＰＫＲＲＣＣＲＹＰＣＰＤＳＣＨＧＳＣＣＹＫ（配列番号：６２）
毒素配列：
Ａｒｇ−Ｃｙｓ−Ｃｙｓ−Ａｒｇ−Ｘａａ５−Ｘａａ３−Ｃｙｓ−Ｘａａ３−Ａｓｐ−Ｓｅｒ−Ｃｙｓ−Ｈｉｓ−Ｇｌｙ−Ｓｅｒ−Ｃｙｓ−Ｃｙｓ−Ｘａａ５−Ｌｙｓ−＾（配列番号：６３）
【０１０６】
名称：  Ｃａ３．４
種：  ｃａｒａｃｔｅｒｉｓｔｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＣＡＧＣＧＴＣＴＧＣＡＧＧＡＣＣＧＣＡＴＴＣＣＡＡＣＴＧＡＡＧＡＴＣＡＴＣＣＣＴＴＡＴＴＴＧＡＴＣＣＣＡＡＣＡＡＡＣＧＧＴＧＴＴＧＣＣＣＧＣＣＧＧＴＧＧＣＡＴＧＣＡＡＣＡＴＧＧＧＡＴＧＣＡＡＧＣＣＴＴＧＴＴＧＴＧＧＡＴＧＡＣＣＡＧＣＴＴＴＧＴＴＡＴＣＧＣＧＧＴＣＴＴＣＡＴＧＡＡＧＴＧＴＣＴＴＡＡＴＧＡＡＴＡＡＧＴＡＡＡＡＴＧＡＴＴＧＣＡＧＴ（配列番号：６４）
翻訳：
ＭＭＳＫＬＧＡＬＬＴＩＣＬＬＬＦＳＬＴＡＶＰＬＤＧＤＱＨＡＤＱＰＡＱＲＬＱＤＲＩＰＴＥＤＨＰＬＦＤＰＮＫＲＣＣＰＰＶＡＣＮＭＧＣＫＰＣＣＧ（配列番号：６５）
毒素配列：
Ｃｙｓ−Ｃｙｓ−Ｘａａ３−Ｘａａ３−Ｖａｌ−Ａｌａ−Ｃｙｓ−Ａｓｎ−Ｍｅｔ−Ｇｌｙ−Ｃｙｓ−Ｌｙｓ−Ｘａａ３−Ｃｙｓ−Ｃｙｓ−＃（配列番号：６６）
【０１０７】
名称：  Ｃａ３．５
種：  ｃａｒａｃｔｅｒｉｓｔｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＡＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＴＧＡＣＣＧＣＣＴＴＣＣＡＡＣＴＧＡＡＡＡＴＣＡＴＣＣＣＴＴＡＴＡＴＧＡＴＣＣＣＧＴＣＡＡＡＣＧＧＴＧＴＴＧＣＧＡＴＧＡＴＴＣＧＧＡＡＴＧＣＧＡＣＴＡＴＴＣＴＴＧＣＴＧＧＣＣＴＴＧＣＴＧＴＡＴＧＴＴＴＧＧＡＴＡＡＣＣＴＴＴＧＴＴＡＴＣＧＣＧＧＣＣＴＣＡＴＣＡＡＧＴＧＴＣＴＡＡＴＧＡＡＴＡＡＧＴＡＡＡＡＣＧＡＴＴＧＣＡＧＴ（配列番号：６７）
翻訳：
ＭＭＳＫＬＧＡＬＬＴＩＣＬＬＬＦＳＬＴＡＶＰＬＤＧＤＱＨＡＤＱＰＡＥＲＬＨＤＲＬＰＴＥＮＨＰＬＹＤＰＶＫＲＣＣＤＤＳＥＣＤＹＳＣＷＰＣＣＭＦＧ（配列番号：６８）
毒素配列：
Ｃｙｓ−Ｃｙｓ−Ａｓｐ−Ａｓｐ−Ｓｅｒ−Ｘａａ１−Ｃｙｓ−Ａｓｐ−Ｘａａ５−Ｓｅｒ−Ｃｙｓ−Ｘａａ４−Ｘａａ３−Ｃｙｓ−Ｃｙｓ−Ｍｅｔ−Ｐｈｅ−＃（配列番号：６９）
【０１０８】
名称：  Ｃａ３．６
種：  ｃａｒａｃｔｅｒｉｓｔｉｃｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＧＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＡＧＣＡＧＧＡＣＧＴＴＴＣＡＴＣＴＧＡＡＣＡＧＣＡＴＣＣＣＴＴＣＴＴＴＧＡＴＣＣＣＧＴＣＡＡＡＣＧＧＴＧＴＴＧＣＣＧＣＣＧＧＴＧＴＴＡＣＡＴＧＧＧＡＴＧＣＡＴＣＣＣＴＴＧＴＴＧＣＴＴＴＴＡＡＣＧＴＧＴＴＧＡＴＧＡＣＣＡＡＣＴＴＴＣＴＣＧＡＧ（配列番号：７０）
翻訳：
ＧＳＭＭＳＫＬＧＶＬＬＴＩＣＬＬＬＦＰＬＴＡＶＰＬＤＧＤＱＰＡＤＲＰＡＥＲＫＱＤＶＳＳＥＱＨＰＦＦＤＰＶＫＲＣＣＲＲＣＹＭＧＣＩＰＣＣＦ（配列番号：７１）
毒素配列：
Ｃｙｓ−Ｃｙｓ−Ａｒｇ−Ａｒｇ−Ｃｙｓ−Ｘａａ５−Ｍｅｔ−Ｇｌｙ−Ｃｙｓ−Ｉｌｅ−Ｘａａ３−Ｃｙｓ−Ｃｙｓ−Ｐｈｅ−＾（配列番号：７２）
【０１０９】
名称：  Ｃｒ３．１
種：  ｃｉｒｃｕｍｃｉｓｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＧＧＴＡＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＧＡＡＡＧＴＧＴＴＧＣＧＧＣＡＡＡＧＡＣＧＧＧＣＣＡＴＧＣＣＣＣＡＡＡＴＡＴＴＴＣＡＡＡＧＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＡＣＴＴＣＧＴＴＡＴＣＡＣＧＡＴＴＣＧＣＣＡＡＧＴＧＴＣＴＴＡＡＴＧＡＡＴＡＡＧＴＡＡＡＡＴＧＡＴＴＧＣＡＧＴ（配列番号：７３）
翻訳：
ＭＭＳＫＬＧＶＬＬＴＩＣＬＬＬＦＰＬＴＡＬＰＭＤＧＤＱＰＡＤＱＰＡＤＲＭＱＤＤＩＳＳＥＱＹＰＬＦＤＫＲＲＫＣＣＧＫＤＧＰＣＰＫＹＦＫＤＮＦＩＣＧＣＣ（配列番号：７４）
毒素配列：
Ａｒｇ−Ｌｙｓ−Ｃｙｓ−Ｃｙｓ−Ｇｌｙ−Ｌｙｓ−Ａｓｐ−Ｇｌｙ−Ｘａａ３−Ｃｙｓ−Ｘａａ３−Ｌｙｓ−Ｘａａ５−Ｐｈｅ−Ｌｙｓ−Ａｓｐ−Ａｓｎ−Ｐｈｅ−Ｉｌｅ−Ｃｙｓ−Ｇｌｙ−Ｃｙｓ−Ｃｙｓ−＾（配列番号：７５）
【０１１０】
名称：  Ｄａ３．１
種：  ｄａｌｌｉ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＡＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＧＧＡＣＣＧＣＣＴＴＣＣＡＡＣＴＧＡＡＡＡＴＣＡＴＣＣＣＴＴＡＴＡＴＧＡＴＣＣＣＧＴＣＡＡＡＣＧＧＴＧＴＴＧＣＧＡＴＧＡＴＴＣＧＧＡＡＴＧＣＧＡＣＴＡＴＴＣＴＴＧＣＴＧＧＣＣＴＴＧＣＴＧＴＡＴＴＴＴＡＴＣＡＴＡＡＣＣＴＴＴＧＴＴＡＴＣＧＣＧＧＣＣＴＣＡＴＣＡＡＧＴＧＴＣＡＡＡＴＧＡＡＴＡＡＧＴＡＡＡＡＴＧＡＴＴＧＣＡＧＴ（配列番号：７６）
翻訳：
ＭＭＳＫＬＧＡＬＬＴＩＣＬＬＬＦＳＬＴＡＶＰＬＤＧＤＱＨＡＤＱＰＡＥＲＬＱＤＲＬＰＴＥＮＨＰＬＹＤＰＶＫＲＣＣＤＤＳＥＣＤＹＳＣＷＰＣＣＩＬＳ（配列番号：７７）
毒素配列：
Ｃｙｓ−Ｃｙｓ−Ａｓｐ−Ａｓｐ−Ｓｅｒ−Ｘａａ１−Ｃｙｓ−Ａｓｐ−Ｘａａ５−Ｓｅｒ−Ｃｙｓ−Ｘａａ４−Ｘａａ３−Ｃｙｓ−Ｃｙｓ−Ｉｌｅ−Ｌｅｕ−Ｓｅｒ−＾（配列番号：７８）
【０１１１】
名称：  Ｄａ３．２
種：  ｄａｌｌｉ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＴＴＧＴＣＴＡＣＴＴＣＴＧＴＴＴＣＣＣＣＴＴＡＣＴＧＣＴＧＴＴＣＣＡＣＴＧＧＡＴＧＧＡＧＡＴＣＡＧＣＣＴＧＣＡＧＡＣＣＧＡＣＣＴＧＣＡＧＡＧＣＧＴＡＴＧＣＡＧＧＡＣＧＧＣＡＴＴＴＣＡＴＣＴＧＡＡＣＡＴＣＡＴＣＣＡＴＴＴＴＴＴＧＡＴＴＣＣＧＴＣＡＡＡＡＡＧＡＡＡＣＡＡＣＡＧＴＧＴＴＧＣＣＣＧＣＣＧＧＴＧＧＣＡＴＧＣＡＡＣＡＴＧＧＧＡＴＧＣＧＡＧＣＣＴＴＧＴＴＧＴＧＧＡＴＧＡＣＣＡＧＣＴＴＴＧＴＴＡＴＣＧＣＧＧＣＴＣＡＴＧＡＡＧＴＧＴＣＣＴＡＡＴＧＡＡＴＡＡＧＴＡＡＡＡＣＧＡＴＴＧＣＡＧＴ（配列番号：７９）
翻訳：
ＭＭＳＫＬＧＶＬＬＴＩＣＬＬＬＦＰＬＴＡＶＰＬＤＧＤＱＰＡＤＲＰＡＥＲＭＱＤＧＩＳＳＥＨＨＰＦＦＤＳＶＫＫＫＱＱＣＣＰＰＶＡＣＮＭＧＣＥＰＣＣＧ（配列番号：８０）
毒素配列：
Ｘａａ２−Ｇｌｎ−Ｃｙｓ−Ｃｙｓ−Ｘａａ３−Ｘａａ３−Ｖａｌ−Ａｌａ−Ｃｙｓ−Ａｓｎ−Ｍｅｔ−Ｇｌｙ−Ｃｙｓ−Ｘａａ１−Ｘａａ３−Ｃｙｓ−Ｃｙｓ−＃（配列番号：８１）
【０１１２】
名称：  Ｄａ３．３
種：  ｄａｌｌｉ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＴＣＡＴＡＴＧＴＣＴＡＴＴＴＣＴＧＴＴＴＣＣＣＣＴＴＡＣＴＧＣＴＧＴＴＣＡＧＣＴＣＡＡＴＧＧＡＧＡＴＣＡＧＣＣＴＧＣＡＧＡＣＣＡＡＴＣＴＧＣＡＧＡＧＣＧＴＡＴＧＣＡＧＧＡＣＡＡＡＡＴＴＴＣＡＴＣＴＧＡＡＣＡＴＣＡＴＣＣＣＴＴＴＴＴＴＧＡＴＣＣＣＧＴＣＡＡＡＣＧＴＴＧＴＴＧＣＡＡＣＧＣＧＧＧＧＴＴＴＴＧＣＣＧＣＴＴＣＧＧＡＴＧＣＡＣＧＣＣＴＴＧＴＴＧＴＴＧＧＴＧＡＣＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡＴＧＡＴＴＧＣＡＧＴ（配列番号：８２）
翻訳：
ＭＭＳＫＬＧＶＬＬＩＩＣＬＦＬＦＰＬＴＡＶＱＬＮＧＤＱＰＡＤＱＳＡＥＲＭＱＤＫＩＳＳＥＨＨＰＦＦＤＰＶＫＲＣＣＮＡＧＦＣＲＦＧＣＴＰＣＣＷ（配列番号：８３）
毒素配列：
Ｃｙｓ−Ｃｙｓ−Ａｓｎ−Ａｌａ−Ｇｌｙ−Ｐｈｅ−Ｃｙｓ−Ａｒｇ−Ｐｈｅ−Ｇｌｙ−Ｃｙｓ−Ｔｈｒ−Ｘａａ３−Ｃｙｓ−Ｃｙｓ−Ｘａａ４−＾（配列番号：８４）
【０１１３】
名称：  Ｄｉ３．１
種：  ｄｉｓｔａｎｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＣＴＧＡＣＣＡＴＣＴＴＴＣＴＧＣＴＴＣＴＧＴＴＴＣＣＣＣＴＴＡＣＴＧＣＴＧＴＴＣＣＧＣＴＧＧＡＴＧＧＡＧＡＴＣＡＡＣＣＣＧＣＡＧＡＣＧＧＡＣＴＴＧＣＡＧＡＧＣＧＣＡＴＧＣＡＧＧＡＣＧＡＣＡＧＴＴＣＡＧＣＴＧＣＡＣＴＧＡＴＴＡＧＡＧＡＣＴＧＧＣＴＴＣＴＴＣＡＡＡＣＣＣＧＡＣＡＧＴＧＴＴＧＴＧＴＧＣＡＴＣＣＡＴＧＣＣＣＡＴＧＣＡＣＧＣＣＴＴＧＣＴＧＴＡＧＡＴＧＡＣＣＡＧＣＴＴＴＧＴＣＡＴＣＧＣＧＧＣＴＡＣＧＴＣＡＡＧＴＡＴＣＴＡＡＴＧＡＡＴＡＡＧＴＡＡＧＴＡＡＡＡＣＧＡＴＴＧＣＡＧＴ（配列番号：８５）
翻訳：
ＭＭＳＫＬＧＶＬＬＴＩＦＬＬＬＦＰＬＴＡＶＰＬＤＧＤＱＰＡＤＧＬＡＥＲＭＱＤＤＳＳＡＡＬＩＲＤＷＬＬＱＴＲＱＣＣＶＨＰＣＰＣＴＰＣＣＲ（配列番号：８６）
毒素配列：
Ｘａａ２−Ｃｙｓ−Ｃｙｓ−Ｖａｌ−Ｈｉｓ−Ｘａａ３−Ｃｙｓ−Ｘａａ３−Ｃｙｓ−Ｔｈｒ−Ｘａａ３−Ｃｙｓ−Ｃｙｓ−Ａｒｇ−＾（配列番号：８７）
【０１１４】
名称：  Ｅ３．１
種：  ｅｒｍｉｎｅｕｓ
クローニング：  はい
ＤＮＡ配列：
ＡＣＣＴＣＡＡＧＡＧＧＧＡＴＣＧＡＴＣＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＧＣＴＴＣＴＧＴＴＴＣＣＣＡＴＴＡＣＴＧＣＴＣＴＴＣＴＧＡＴＧＧＡＴＧＧＡＧＡＴＣＡＧＣＣＴＧＣＡＧＡＣＣＧＡＣＣＴＧＣＡＧＡＧＣＧＴＡＣＧＧＡＧＧＡＴＧＡＣＡＴＴＴＣＡＴＣＴＧＡＣＴＡＣＡＴＴＣＣＣＴＧＴＴＧＣＡＧＴＴＧＧＣＣＡＴＧＣＣＣＣＣＧＡＴＡＣＴＣＣＡＡＣＧＧＴＡＡＡＣＴＴＧＴＴＴＧＴＴＴＴＴＧＴＴＧＣＣＴＴＧＧＡＴＧＡＴＡＡＴＧＴＧＴＴＧＡＴＧＡＣＣＡＡＣＴＴＴＧＴＴＡＴＣＡＣＧＧＣＴＡＣＧＴＣＡＡＧＴＧＴＣＴＡＣＴＧＡＡＴＡＡＧＴＡＡＡＡＴＧＡＴＴＧＣＡＧＴＡ（配列番号：８８）
翻訳：
ＭＭＳＫＬＧＡＬＬＴＩＣＬＬＬＦＰＩＴＡＬＬＭＤＧＤＱＰＡＤＲＰＡＥＲＴＥＤＤＩＳＳＤＹＩＰＣＣＳＷＰＣＰＲＹＳＮＧＫＬＶＣＦＣＣＬＧ（配列番号：８９）
毒素配列：
Ｃｙｓ−Ｃｙｓ−Ｓｅｒ−Ｘａａ４−Ｘａａ３−Ｃｙｓ−Ｘａａ３−Ａｒｇ−Ｘａａ５−Ｓｅｒ−Ａｓｎ−Ｇｌｙ−Ｌｙｓ−Ｌｅｕ−Ｖａｌ−Ｃｙｓ−Ｐｈｅ−Ｃｙｓ−Ｃｙｓ−Ｌｅｕ−＃（配列番号：９０）
【０１１５】
名称：  Ｇｅ３．２
種：  ｇｅｎｅｒａｌｉｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＧＴＴＣＴＧＴＴＴＣＣＣＣＴＴＡＣＴＧＣＴＣＴＴＣＣＡＣＴＧＧＡＴＧＧＡＧＡＡＣＡＡＣＣＴＧＴＡＧＡＣＣＧＡＣＡＴＧＣＣＧＡＧＣＡＴＡＴＧＣＡＧＧＡＴＧＡＣＡＡＴＴＣＡＧＣＴＧＣＡＣＡＧＡＡＣＣＣＣＴＧＧＧＴＴＡＴＴＧＣＣＡＴＣＡＧＡＣＡＧＴＧＴＴＧＣＡＣＧＴＴＣＴＧＣＡＡＣＴＴＴＧＧＡＴＧＣＣＡＡＣＣＴＴＧＴＴＧＣＣＴＣＡＣＣＴＧＡＴＡＡＣＧＴＧＴＴＧＡＴＧＡＣＣＡＡＣＴＴＴＣＴＣＧＡＧ（配列番号：９１）
翻訳：
ＧＳＭＭＳＫＬＧＶＬＬＴＩＣＬＶＬＦＰＬＴＡＬＰＬＤＧＥＱＰＶＤＲＨＡＥＨＭＱＤＤＮＳＡＡＱＮＰＷＶＩＡＩＲＱＣＣＴＦＣＮＦＧＣＱＰＣＣＬＴ（配列番号：９２）
毒素配列：
Ｘａａ２−Ｃｙｓ−Ｃｙｓ−Ｔｈｒ−Ｐｈｅ−Ｃｙｓ−Ａｓｎ−Ｐｈｅ−Ｇｌｙ−Ｃｙｓ−Ｇｌｎ−Ｘａａ３−Ｃｙｓ−Ｃｙｓ−Ｌｅｕ−Ｔｈｒ−＾（配列番号：９３）
【０１１６】
名称：  Ｇｅ３．３
種：  ｇｅｎｅｒａｌｉｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＧＴＴＣＴＧＴＴＴＣＣＣＣＴＴＡＣＴＧＣＴＣＴＴＣＣＡＣＴＧＧＡＴＧＧＡＧＡＡＣＡＡＣＣＴＧＴＡＧＡＣＣＧＡＣＡＴＧＣＣＧＡＧＣＡＴＡＴＧＣＡＧＧＡＴＧＡＣＡＡＴＴＣＡＧＣＴＧＣＡＣＡＧＡＡＣＣＣＣＴＧＧＧＴＴＡＴＴＧＣＣＡＴＣＡＧＡＣＡＧＴＧＴＴＧＣＡＣＧＴＴＣＴＧＣＡＡＣＴＴＴＧＧＡＴＧＣＣＡＧＣＣＴＴＧＴＴＧＣＧＴＣＣＣＣＴＧＡＴＡＡＣＧＴＧＴＴＧＡＴＧＡＣＣＡＡＣＴＴＴＣＴＣＧＡＧ（配列番号：９４）
翻訳：
ＧＳＭＭＳＫＬＧＶＬＬＴＩＣＬＶＬＦＰＬＴＡＬＰＬＤＧＥＱＰＶＤＲＨＡＥＨＭＱＤＤＮＳＡＡＱＮＰＷＶＩＡＩＲＱＣＣＴＦＣＮＦＧＣＱＰＣＣＶＰ（配列番号：９５）
毒素配列：
Ｘａａ２−Ｃｙｓ−Ｃｙｓ−Ｔｈｒ−Ｐｈｅ−Ｃｙｓ−Ａｓｎ−Ｐｈｅ−Ｇｌｙ−Ｃｙｓ−Ｇｌｎ−Ｘａａ３−Ｃｙｓ−Ｃｙｓ−Ｖａｌ−Ｘａａ３−＾（配列番号：９６）
【０１１７】
名称：  （−ＧＩＩＩＡ
種：  ｇｅｏｇｒａｐｈｕｓ
クローニング：  はい
ＤＮＡ配列：
ＧＴＣＧＡＣＴＣＴＡＧＡＧＧＡＴＣＣＧＡＣＡＡＣＡＡＡＧＡＧＴＣＡＡＣＣＣＣＡＣＴＧＣＣＡＣＧＴＣＡＡＧＡＧＣＧＡＡＧＣＧＣＣＡＣＡＧＣＴＡＡＧＡＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＧＡＡＣＣＴＧＣＡＡＡＣＣＧＡＣＣＴＧＴＣＧＡＧＣＧＴＡＴＧＣＡＧＧＡＣＡＡＣＡＴＴＴＣＡＴＣＴＧＡＧＣＡＧＴＡＴＣＣＣＴＴＧＴＴＴＧＡＧＡＡＧＡＧＡＣＧＡＧＡＴＴＧＴＴＧＣＡＣＴＣＣＧＣＣＧＡＡＧＡＡＡＴＧＣＡＡＡＧＡＣＣＧＡＣＡＡＴＧＣＡＡＡＣＣＣＣＡＧＡＧＡＴＧＴＴＧＣＧＣＴＧＧＡＣＧＡＴＡＡＣＧＴＧＴＴＧＡＴＧＡＣＣＡＡＣＴＴＴＡＴＣＡＣＧＧＣＴＡＣＧＴＣＡＡＧＴＧＴＴＴＡＧＴＧＡＡＴＡＡＧＴＡＡＡＡＴＧＡＴＴＧＣＡＧＴＣＴＴＧＣＴＣＡＧＡＴＴＴＧＣＴＴＴＴＧＴＧＴＴＴＴＧＧＴＣＴＡＡＡＧＡＴＣＡＡＴＧＡＣＣＡＡＡＣＣＧＴＴＧＴＴＴＴＧＡＴＧＣＧＧＡＴＴＧＴＣＡＴＡＴＡＴＴＴＣＴＣＧＡＴＴＣＣＡＡＴＣＣＡＡＣＡＣＴＡＧＡＴＧＡＴＴＴＡＡＴＣＡＣＧＡＴＡＧＡＴＴＡＡＴＴＴＴＣＴＡＴＣＡＡＴＧＣＣＴＴＧＡＴＴＴＴＴＣＧＴＣＴＧＴＣＡＴＡＴＣＡＧＴＴＴＴＧＴＴＴＡＴＡＴＴＴＡＴＴＴＴＴＴＣＧＴＣＡＣＴＧＴＣＴＡＣＡＣＡＡＡＣＧＣＡＴＧＣＡＴＧＣＡＣＧＣＡＴＧＣＡＣＧＣＡＣＡＣＡＣＧＣＡＣＧＣＡＣＧＣＴＣＧＣＡＣＡＡＡＣＡＴＧＣＧＣＧＣＧＣＡＣＧＣＡＣＡＣＡＣＡＣＡＣＡＣＡＣＡＣＡＣＡＣＡＡＡＣＡＣＡＣＡＣＡＣＡＡＧＣＡＡＴＣＡＣＡＣＡＡＴＴＡＴＴＧＡＣＡＴＴＡＴＴＴＡＴＴＴＡＴＴＣＡＴＴＧＡＴＧＴＡＴＴＴＧＴＴＡＴＴＣＧＴＴＴＧＣＴＴＧＴＴＴＴＴＡＧＡＡＴＡＧＴＴＴＧＡＧＧＣＣＧＴＣＴＴＴＴＴＧＧＡＴＴＴＡＴＴＴＧＡＡＣＴＧＣＴＴＴＡＴＴＧＴＡＴＡＣＧＡＧＴＡＣＴＴＣＧＴＧＣＴＴＴＧＡＡＡＣＡＣＴＧＣＴＧＡＡＡＡＴＡＡＡＡＣＡＡＡＣＡＣＴＧＡＣＧＴＡＧＣ（配列番号：９７）
翻訳：
ＭＭＳＫＬＧＶＬＬＴＩＣＬＬＬＦＰＬＴＡＬＰＭＤＧＤＥＰＡＮＲＰＶＥＲＭＱＤＮＩＳＳＥＱＹＰＬＦＥＫＲＲＤＣＣＴＰＰＫＫＣＫＤＲＱＣＫＰＱＲＣＣＡＧＲ（配列番号：９８）
毒素配列：
Ａｒｇ−Ａｓｐ−Ｃｙｓ−Ｃｙｓ−Ｔｈｒ−Ｘａａ３−Ｘａａ３−Ｌｙｓ−Ｌｙｓ−Ｃｙｓ−Ｌｙｓ−Ａｓｐ−Ａｒｇ−Ｇｌｎ−Ｃｙｓ−Ｌｙｓ−Ｘａａ３−Ｇｌｎ−Ａｒｇ−Ｃｙｓ−Ｃｙｓ−Ａｌａ−＃（配列番号：９９）
【０１１８】
名称：  （−ＧＩＩＩＢ
種：  ｇｅｏｇｒａｐｈｕｓ
単離：  はい
クローニング：  はい
ＤＮＡ配列：
ＧＧＣＣＡＧＡＣＧＡＣＡＡＣＡＡＡＧＡＧＴＣＡＡＣＣＣＣＡＣＴＧＣＣＡＣＧＴＣＡＡＧＡＧＣＧＡＡＧＣＧＣＣＡＣＡＧＣＴＡＡＧＡＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＧＡＡＣＣＴＧＣＡＡＡＣＣＧＡＣＣＴＧＴＣＧＡＧＣＧＴＡＴＧＣＡＧＧＡＣＡＡＣＡＴＴＴＣＡＴＣＴＧＡＧＣＡＧＴＡＴＣＣＣＴＴＧＴＴＴＧＡＧＡＡＧＡＧＡＣＧＡＧＡＴＴＧＴＴＧＣＡＣＴＣＣＧＣＣＧＡＧＧＡＡＡＴＧＣＡＡＡＧＡＣＣＧＡＣＧＡＴＧＣＡＡＡＣＣＣＡＴＧＡＡＡＴＧＴＴＧＣＧＣＴＧＧＡＣＧＡＴＡＡＣＧＴＧＴＴＧＡＴＧＡＣＣＡＡＣＴＴＴＡＴＣＡＣＧＧＣＴＡＧＣＴＣＡＧＴＧＴＴＴＡＧＴＧＡＡＴＡＡＧＴＡＡＡＡＴＧＡＴＴＧＣＡＧＴＣＴＴＧＣＴＣＡＧＡＴＴＧＣＴＴＴＴＧＴＧＴＴＴＴＧＧＴＣＴＡＡＧＡＴＣＡＡＴＧＡＣＣＡＡＡＣＣＧＴＴＧＴＴＴＴＧＡＴＧＣＧＧＡＴＴＧＴＣＡＴＡＴＡＴＴＴＣＴＣＧＡＴＴＣＣＡＡＴＣＣＡＡＣＡＣＴＡＧＡＴＧＡＴＴＴＡＡＴＣＡＣＧＡＴＡＧＡＴＴＡＡＴＴＴＴＣＴＡＴＣＡＡＴＧＣＣＴＴＧＡＴＴＴＴＴＣＧＴＣＴＧＴＣＡＴＡＴＣＡＧＴＴＴＴＧＴＴＴＡＴＡＴＴＴＡＴＴＴＴＴＴＣＧＴＣＡＣＴＧＴＣＴＡＣＡＣＡＡＡＣＧＣＡＴＧＣＡＴＧＣＡＣＧＣＡＴＧＣＡＣＧＣＡＣＡＣＡＣＧＣＡＣＧＣＡＣＧＣＴＣＧＣＡＣＡＡＡＣＡＴＧＣＧＣＧＣＧＣＡＣＧＣＡＣＡＣＡＣＡＣＡＣＡＣＡＣＡＣＡＣＡＡＡＣＡＣＡＣＡＣＡＣＧＡＡＧＣＡＡＴＣＡＣＡＣＡＡＴＴＡＧＴＴＧＡＣＡＴＴＡＴＴＴＡＴＴＴＡＴＴＣＡＴＴＧＡＴＧＴＡＴＴＴＧＴＴＡＴＴＣＧＴＴＴＧＣＴＴＧＴＴＴＴＴＡＧＡＡＴＡＧＴＴＴＧＡＧＧＣＣＧＴＣＴＴＴＴＴＧＧＡＴＴＴＡＴＴＴＧＡＡＣＴＧＣＴＴＴＡＴＴＧＴＡＴＡＣＧＡＧＴＡＣＴＴＣＧＴＧＣＴＴＴＧＡＡＡＣＡＣＴＧＣＴＧＡＡＡＡＴＡＡＡＡＣＡＡＡＣＡＣＴＧＡＣＧＴＡＧＣＡＡＡＡＡＡＡＡＡＡＡ（配列番号：１００）
翻訳：
ＭＭＳＫＬＧＶＬＬＴＩＣＬＬＬＦＰＬＴＡＬＰＭＤＧＤＥＰＡＮＲＰＶＥＲＭＱＤＮＩＳＳＥＱＹＰＬＦＥＫＲＲＤＣＣＴＰＰＲＫＣＫＤＲＲＣＫＰＭＫＣＣＡＧＲ（配列番号：１０１）
毒素配列：
Ａｒｇ−Ａｓｐ−Ｃｙｓ−Ｃｙｓ−Ｔｈｒ−Ｘａａ３−Ｘａａ３−Ａｒｇ−Ｌｙｓ−Ｃｙｓ−Ｌｙｓ−Ａｓｐ−Ａｒｇ−Ａｒｇ−Ｃｙｓ−Ｌｙｓ−Ｘａａ３−Ｍｅｔ−Ｌｙｓ−Ｃｙｓ−Ｃｙｓ−Ａｌａ−＃（配列番号：１０２）
【０１１９】
名称：  （−ＧＩＩＩＣ
種：  ｇｅｏｇｒａｐｈｕｓ
単離：  はい
毒素配列：
Ａｒｇ−Ａｓｐ−Ｃｙｓ−Ｃｙｓ−Ｔｈｒ−Ｘａａ３−Ｘａａ３−Ｌｙｓ−Ｌｙｓ−Ｃｙｓ−Ｌｙｓ−Ａｓｐ−Ａｒｇ−Ａｒｇ−Ｃｙｓ−Ｌｙｓ−Ｘａａ３−Ｌｅｕ−Ｌｙｓ−Ｃｙｓ−Ｃｙｓ−Ａｌａ−＃（配列番号：１０３）
【０１２０】
名称：  Ｇｍ３．１
種：  ｇｌｏｒｉａｍａｒｉｓ
クローニング：  はい
ＤＮＡ配列：
ＣＴＣＡＣＴＡＴＡＧＧＡＡＴＴＣＧＡＧＣＴＣＧＧＴＡＣＡＣＧＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＡＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＴＧＡＣＣＧＣＣＴＴＣＣＡＡＣＴＧＡＡＡＡＴＣＡＴＣＣＣＴＴＡＴＡＴＧＡＴＣＣＣＧＴＣＡＡＡＣＧＧＴＧＴＴＧＣＧＡＴＧＡＴＴＣＧＧＡＡＴＧＣＧＡＣＴＡＴＴＣＴＴＧＣＴＧＧＣＣＴＴＧＣＴＧＴＡＴＧＴＴＴＧＧＡＴＡＡＣＣＴＴＴＧＴＴＡＴＣＧＣＧＧＣＣＴＣＧＡＴＡＡＧＴＧＴＣＴＡＡＴＧＡＡＴＡＡＧＴＡＡＡＡＣＧＡＴＴＧＣＡＧＴＡＧＧＣ（配列番号：１０４）
翻訳：
ＭＭＳＫＬＧＡＬＬＴＩＣＬＬＬＦＳＬＴＡＶＰＬＤＧＤＱＨＡＤＱＰＡＥＲＬＨＤＲＬＰＴＥＮＨＰＬＹＤＰＶＫＲＣＣＤＤＳＥＣＤＹＳＣＷＰＣＣＭＦＧ（配列番号：１０５）
毒素配列：
Ｃｙｓ−Ｃｙｓ−Ａｓｐ−Ａｓｐ−Ｓｅｒ−Ｘａａ１−Ｃｙｓ−Ａｓｐ−Ｘａａ５−Ｓｅｒ−Ｃｙｓ−Ｘａａ４−Ｘａａ３−Ｃｙｓ−Ｃｙｓ−Ｍｅｔ−Ｐｈｅ−＃（配列番号：１０６）
【０１２１】
名称：  Ｇｍ３．２
種：  ｇｌｏｒｉａｍａｒｉｓ
クローニング：  はい
ＤＮＡ配列：
ＧＴＴＣＡＴＧＡＴＧＴＣＴＡＡＡＣＴＧＧＧＡＧＴＣＴＴＧＴＴＧＡＴＣＡＴＣＴＧＴＣＴＡＣＴＴＣＴＧＴＴＴＣＣＣＣＴＴＡＣＴＧＣＴＧＴＴＣＣＧＣＴＧＧＡＴＧＧＡＧＡＴＣＡＡＣＣＴＧＣＡＧＡＣＣＧＡＴＡＴＧＣＡＧＡＧＣＧＴＡＴＧＣＡＧＧＡＣＧＡＣＡＴＴＴＣＡＴＣＴＧＡＡＣＡＴＣＡＴＣＣＣＡＴＧＴＴＴＧＡＴＧＣＣＧＴＣＡＧＡＧＧＧＴＧＴＴＧＣＣＡＴＣＴＧＴＴＧＧＣＡＴＧＣＣＧＣＴＴＣＧＧＡＴＧＣＴＣＧＣＣＴＴＧＴＴＧＴＴＧＧＴＧＡＴＣＡＧＣＴＴＴＧＴＴＡＴＣＧＣＧＧＣＣＴＣＡＴＣＡＡＧＴＧＡＣＴＣＴＡＡＴＧＣＡＡＡ（配列番号：１０７）
翻訳：
ＭＭＳＫＬＧＶＬＬＩＩＣＬＬＬＦＰＬＴＡＶＰＬＤＧＤＱＰＡＤＲＹＡＥＲＭＱＤＤＩＳＳＥＨＨＰＭＦＤＡＶＲＧＣＣＨＬＬＡＣＲＦＧＣＳＰＣＣＷ（配列番号：１０８）
毒素配列：
Ｇｌｙ−Ｃｙｓ−Ｃｙｓ−Ｈｉｓ−Ｌｅｕ−Ｌｅｕ−Ａｌａ−Ｃｙｓ−Ａｒｇ−Ｐｈｅ−Ｇｌｙ−Ｃｙｓ−Ｓｅｒ−Ｘａａ３−Ｃｙｓ−Ｃｙｓ−Ｘａａ４−＾（配列番号：１０９）
【０１２２】
名称：  Ｇｍ３．３
種：  ｇｌｏｒｉａｍａｒｉｓ
クローニング：  はい
ＤＮＡ配列：
ＧＡＧＡＣＧＡＣＡＡＧＧＡＡＣＡＧＴＣＡＡＣＣＣＣＡＣＡＧＣＣＡＣＧＣＣＡＡＧＡＧＣＡＧＡＣＡＧＣＣＡＣＡＧＣＴＡＣＧＴＧＡＡＧＡＡＧＧＧＴＧＧＡＧＡＧＡＧＧＴＴＣＧＴＧＡＴＧＴＴＧＡＡＡＡＴＧＧＧＡＧＴＧＧＴＧＣＴＡＴＴＣＡＴＣＴＴＣＣＴＧＧＴＡＣＴＧＴＴＴＣＣＣＣＴＧＧＣＡＡＣＧＣＴＣＣＡＧＣＴＧＧＡＴＧＣＡＧＡＴＣＡＡＣＣＴＧＴＡＧＡＡＣＧＡＴＡＴＧＣＧＧＡＧＡＡＣＡＡＡＣＡＧＣＴＣＣＴＣＡＡＣＣＣＡＧＡＴＧＡＡＡＧＧＡＧＧＧＡＡＡＴＣＡＴＡＴＴＧＣＡＴＧＣＴＣＴＧＧＧＧＡＣＧＣＧＡＴＧＣＴＧＴＴＣＴＴＧＧＧＡＴＧＴＧＴＧＣＧＡＣＣＡＣＣＣＧＡＧＴＴＧＴＡＣＴＴＧＣＴＧＣＧＧＣＧＧＴＴＡＧＣＧＣＣＧＡＡＣＡＴＣＣＡＴＧＧＣＧＣＴＧＴＧＣＴＧＧＧＣＧＧＴＴＴＴＡＴＣＣＡＡＣＡＡＣＧＡＣＡＧＣＧＴＴＴＧＴＴＧＡＴＴＴＣＡＴＧＴＡＴＣＡＴＴＧＣＧＣＣＣＡＣＧＴＣＴＣＴＴＧＴＣＴＡＡＧＡＡＴＧＡＣＧＡＡＣＡＴＧＡＴＴＧＣＡＣＴＣＴＧＧＴＴＣＡＧＡＴＴＴＣＧＴＧＴＴＣＴＴＴＴＣＴＧＡＣＡＡＴＡＡＡＴＧＡＣＡＡＡＡＣＴＣＣＡＡＡＡＡＡ（配列番号：１１０）
翻訳：
ＭＬＫＭＧＶＶＬＦＩＦＬＶＬＦＰＬＡＴＬＱＬＤＡＤＱＰＶＥＲＹＡＥＮＫＱＬＬＮＰＤＥＲＲＥＩＩＬＨＡＬＧＴＲＣＣＳＷＤＶＣＤＨＰＳＣＴＣＣＧＧ（配列番号：１１１）
毒素配列：
Ｃｙｓ−Ｃｙｓ−Ｓｅｒ−Ｘａａ４−Ａｓｐ−Ｖａｌ−Ｃｙｓ−Ａｓｐ−Ｈｉｓ−Ｘａａ３−Ｓｅｒ−Ｃｙｓ−Ｔｈｒ−Ｃｙｓ−Ｃｙｓ−Ｇｌｙ−＃（配列番号：１１２）
【０１２３】
名称：  Ｌａ３．１
種：  ｌａｔｅｒｃｕｌａｔｕｓ
クローニング：  はい
ＤＮＡ配列：
ＣＧＡＣＣＴＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＴＴＴＣＡＴＣＴＧＡＡＣＡＧＣＡＴＣＣＣＴＴＧＴＡＴＧＡＴＣＣＣＧＴＣＡＡＡＣＧＧＴＧＴＴＧＣＧＡＣＴＧＧＣＣＡＴＧＣＡＧＣＧＧＡＴＧＣＡＴＣＣＣＴＴＧＴＴＧＣＴＡＡＴＡＧＴＡＡＣＡＡＣＧＴＧＴＴＧＡＴＡＡＣＣＡＡＣＴＴＴＣＴＴＡＣＣＡＣＧＡＣＴＡＣＧＴＣＡＡＧＴＧＴＣＴＡＡＴＧＡＡＴＡＡＧＴＡＡＡＡＴＧＡＴＴＧＣＡＧＴ（配列番号：１１３）
翻訳：
ＭＭＳＫＬＧＶＬＬＴＩＣＬＬＬＦＰＬＴＡＬＰＭＤＧＤＱＰＡＤＲＰＡＥＲＭＱＤＶＳＳＥＱＨＰＬＹＤＰＶＫＲＣＣＤＷＰＣＳＧＣＩＰＣＣ（配列番号：１１４）
毒素配列：
Ｃｙｓ−Ｃｙｓ−Ａｓｐ−Ｘａａ４−Ｘａａ３−Ｃｙｓ−Ｓｅｒ−Ｇｌｙ−Ｃｙｓ−Ｉｌｅ−Ｘａａ３−Ｃｙｓ−Ｃｙｓ−＾（配列番号：１１５）
【０１２４】
名称：  Ｌａ３．２
種：  ｌａｔｅｒｃｕｌａｔｕｓ
クローニング：  はい
ＤＮＡ配列：
ＣＧＡＣＣＴＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＧＧＡＴＧＧＡＧＡＴＣＡＡＣＣＴＧＣＡＧＡＣＣＧＡＣＴＴＧＣＡＧＡＧＣＧＴＡＴＧＣＡＧＧＡＣＧＡＣＡＴＴＴＣＡＴＣＴＧＡＧＣＡＧＣＡＴＣＣＣＴＴＴＧＡＡＡＡＧＡＧＡＣＧＡＧＡＣＴＧＴＴＧＣＡＣＡＣＣＴＣＣＧＡＡＧＡＡＡＴＧＣＡＧＡＧＡＣＣＧＡＣＡＡＴＧＣＡＡＡＣＣＴＧＣＡＣＧＴＴＧＴＴＧＣＧＧＡＧＧＡＴＡＡＣＧＴＧＴＴＧＡＴＧＡＣＣＡＡＣＴＴＴＧＴＴＡＴＣＡＣＧＧＣＴＡＣＧＴＣＡＡＧＴＧＴＣＴＡＧＴＧＡＡＴＡＡＧＴＡＡＡＡＣＧＡＴＴＧＣＡＧＴ（配列番号：１１６）
翻訳：
ＭＭＳＫＬＧＶＬＬＴＩＣＬＬＬＦＰＬＴＡＬＤＧＤＱＰＡＤＲＬＡＥＲＭＱＤＤＩＳＳＥＱＨＰＦＥＫＲＲＤＣＣＴＰＰＫＫＣＲＤＲＱＣＫＰＡＲＣＣＧＧ（配列番号：１１７）
毒素配列：
Ａｒｇ−Ａｓｐ−Ｃｙｓ−Ｃｙｓ−Ｔｈｒ−Ｘａａ３−Ｘａａ３−Ｌｙｓ−Ｌｙｓ−Ｃｙｓ−Ａｒｇ−Ａｓｐ−Ａｒｇ−Ｇｌｎ−Ｃｙｓ−Ｌｙｓ−Ｘａａ３−Ａｌａ−Ａｒｇ−Ｃｙｓ−Ｃｙｓ−Ｇｌｙ−＃（配列番号：１１８）
【０１２５】
名称：  Ｌａ３．３
種：  ｌａｔｅｒｃｕｌａｔｕｓ
クローニング：  はい
ＤＮＡ配列：
ＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＴＴＧＣＡＣＧＣＣＧＡＴＣＴＧＣＡＧＡＧＣＧＴＡＴＧＣＡＧＧＡＣＡＡＣＡＴＴＴＣＡＴＣＴＧＡＧＣＡＧＣＡＴＣＡＣＣＴＣＴＴＴＧＡＡＡＡＧＡＧＡＣＧＡＣＣＡＣＣＡＴＧＴＴＧＣＡＣＣＴＡＴＧＡＣＧＧＧＡＧＴＴＧＣＣＴＡＡＡＡＧＡＡＴＣＡＴＧＣＡＴＧＣＧＴＡＡＡＧＣＴＴＧＴＴＧＣＧＧＡＴＧＡＴＡＡＣＧＴＧＴＴＧＡＴＧＡＣＣＡＡＣＴＴＴＧＴＴＡＴＣＡＣＧＧＣＴＡＣＴＣＡＡＧＴＧＴＣＴＡＡＴＧＡＡＴＡＡＧＴＡＡＡＡＴＧＡＴＴＧＣＡＧＴＡ（配列番号：１１９）
翻訳：
ＭＭＳＫＬＧＶＬＬＴＩＣＬＬＬＦＰＬＴＡＬＰＭＤＧＤＱＬＡＲＲＳＡＥＲＭＱＤＮＩＳＳＥＱＨＨＬＦＥＫＲＲＰＰＣＣＴＹＤＧＳＣＬＫＥＳＣＭＲＫＡＣＣＧ（配列番号：１２０）
毒素配列：
Ａｒｇ−Ｘａａ３−Ｘａａ３−Ｃｙｓ−Ｃｙｓ−Ｔｈｒ−Ｘａａ５−Ａｓｐ−Ｇｌｙ−Ｓｅｒ−Ｃｙｓ−Ｌｅｕ−Ｌｙｓ−Ｘａａ１−Ｓｅｒ−Ｃｙｓ−Ｍｅｔ−Ａｒｇ−Ｌｙｓ−Ａｌａ−Ｃｙｓ−Ｃｙｓ−＃（配列番号：１２１）
【０１２６】
名称：  Ｌａ３．３Ａ
種：  ｌａｔｅｒｃｕｌａｔｕｓ
クローニング：  はい
ＤＮＡ配列：
ＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＣＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＴＴＧＣＡＣＧＣＣＧＡＣＣＴＧＣＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＡＡＧＧＡＧＡＣＧＡＣＣＡＣＣＡＴＧＴＴＧＣＡＣＣＴＡＴＧＡＣＧＧＧＡＧＴＴＧＣＣＴＡＡＡＡＧＡＡＴＣＡＴＧＣＡＡＧＣＧＴＡＡＡＧＣＴＴＧＴＴＧＣＧＧＡＴＡＡＴＡＡＣＧＴＧＴＴＧＡＴＧＡＣＣＡＡＣＴＴＴＧＴＴＡＴＣＡＣＧＧＣＴＡＣＴＣＡＡＧＴＧＴＣＴＡＡＴＧＡＡＴＡＡＧＴＡＡＡＡＴＧＡＴＴＧＣＡＧＴＡ（配列番号：１２２）
翻訳：
ＭＭＳＫＬＧＶＬＬＴＴＣＬＬＬＦＰＬＴＡＬＰＭＤＧＤＱＬＡＲＲＰＡＥＲＭＱＤＮＩＳＳＥＱＨＰＦＦＥＲＲＲＰＰＣＣＴＹＤＧＳＣＬＫＥＳＣＫＲＫＡＣＣＧ（配列番号：１２３）
毒素配列：
Ａｒｇ−Ｘａａ３−Ｘａａ３−Ｃｙｓ−Ｃｙｓ−Ｔｈｒ−Ｘａａ５−Ａｓｐ−Ｇｌｙ−Ｓｅｒ−Ｃｙｓ−Ｌｅｕ−Ｌｙｓ−Ｘａａ１−Ｓｅｒ−Ｃｙｓ−Ｌｙｓ−Ａｒｇ−Ｌｙｓ−Ａｌａ−Ｃｙｓ−Ｃｙｓ−＃（配列番号：１２４）
【０１２７】
名称：  Ｌｐ３．１
種：  ｌｅｏｐａｒｄｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＧＴＣＴＧＴＣＴＧＣＴＴＣＴＧＴＴＴＣＣＣＣＴＴＡＣＴＧＣＴＣＴＴＣＧＧＣＴＧＧＴＴＧＧＡＧＡＴＣＡＡＣＣＴＧＣＡＧＡＧＣＧＡＣＣＴＧＣＡＡＡＧＣＧＴＡＣＧＣＡＧＧＡＣＧＡＣＡＴＴＣＣＡＧＡＴＧＧＡＣＡＧＣＡＴＣＣＧＴＴＡＡＡＴＧＡＴＡＧＧＣＡＧＡＴＡＡＡＣＴＧＴＴＧＣＣＣＧＴＧＧＣＣＡＴＧＣＣＣＴＡＧＴＡＣＡＴＧＣＣＧＣＣＡＴＣＡＡＴＧＣＴＧＣＣＡＴＴＡＡＴＧＡＴＡＡＣＧＴＧＴＴＧＡＴＧＡＣＣＡＡＣＴＴＴＣＴＣＧＡＧ（配列番号：１２５）
翻訳：
ＧＳＭＭＳＫＬＧＶＬＬＴＶＣＬＬＬＦＰＬＴＡＬＲＬＶＧＤＱＰＡＥＲＰＡＫＲＴＱＤＤＩＰＤＧＱＨＰＬＮＤＲＱＩＮＣＣＰＷＰＣＰＳＴＣＲＨＱＣＣＨ（配列番号：１２６）
毒素配列：
Ｘａａ２−Ｉｌｅ−Ａｓｎ−Ｃｙｓ−Ｃｙｓ−Ｘａａ３−Ｘａａ４−Ｘａａ３−Ｃｙｓ−Ｘａａ３−Ｓｅｒ−Ｔｈｒ−Ｃｙｓ−Ａｒｇ−Ｈｉｓ−Ｇｌｎ−Ｃｙｓ−Ｃｙｓ−Ｈｉｓ−＾（配列番号：１２７）
【０１２８】
名称：  Ｌｖ３．１
種：  ｌｉｖｉｄｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＧＴＣＴＧＴＣＴＧＣＴＴＣＴＧＴＴＴＣＣＣＣＴＴＡＣＴＧＣＴＣＴＴＣＧＧＣＴＧＧＴＴＡＧＡＧＡＴＣＡＡＣＣＴＧＣＡＧＡＧＣＧＡＣＣＴＧＣＡＡＡＧＣＧＴＡＣＧＣＡＧＧＡＣＧＡＣＡＴＴＣＣＡＡＡＴＧＧＡＣＡＧＧＡＴＣＣＧＴＴＡＡＴＴＧＡＴＡＧＧＣＡＧＡＴＡＡＡＴＴＧＴＴＧＣＣＣＴＴＧＧＣＣＡＴＧＣＣＣＴＧＡＴＴＣＡＴＧＣＣＡＣＴＡＴＣＡＡＴＧＣＴＧＣＣＡＣＴＧＡＴＡＡＣＧＴＧＴＴＧＡＴＧＡＣＣＡＡＣＴＴＴＣＴＣＧＡＧ（配列番号：１２８）
翻訳：
ＧＳＭＭＳＫＬＧＶＬＬＴＶＣＬＬＬＦＰＬＴＡＬＲＬＶＲＤＱＰＡＥＲＰＡＫＲＴＱＤＤＩＰＮＧＱＤＰＬＩＤＲＱＩＮＣＣＰＷＰＣＰＤＳＣＨＹＱＣＣＨ（配列番号：１２９）
毒素配列：
Ｘａａ２−Ｉｌｅ−Ａｓｎ−Ｃｙｓ−Ｃｙｓ−Ｘａａ３−Ｘａａ４−Ｘａａ３−Ｃｙｓ−Ｘａａ３−Ａｓｐ−Ｓｅｒ−Ｃｙｓ−Ｈｉｓ−Ｘａａ５−Ｇｌｎ−Ｃｙｓ−Ｃｙｓ−Ｈｉｓ−＾（配列番号：１３０）
【０１２９】
名称：  Ｌ３．１
種：  ｌｙｎｃｅｕｓ
クローニング：  はい
ＤＮＡ配列：
ＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＴＣＴＧＣＡＧＡＣＣＧＡＣＴＴＧＣＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＡＡＡＧＡＧＡＧＧＡＣＧＡＧＡＣＴＧＴＴＧＣＡＣＡＣＣＴＣＣＧＡＧＧＡＡＡＴＧＣＡＧＡＧＡＣＣＧＡＧＣＣＴＧＣＡＡＡＣＣＴＣＡＡＣＧＴＴＧＴＴＧＣＧＧＡＧＧＡＴＡＡＧＣＴＧＴＴＧＡＴＧＡＣＣＡＡＣＴＴＴＧＴＴＡＴＡＣＧＧＣ（配列番号：１３１）
翻訳：
ＭＭＳＫＬＧＶＬＬＴＩＣＬＬＬＦＰＬＴＡＬＰＭＤＧＤＱＳＡＤＲＬＡＥＲＭＱＤＮＩＳＳＥＱＨＰＦＦＥＫＲＧＲＤＣＣＴＰＰＲＫＣＲＤＲＡＣＫＰＱＲＣＣＧＧ（配列番号：１３２）
毒素配列：
Ｇｌｙ−Ａｒｇ−Ａｓｐ−Ｃｙｓ−Ｃｙｓ−Ｔｈｒ−Ｘａａ３−Ｘａａ３−Ａｒｇ−Ｌｙｓ−Ｃｙｓ−Ａｒｇ−Ａｓｐ−Ａｒｇ−Ａｌａ−Ｃｙｓ−Ｌｙｓ−Ｘａａ３−Ｇｌｎ−Ａｒｇ−Ｃｙｓ−Ｃｙｓ−Ｇｌｙ−＃（配列番号：１３３）
【０１３０】
名称：  Ｍ３．１
種：  ｍａｇｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＧＡＡＣＣＴＧＣＡＡＡＣＣＧＡＣＣＴＧＴＣＧＡＧＣＧＴＡＴＧＣＡＧＧＡＣＡＡＣＡＴＴＴＣＡＴＣＴＧＡＧＣＡＧＴＡＴＣＣＣＴＴＧＴＴＴＧＡＧＡＡＧＡＧＡＣＧＡＧＡＴＴＧＴＴＧＣＡＣＴＣＣＧＣＣＧＡＡＧＡＡＡＴＧＣＡＡＡＧＡＣＣＧＡＣＡＡＴＧＣＡＡＡＣＣＣＣＡＧＡＧＡＴＧＴＴＧＣＧＣＴＧＧＡＣＧＡＴＡＡＣＧＴＧＴＴＧＡＴＧＡＣＣＡＡＣＴＴＴＡＴＣＡＣＧＧＣＴＡＣＧＴＣＡＡＧＴＧＴＴＴＡＧＴＧＡＡＴＡＡＧＴＡＡＡＡＴＧＡＴＴＧＣＡＧＴＣＴＴＧＣＴＣＡＧＡＴＴＴＧＣＴＴＴＴＧＴＧＴＴＴＴＧＧＴＣＴＡＡＡＧＡＴＣＡＡＴＧＡＣＣＡＡＡＣＣＧＴＴＧＴＴＴＴＧＡＴＧＣＧＧＡＴＴＧＴＣＡＴＡＴＡＴＴＴＣＴＣＧＡＴＴＣＣＡＡＴＣＣＡＡＣＡＣＴＡＧＡＴＧＡＴＴＴＡＡＴＣＡＣＧＡＴＡＧＡＴＴＡＡＴＴＴＴＣＴＡＴＣＡＡＴＧＣＣＴＴＧＡＴＴＴＴＴＣＧＴＣＴＧＴＣＡＴＡＴＣＡＧＴＴＴＴＧＴＴＴＡＴＡＴＴＴＡＴＴＴＴＴＴＣＧＴＣＡＣＴＧＴＣＴＡＣＡＣＡＡＡＣＧＣＡＴＧＣＡＴＧＣＡＣＧＣＡＴＧＣＡＣＧＣＡＣＡＣＡＣＧＣＡＣＧＣＡＣＧＣＴＣＧＣＡＣＡＡＡＣＡＴＧＣＧＣＧＣＧＣＡＣＧＣＡＣＡＣＡＣＡＣＡＣＡＣＡＣＡＣＡＣＡＣＡＡＡＣＡＣＡＣＡＣＡＣＧＡＡＧＣＡＡＴＣＡＣＡＣＡＡＴＴＡＧＴＴＧＡＣＡＴＴＡＴＴＴＡＴＴＴＡＴＴＣＡＴＴＧＡＴＧＴＡＴＴＴＧＴＴＡＴＴＣＧＴＴＴＧＣＴＴＧＴＴＴＴＴＡＧＡＡＴＡＧＴＴＴＧＡＧＧＣＣＧＴＣＴＴＴＴＴＧＧＡＴＴＴＡＴＴＴＧＡＡＣＴＧＣＴＴＴＡＴＴＧＴＡＴＡＣＧＡＧＴＡＣＴＴＣＧＴＧＣＧＧＧＧＡＡＡＣＡＣＴＧＣＴＧＡＡＡＡＴＡＡＡＡＣＡＡＡＣＡＣＴＧＡＣＧＴＡＧＣＡＡＡＡＡＡＡＡＡＡＡＡ（配列番号：１３４）
翻訳：
ＭＭＳＫＬＧＶＬＬＴＩＣＬＬＬＦＰＬＴＡＬＰＭＤＧＤＥＰＡＮＲＰＶＥＲＭＱＤＮＩＳＳＥＱＹＰＬＦＥＫＲＲＤＣＣＴＰＰＫＫＣＫＤＲＱＣＫＰＱＲＣＣＡＧＲ（配列番号：１３５）
毒素配列：
Ａｒｇ−Ａｓｐ−Ｃｙｓ−Ｃｙｓ−Ｔｈｒ−Ｘａａ３−Ｘａａ３−Ｌｙｓ−Ｌｙｓ−Ｃｙｓ−Ｌｙｓ−Ａｓｐ−Ａｒｇ−Ｇｌｎ−Ｃｙｓ−Ｌｙｓ−Ｘａａ３−Ｇｌｎ−Ａｒｇ−Ｃｙｓ−Ｃｙｓ−Ａｌａ−＃（配列番号：１３６）
【０１３１】
名称：  Ｍ３．２
種：  ｍａｇｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＴＧＡＧＡＡＡＡＡＧＧＴＧＴＴＧＣＧＧＣＣＣＣＧＧＣＧＧＴＴＣＡＴＧＣＣＣＣＧＴＡＴＡＴＴＴＣＡＧＡＧＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＡＣＴＴＣＡＴＴＡＴＣＡＣＧＡＣＴＡＣＧＣＣＡＡＧＴＧＴＣＴＡＡＴＧＡＡＴＡＡＡＴＡＡＡＡＴＧＡＴＴＧＣＡＧＴＣＴＣＧＣＴＣＡＧＡＴＴＴＧＣＴＴＴＴＧＴＡＴＴＴＴＧＧＴＣＴＡＡＡＧＡＴＣＡＡＴＧＡＣＣＡＡＡＣＣＧＴＴＧＴＴＴＴＧＧＴＧＴＧＧＡＴＴＴＴＣＡＴＡＴＡＴＴＴＣＴＣＧＡＧＴＣＣＴＡＴＣＣＡＡＣＡＣＴＡＧＡＴＧＡＴＴＴＡＡＴＣＡＣＧＡＴＡＧＡＴＣＴＧＡＴＴＴＴＴＴＴＡＴＣＡＡＡＧＧＣＴＴＧＧＴＴＴＴＴＣＧＴＣＴＧＴＣＡＣＡＴＣＡＧＴＴＴＴＧＴＴＴＡＴＡＴＴＴＡＡＴＴＴＴＴＣＧＴＣＡＣＴＧＡＴＴＡＣＡＣＡＣＡＣＧＣＡＴＧＡＡＣＧＣＡＣＡＧＡＧＴＡＣＴＡＡＣＡＣＡＴＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＧＣＧＣＧＣＧＣＧＣＧＧＣＧＣＣＡＴＣＴＡＧＴＡＧＣＧＣＣＧＣＧＡＣＧＡＣＡＣＡＣＡＣ（配列番号：１３７）
翻訳：
ＭＭＳＫＬＧＶＬＬＴＩＣＬＬＬＦＰＬＴＡＬＰＭＤＧＤＱＰＡＤＱＰＡＤＲＭＱＤＤＩＳＳＥＱＹＰＬＦＤＭＲＫＲＣＣＧＰＧＧＳＣＰＶＹＦＲＤＮＦＩＣＧＣＣ（配列番号：１３８）
毒素配列：
Ｃｙｓ−Ｃｙｓ−Ｇｌｙ−Ｘａａ３−Ｇｌｙ−Ｇｌｙ−Ｓｅｒ−Ｃｙｓ−Ｘａａ３−Ｖａｌ−Ｘａａ５−Ｐｈｅ−Ａｒｇ−Ａｓｐ−Ａｓｎ−Ｐｈｅ−Ｉｌｅ−Ｃｙｓ−Ｇｌｙ−Ｃｙｓ−Ｃｙｓ−＾（配列番号：１３９）
【０１３２】
名称：  Ｍ３．３
種：  ｍａｇｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＴＴＧＣＴＴＣＴＧＴＴＴＣＣＣＣＴＴＡＣＴＧＣＴＣＴＴＣＣＧＡＧＧＧＡＴＧＧＡＧＡＴＣＡＡＴＣＴＧＴＡＧＡＣＣＧＡＣＣＴＧＣＡＧＡＧＣＧＴＡＴＧＣＡＧＧＡＣＧＡＣＡＴＴＴＣＡＴＣＴＧＡＧＣＴＧＣＡＴＣＣＣＴＴＧＴＣＡＡＴＣＡＧＡＡＡＡＡＧＡＡＴＧＴＧＴＴＧＣＧＧＣＧＡＧＡＧＴＧＣＧＣＣＡＴＧＣＣＣＣＡＧＣＴＡＴＴＴＣＡＧＡＡＡＣＡＧＴＣＡＧＡＴＴＴＧＴＣＡＴＴＧＴＴＧＴＴＡＡＡＴＧＡＣＡＡＣＧＴＧＴＣＧＡＴＧＡＣＣＡＣＣＴＴＣＧＴＴＡＴＣＡＣＧＡＣＴＡＡＴＧＡＴＡＡＧＴＡＡＡＡＴＧＡＴＴＧＣＡＧＴＣＴＣＧＣＴＣＡＧＡＴＴＴＧＣＴＴＴＴＧＴＡＴＴＴＴＧＧＴＣＴＡＡＡＧＡＴＣＡＡＴＧＡＣＣＡＡＡＣＣＧＴＴＧＴＴＴＴＧＡＴＧＴＧＧＡＴＴＴＴＣＡＴＡＴＡＴＴＴＣＴＣＧＡＧＴＣＣＴＡＴＣＣＡＡＣＡＣＴＡＧＡＴＧＡＴＴＴＡＡＴＣＡＣＧＡＴＡＧＡＴＣＴＧＡＴＴＴＴＴＴＴＡＴＣＡＡＡＧＣＣＴＴＧＧＴＴＴＴＴＣＧＴＣＴＧＴＣＡＣＡＴＣＡＧＴＴＴＴＧＴＴＴＡＴＡＴＴＴＡＡＴＴＴＴＴＣＧＴＣＡＣＴＧＡＴＴＡＣＡＣＡＣＡＣＧＣＡＴＧＡＡＣＧＣＡＣＡＧＡＣＧＴＡＣＴＡＡＣＡＣＡＴＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣＡＣ（配列番号：１４０）
翻訳：
ＭＭＳＫＬＧＶＬＬＴＩＣＬＬＬＦＰＬＴＡＬＰＲＤＧＤＱＳＶＤＲＰＡＥＲＭＱＤＤＩＳＳＥＬＨＰＬＳＩＲＫＲＭＣＣＧＥＳＡＰＣＰＳＹＦＲＮＳＱＩＣＨＣＣ（配列番号：１４１）
毒素配列：
Ｍｅｔ−Ｃｙｓ−Ｃｙｓ−Ｇｌｙ−Ｘａａ１−Ｓｅｒ−Ａｌａ−Ｘａａ３−Ｃｙｓ−Ｘａａ３−Ｓｅｒ−Ｘａａ５−Ｐｈｅ−Ａｒｇ−Ａｓｎ−Ｓｅｒ−Ｇｌｎ−Ｉｌｅ−Ｃｙｓ−Ｈｉｓ−Ｃｙｓ−Ｃｙｓ−＾（配列番号：１４２）
【０１３３】
名称：  Ｍ３．４
種：  ｍａｇｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＧＧＣＣＣＣＧＧＣＧＧＴＴＣＡＴＧＣＣＣＣＧＴＡＴＡＴＴＴＣＡＣＡＧＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＡＣＴＴＣＡＴＴＡＴＣＡＣＧＡＣＴＡＣＧＣＣＡＡＧＴＧＴＣＴＡＡＴＧＡＡＴＡＡＡＴＡＡＡＡＴＧＡＴＴＧＣＡＧＴＣＴＣＧＣＴＣＡＧＡＴＴＴＧＣＴＴＴＴＧＴＡＴＴＴＧＧＴＣＴＡＡＡＧＡＴＣＡＡＴＧＡＣＣＡＡＡＣＣＧＴＴＧＴＴＴＴＧＧＴＧＣＴＧＧＡＴＴＴＴＣＡＴＡＴＡＴＴＴＣＴＣＧＡＴＴＣＣＴＡＴＣＣＡＡＣＡＣＴＡＧＡＴＧＡＴＴＴＡＡＴＣＡＣＧＡＴＡＧＡＴＣＴＧＡＴＴＴＴＴＴＴＡＴＣＡＡＴＧＣＣＴＴＡＡＴＴＴＴＴＴＧＣＴＣＴＧＴＣＡＴＡＴＣＡＧＴＴＴＴＧＴＴＴＡＴＡＴ（配列番号：１４３）
翻訳：
ＭＭＳＫＬＧＶＬＬＴＩＣＬＬＬＦＰＬＴＡＬＰＭＤＧＤＱＰＡＤＱＰＡＤＲＭＱＤＤＩＳＳＥＱＹＰＬＦＤＫＲＱＫＣＣＧＰＧＧＳＣＰＶＹＦＴＤＮＦＩＣＧＣＣ（配列番号：１４４）
毒素配列：
Ｘａａ２−Ｌｙｓ−Ｃｙｓ−Ｃｙｓ−Ｇｌｙ−Ｘａａ３−Ｇｌｙ−Ｇｌｙ−Ｓｅｒ−Ｃｙｓ−Ｘａａ３−Ｖａｌ−Ｘａａ５−Ｐｈｅ−Ｔｈｒ−Ａｓｐ−Ａｓｎ−Ｐｈｅ−Ｉｌｅ−Ｃｙｓ−Ｇｌｙ−Ｃｙｓ−Ｃｙｓ−＾（配列番号：１４５）
【０１３４】
名称：  Ｍ３．５
種：  ｍａｇｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＧＧＣＣＣＣＧＧＣＧＧＴＴＣＡＴＧＣＣＣＣＧＴＡＴＡＴＴＴＣＡＧＡＧＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＴＣＴＴＣＡＴＴＡＴＣＡＣＧＡＣＴＡＣＧＣＣＡＡＧＴＧＴＣＴＡＡＴＧＡＡＴＡＡＡＴＡＡＡＡＴＧＡＴＴＧＣＡＧＴＣＴＣＧＣＴＣＡＧＡＴＴＴＧＣＴＴＴＴＧＴＡＴＴＴＴＧＧＴＣＴＡＡＡＧＡＴＣＡＡＴＧＡＣＣＡＡＡＣＣＧＴＴＧＴＴＴＴＧＧＴＧＴＧＧＡＴＴＴＴＣＡＴＡＴＡＴＴＴＣＴＣＧＡＴＴＣＣＴＡＴＣＣＡＡＣＡＣＴＡＧＡＴＧＡＴＴＴＡＡＴＣＡＣＧＡＴＡＧＡＴＣＴＧＡＴＴＴＴＴＴ（配列番号：１４６）
翻訳：
ＭＭＳＫＬＧＶＬＬＴＩＣＬＬＬＦＰＬＴＡＬＰＭＤＧＤＱＰＡＤＱＰＡＤＲＭＱＤＤＩＳＳＥＱＹＰＬＦＤＫＲＱＫＣＣＧＰＧＧＳＣＰＶＹＦＲＤＮＦＩＣＧＣＣ（配列番号：１４７）
毒素配列：
Ｘａａ２−Ｌｙｓ−Ｃｙｓ−Ｃｙｓ−Ｇｌｙ−Ｘａａ３−Ｇｌｙ−Ｇｌｙ−Ｓｅｒ−Ｃｙｓ−Ｘａａ３−Ｖａｌ−Ｘａａ５−Ｐｈｅ−Ａｒｇ−Ａｓｐ−Ａｓｎ−Ｐｈｅ−Ｉｌｅ−Ｃｙｓ−Ｇｌｙ−Ｃｙｓ−Ｃｙｓ−＾（配列番号：１４８）
【０１３５】
名称：  Ｕ００１
種：  ｍａｇｕｓ
単離：  いいえ
毒素配列：
Ｘａａ２−Ｌｙｓ−Ｃｙｓ−Ｃｙｓ−Ｓｅｒ−Ｇｌｙ−Ｇｌｙ−Ｓｅｒ−Ｃｙｓ−Ｘａａ３−Ｌｅｕ−Ｘａａ５−Ｐｈｅ−Ａｒｇ−Ａｓｐ−Ａｒｇ−Ｌｅｕ−Ｉｌｅ−Ｃｙｓ−Ｘａａ３−Ｃｙｓ−Ｃｙｓ−＾（配列番号：１４９）
【０１３６】
名称：  Ｃｏｍａｔｏｓｅ／Ｄｅａｔｈ
種：  ｍａｒｍｏｒｅｕｓ
単離：  はい
毒素配列：
Ｓｅｒ−Ｌｙｓ−Ｇｌｎ−Ｃｙｓ−Ｃｙｓ−Ｈｉｓ−Ｌｅｕ−Ａｌａ−Ａｌａ−Ｃｙｓ−Ａｒｇ−Ｐｈｅ−Ｇｌｙ−Ｃｙｓ−Ｔｈｒ−Ｘａａ３−Ｃｙｓ−Ｃｙｓ−Ａｓｎ−＾（配列番号：１５０）
【０１３７】
名称：  Ｍｒ３．１
種：  ｍａｒｍｏｒｅｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＧＴＴＡＣＴＧＣＴＣＴＴＣＣＧＡＴＧＧＡＴＧＧＴＧＡＴＣＡＡＣＣＴＧＣＡＧＡＣＣＧＡＣＴＴＧＴＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＡＡＡＧＡＧＡＡＧＡＧＧＡＧＧＣＴＧＴＴＧＣＡＣＡＣＣＴＣＣＧＡＧＧＡＡＡＴＧＣＡＡＡＧＡＣＣＧＡＧＣＣＴＧＣＡＡＡＣＣＴＧＣＡＣＧＴＴＧＣＴＧＣＧＧＣＣＣＡＧＧＡＴＡＡＣＧＴＧＴＴＧＡＴＧＡＣＣＡＡＣＴＴＴＧＴＴＡＴＣＡＣＧＧＣＴＡＣＧＴＣＡＡＧＴＧＴＣＴＡＧＴＧＡＡＴＡＡＧＴＡＡＡＡＣＧＡＴＴＧＣＡＧ（配列番号：１５１）
翻訳：
ＭＭＳＫＬＧＶＬＬＴＩＣＬＬＬＦＰＶＴＡＬＰＭＤＧＤＱＰＡＤＲＬＶＥＲＭＱＤＮＩＳＳＥＱＨＰＦＦＥＫＲＲＧＧＣＣＴＰＰＲＫＣＫＤＲＡＣＫＰＡＲＣＣＧＰＧ（配列番号：１５２）
毒素配列：
Ａｒｇ−Ｇｌｙ−Ｇｌｙ−Ｃｙｓ−Ｃｙｓ−Ｔｈｒ−Ｘａａ３−Ｘａａ３−Ａｒｇ−Ｌｙｓ−Ｃｙｓ−Ｌｙｓ−Ａｓｐ−Ａｒｇ−Ａｌａ−Ｃｙｓ−Ｌｙｓ−Ｘａａ３−Ａｌａ−Ａｒｇ−Ｃｙｓ−Ｃｙｓ−Ｇｌｙ−Ｘａａ３−＃（配列番号：１５３）
【０１３８】
名称：  Ｍｒ３．２
種：  ｍａｒｍｏｒｅｕｓ
クローニング：  はい
ＤＮＡ配列：
ＧＡＧＣＴＣＧＧＴＡＣＣＣＣＧＡＣＣＴＣＡＡＧＡＧＧＧＡＴＣＧＡＴＡＧＣＡＧＴＴＣＡＴＧＡＴＧＴＣＴＡＡＡＣＴＧＧＧＡＡＴＣＴＴＧＴＴＧＡＣＣＡＴＣＴＧＴＣＴＡＣＴＴＣＴＡＴＴＴＣＣＣＣＴＴＡＣＴＧＣＴＧＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＡＣＡＴＣＡＴＣＣＣＴＴＴＴＴＴＧＡＴＣＣＣＧＴＣＡＡＡＣＧＧＴＧＴＴＧＣＡＧＧＴＴＡＴＣＡＴＧＣＧＧＣＣＴＧＧＧＡＴＧＣＣＡＣＣＣＴＴＧＴＴＧＴＧＧＡＴＧＡＣＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡ（配列番号：１５４）
翻訳：
ＭＭＳＫＬＧＩＬＬＴＩＣＬＬＬＦＰＬＴＡＶＰＬＤＧＤＱＰＡＤＲＰＡＥＲＭＱＤＤＩＳＳＥＨＨＰＦＦＤＰＶＫＲＣＣＲＬＳＣＧＬＧＣＨＰＣＣＧ（配列番号：１５５）
毒素配列：
Ｃｙｓ−Ｃｙｓ−Ａｒｇ−Ｌｅｕ−Ｓｅｒ−Ｃｙｓ−Ｇｌｙ−Ｌｅｕ−Ｇｌｙ−Ｃｙｓ−Ｈｉｓ−Ｘａａ３−Ｃｙｓ−Ｃｙｓ−＃（配列番号：１５６）
【０１３９】
名称：  Ｍｒ３．３
種：  ｍａｒｍｏｒｅｕｓ
クローニング：  はい
ＤＮＡ配列：
ＧＧＣＣＴＡＣＡＣＣＡＡＧＣＴＴＧＣＡＴＧＣＣＴＧＣＡＧＧＴＣＧＡＣＴＣＴＡＧＡＧＧＡＴＣＣＣＣＧＡＴＣＧＡＴＡＧＣＡＧＴＴＣＡＴＧＡＴＧＴＣＴＡＧＡＣＴＧＧＧＡＧＴＣＴＴＧＴＴＧＡＣＣＡＴＣＴＧＴＣＴＡＣＴＴＣＴＧＴＴＴＣＣＣＣＴＴＡＣＴＧＣＴＧＴＴＣＣＧＣＴＧＧＡＴＧＧＡＧＡＴＣＡＡＣＣＴＧＣＧＧＡＣＣＧＡＣＣＴＧＣＡＧＡＧＣＧＣＣＴＧＣＡＧＧＡＣＧＡＣＡＴＴＴＣＡＴＣＴＧＡＡＣＡＴＣＡＴＣＣＣＣＡＴＴＴＴＧＡＴＴＣＣＧＧＣＡＧＡＧＡＧＴＧＴＴＧＣＧＧＴＴＣＧＴＴＣＧＣＡＴＧＣＣＧＣＴＴＴＧＧＡＴＧＣＧＴＧＣＣＴＴＧＴＴＧＴＧＴＡＴＧＡＣＣＡＧＣＴＴＴＧＴＴＡＴＣＡＣＧＧＣＣＴＣＡＴＣＧＡＧＴＧＴＣＴＡＡＴＧＡＡＴＡＡＧＴＡＡＡＡＣＧＡＴＴＧＣＡＧＴＡＧＧＣＧＧＧＴＡＣＣＧＡＧＣＴＣＧＡＡＴＴＣＣ（配列番号：１５７）
翻訳：
ＭＭＳＲＬＧＶＬＬＴＩＣＬＬＬＦＰＬＴＡＶＰＬＤＧＤＱＰＡＤＲＰＡＥＲＬＱＤＤＩＳＳＥＨＨＰＨＦＤＳＧＲＥＣＣＧＳＦＡＣＲＦＧＣＶＰＣＣＶ（配列番号：１５８）
毒素配列：
Ｘａａ１−Ｃｙｓ−Ｃｙｓ−Ｇｌｙ−Ｓｅｒ−Ｐｈｅ−Ａｌａ−Ｃｙｓ−Ａｒｇ−Ｐｈｅ−Ｇｌｙ−Ｃｙｓ−Ｖａｌ−Ｘａａ３−Ｃｙｓ−Ｃｙｓ−Ｖａｌ−＾（配列番号：１５９）
【０１４０】
名称：  Ｍｒ３．４
種：  ｍａｒｍｏｒｅｕｓ
クローニング：  はい
ＤＮＡ配列：
ＣＧＡＣＣＴＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＡＴＴＴＣＣＣＣＴＴＡＣＴＧＣＴＧＴＴＣＣＧＣＴＧＧＡＴＧＧＡＧＡＣＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＡＣＧＴＣＡＴＣＣＴＴＴＴＴＴＴＧＡＴＣＧＣＡＧＣＡＡＡＣＡＧＴＧＴＴＧＣＣＡＴＣＴＧＣＣＧＧＣＡＴＧＣＣＧＣＴＴＣＧＧＡＴＧＴＡＣＧＣＣＴＴＧＴＴＧＴＴＧＧＴＧＡＴＣＡＧＣＴＴＴＧＴＴＡＴＣＧＣＧＴＣＣＴＣＡＴＣＡＡＧＴＧＴＣＴＡＡＴＧＡＡＴＡＡＧＴＡＡＡＡＴＧＡＴＴＧＣＡＧ（配列番号：１６０）
翻訳：
ＭＭＳＫＬＧＶＬＬＴＩＣＬＬＬＦＰＬＴＡＶＰＬＤＧＤＱＰＡＤＲＰＡＥＲＭＱＤＤＩＳＳＥＲＨＰＦＦＤＲＳＫＱＣＣＨＬＰＡＣＲＦＧＣＴＰＣＣＷ（配列番号：１６１）
毒素配列：
Ｓｅｒ−Ｌｙｓ−Ｇｌｎ−Ｃｙｓ−Ｃｙｓ−Ｈｉｓ−Ｌｅｕ−Ｘａａ３−Ａｌａ−Ｃｙｓ−Ａｒｇ−Ｐｈｅ−Ｇｌｙ−Ｃｙｓ−Ｔｈｒ−Ｘａａ３−Ｃｙｓ−Ｃｙｓ−Ｘａａ４−＾（配列番号：１６２）
【０１４１】
名称：  Ｍｒ３．５
種：  ｍａｒｍｏｒｅｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＣＴＧＧＡＴＧＧＡＧＡＴＣＡＡＣＣＴＧＣＡＧＡＣＣＡＡＣＧＴＧＣＡＧＡＧＣＧＴＡＣＧＣＡＧＧＣＣＧＡＧＡＡＧＣＡＴＴＣＣＴＴＧＣＣＴＧＡＴＣＣＧＡＧＡＡＴＧＧＧＣＴＧＴＴＧＣＣＣＧＴＴＴＣＣＡＴＧＣＡＡＡＡＣＣＡＧＴＴＧＣＡＣＴＡＣＴＴＴＧＴＧＴＴＧＣＧＧＧＴＧＡＴＧＡＴＡＡＣＧＴＧＴＴＧＡＴＧＡＣＣＡＡＣＴＴＴＣＴＣＧＡＧ（配列番号：１６３）
翻訳：
ＧＳＭＭＳＫＬＧＶＬＬＴＩＣＬＬＬＦＰＬＴＡＬＰＬＤＧＤＱＰＡＤＱＲＡＥＲＴＱＡＥＫＨＳＬＰＤＰＲＭＧＣＣＰＦＰＣＫＴＳＣＴＴＬＣＣＧ（配列番号：１６４）
毒素配列：
Ｍｅｔ−Ｇｌｙ−Ｃｙｓ−Ｃｙｓ−Ｘａａ３−Ｐｈｅ−Ｘａａ３−Ｃｙｓ−Ｌｙｓ−Ｔｈｒ−Ｓｅｒ−Ｃｙｓ−Ｔｈｒ−Ｔｈｒ−Ｌｅｕ−Ｃｙｓ−Ｃｙｓ−＃（配列番号：１６５）
【０１４２】
名称：  Ｕ０１４
種：  ｍａｒｍｏｒｅｕｓ
単離：  はい
毒素配列：
Ｃｙｓ−Ｃｙｓ−Ｈｉｓ−Ｘａａ４−Ａｓｎ−Ｘａａ４−Ｃｙｓ−Ａｓｐ−Ｈｉｓ−Ｌｅｕ−Ｃｙｓ−Ｓｅｒ−Ｃｙｓ−Ｃｙｓ−Ｇｌｙ−Ｓｅｒ−＾（配列番号：１６６）
【０１４３】
名称：  Ｕ０１７
種：  ｍａｒｍｏｒｅｕｓ
クローニング：  はい
ＤＮＡ配列：
ＧＣＣＡＡＧＣＴＴＧＣＡＴＧＣＣＴＧＣＡＧＧＡＴＧＡＣＴＣＴＡＧＡＧＧＡＴＣＣＣＣＡＣＣＴＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＧＣＣＣＴＴＡＣＴＧＣＴＧＴＴＣＣＧＣＴＧＧＡＴＧＧＡＧＡＴＣＡＡＣＣＴＧＣＡＧＡＣＣＧＡＣＣＴＧＣＡＧＡＡＣＧＴＡＴＧＣＡＧＧＡＣＧＡＣＡＴＴＴＣＡＴＣＴＧＡＡＣＧＴＣＡＴＣＣＣＡＴＧＴＴＴＧＡＴＧＣＣＧＴＣＡＧＡＧＡＴＴＧＴＴＧＣＣＣＧＴＴＧＣＣＧＧＣＡＴＧＣＣＣＣＴＴＴＧＧＡＴＧＣＡＡＣＣＣＴＴＧＴＴＧＴＧＧＡＴＧＡＣＣＡＧＣＴＴＴＧＴＴＡＴＣＧＧＧＡＣＣＴＣＡＴＣＡＡＧＴＧＴＣＴＡＡＴＧＡＡＴＡＡＧＴＡＡＡＡＡＡＣＧＡＴＴＣＧＡＧＴＧＧＧＴＡＣＣＧＡＧＣＴＣＧＡＡＴＴＣＣ（配列番号：１６７）
翻訳：
ＭＭＳＫＬＧＶＬＬＴＩＣＬＬＬＦＡＬＴＡＶＰＬＤＧＤＱＰＡＤＲＰＡＥＲＭＱＤＤＩＳＳＥＲＨＰＭＦＤＡＶＲＤＣＣＰＬＰＡＣＰＦＧＣＮＰＣＣＧ（配列番号：１６８）
毒素配列：
Ａｓｐ−Ｃｙｓ−Ｃｙｓ−Ｘａａ３−Ｌｅｕ−Ｘａａ３−Ａｌａ−Ｃｙｓ−Ｘａａ３−Ｐｈｅ−Ｇｌｙ−Ｃｙｓ−Ａｓｎ−Ｘａａ３−Ｃｙｓ−Ｃｙｓ−＃（配列番号：１６９）
【０１４４】
名称：  Ｕ０１９
種：  ｍａｒｍｏｒｅｕｓ
単離：  はい
毒素配列：
Ｃｙｓ−Ｃｙｓ−Ａｌａ−Ｘａａ３−Ｓｅｒ−Ａｌａ−Ｃｙｓ−Ａｒｇ−Ｌｅｕ−Ｇｌｙ−Ｃｙｓ−Ａｒｇ−Ｘａａ３−Ｃｙｓ−Ｃｙｓ−Ａｒｇ−＾（配列番号：１７０）
【０１４５】
名称：  Ｕ０２０
種：  ｍａｒｍｏｒｅｕｓ
単離：  はい
毒素配列：
Ｃｙｓ−Ｃｙｓ−Ａｌａ−Ｘａａ３−Ｓｅｒ−Ａｌａ−Ｃｙｓ−Ａｒｇ−Ｌｅｕ−Ｇｌｙ−Ｃｙｓ−Ａｒｇ−Ｘａａ３−Ｃｙｓ−Ｃｙｓ−Ａｒｇ−＾（配列番号：１７１）
【０１４６】
名称：  Ｕ０２２
種：  ｍａｒｍｏｒｅｕｓ
単離：  はい
毒素配列：
Ｃｙｓ−Ｃｙｓ−Ａｌａ−Ｘａａ３−Ｓｅｒ−Ａｌａ−Ｃｙｓ−Ａｒｇ−Ｌｅｕ−Ｇｌｙ−Ｃｙｓ−Ａｒｇ−Ｘａａ３−Ｃｙｓ−Ｃｙｓ−Ａｒｇ−＾（配列番号：１７２）
【０１４７】
名称：  Ｕ０２４
種：  ｍａｒｍｏｒｅｕｓ
単離：  はい
毒素配列：
Ｇｌｙ−Ｃｙｓ−Ｃｙｓ−Ｇｌｙ−Ｓｅｒ−Ｐｈｅ−Ａｌａ−Ｃｙｓ−Ａｒｇ−Ｐｈｅ−Ｇｌｙ−Ｃｙｓ−Ｖａｌ−Ｘａａ３−Ｃｙｓ−Ｃｙｓ−Ｖａｌ−＾（配列番号：１７３）
【０１４８】
名称：  Ｎｂ３．１
種：  ｎｏｂｉｌｉｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＣＣＣＣＴＴＡＣＴＧＣＴＣＴＴＣＣＧＣＴＧＧＡＴＧＡＡＧＡＴＣＡＡＣＣＧＧＴＡＣＡＣＣＧＡＣＣＴＧＣＡＧＡＧＣＧＴＡＴＧＣＡＧＧＡＣＡＴＴＴＣＡＴＣＴＧＡＴＣＡＡＣＡＴＣＴＣＴＴＣＴＴＴＧＡＴＣＴＣＡＴＣＡＡＡＣＧＧＴＧＣＴＧＣＧＡＧＴＴＧＣＣＡＴＧＣＧＧＧＣＣＡＧＧＣＴＴＴＴＧＣＧＴＣＣＣＴＴＧＴＴＧＣＴＧＡＣＡＴＣＡＡＴＡＡＣＧＴＧＴＴＧＡＴＧＡＣＣＡＡＣＴＴＴＣＴＣＧＡＧ（配列番号：１７４）
翻訳：
ＧＳＭＭＳＫＬＧＶＬＬＴＩＣＬＬＬＦＰＬＴＡＬＰＬＤＥＤＱＰＶＨＲＰＡＥＲＭＱＤＩＳＳＤＱＨＬＦＦＤＬＩＫＲＣＣＥＬＰＣＧＰＧＦＣＶＰＣＣ（配列番号：１７５）
毒素配列：
Ｃｙｓ−Ｃｙｓ−Ｘａａ１−Ｌｅｕ−Ｘａａ３−Ｃｙｓ−Ｇｌｙ−Ｘａａ３−Ｇｌｙ−Ｐｈｅ−Ｃｙｓ−Ｖａｌ−Ｘａａ３−Ｃｙｓ−Ｃｙｓ−＾（配列番号：１７６）
【０１４９】
名称：  Ｎｂ３．２
種：  ｎｏｂｉｌｉｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＣＣＣＣＴＴＡＣＴＧＣＴＴＴＴＣＣＧＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＡＣＴＧＧＧＡＡＧＡＡＧＧＧＧＴＣＡＴＧＣＴＣＣＧＧＣＡＡＡＧＣＡＴＧＣＡＡＡＡＡＴＣＴＣＡＡＡＴＧＴＴＧＣＴＣＴＧＧＡＣＧＡＴＡＡＣＧＴＧＴＴＧＡＴＧＡＣＣＡＡＣＴＴＴＣＴＣＧＡＧ（配列番号：１７７）
翻訳：
ＧＳＭＭＳＫＬＧＶＬＬＴＩＣＬＬＬＦＰＬＴＡＦＰＭＤＧＤＱＰＡＤＱＰＡＤＲＭＱＤＤＩＳＳＥＱＹＰＬＦＤＫＲＱＫＣＣＴＧＫＫＧＳＣＳＧＫＡＣＫＮＬＫＣＣＳＧＲ（配列番号：１７８）
毒素配列：
Ｘａａ２−Ｌｙｓ−Ｃｙｓ−Ｃｙｓ−Ｔｈｒ−Ｇｌｙ−Ｌｙｓ−Ｌｙｓ−Ｇｌｙ−Ｓｅｒ−Ｃｙｓ−Ｓｅｒ−Ｇｌｙ−Ｌｙｓ−Ａｌａ−Ｃｙｓ−Ｌｙｓ−Ａｓｎ−Ｌｅｕ−Ｌｙｓ−Ｃｙｓ−Ｃｙｓ−Ｓｅｒ−＃（配列番号：１７９）
【０１５０】
名称：  Ｐｕ３．１
種：  ｐｕｌｉｃａｒｉｕｓ
クローニング：  はい
ＤＮＡ配列：
ＧＧＡＴＣＣＡＴＧＡＴＧＴＣＴＡＡＡＣＴＧＧＧＡＧＴＴＴＴＧＴＴＧＡＣＣＡＴＣＴＧＴＣＴＧＣＴＴＣＴＧＴＴＴＣＣＣＣＴＴＡＣＴＧＣＴＧＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＡＴＴＧＣＡＡＣＴＧＡＡＣＡＧＣＡＴＣＣＣＴＴＣＴＴＴＧＡＴＣＣＣＧＴＣＡＡＡＣＧＧＴＧＴＴＧＣＡＡＣＡＧＣＴＧＴＴＡＣＡＴＧＧＧＡＴＧＣＡＴＣＣＣＴＴＧＴＴＧＣＴＴＣＴＡＧＴＡＡＴＡＡＣＧＴＧＴＴＧＡＴＧＡＣＣＡＡＣＴＴＴＣＴＣＧＡＧ（配列番号：１８０）
翻訳：
ＧＳＭＭＳＫＬＧＶＬＬＴＩＣＬＬＬＦＰＬＴＡＶＰＬＤＧＤＱＰＡＤＲＰＡＥＲＭＱＤＩＡＴＥＱＨＰＦＦＤＰＶＫＲＣＣＮＳＣＹＭＧＣＩＰＣＣＦ（配列番号：１８１）
毒素配列：
Ｃｙｓ−Ｃｙｓ−Ａｓｎ−Ｓｅｒ−Ｃｙｓ−Ｘａａ５−Ｍｅｔ−Ｇｌｙ−Ｃｙｓ−Ｉｌｅ−Ｘａａ３−Ｃｙｓ−Ｃｙｓ−Ｐｈｅ−＾（配列番号：１８２）
【０１５１】
名称：  Ｑｃ３．１
種：  ｑｕｅｒｃｉｎｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＡＧＣＴＣＴＴＣＡＧＣＴＧＧＡＴＧＧＡＧＡＴＣＡＡＣＣＴＧＣＡＧＡＣＣＧＡＣＣＴＧＣＡＧＡＧＣＧＴＡＣＧＣＡＧＧＡＣＡＴＴＧＣＡＴＣＴＧＡＡＣＡＧＴＡＴＣＧＡＡＡＧＴＴＴＧＡＴＣＡＧＡＧＡＣＡＧＡＧＧＴＧＴＴＧＣＣＡＧＴＧＧＣＣＡＴＧＣＣＣＣＧＧＴＡＧＴＴＧＣＡＧＡＴＧＣＴＧＣＣＧＴＡＣＴＧＧＴＴＡＡＣＧＴＧＴＴＧＡＴＧＡＣＣＡＡＣＴＴＴＣＴＣＧＡＧ（配列番号：１８３）
翻訳：
ＧＳＭＭＳＫＬＧＶＬＬＴＩＣＬＬＬＦＰＬＴＡＬＱＬＤＧＤＱＰＡＤＲＰＡＥＲＴＱＤＩＡＳＥＱＹＲＫＦＤＱＲＱＲＣＣＱＷＰＣＰＧＳＣＲＣＣＲＴＧ（配列番号：１８４）
毒素配列：
Ｘａａ２−Ａｒｇ−Ｃｙｓ−Ｃｙｓ−Ｇｌｎ−Ｘａａ４−Ｘａａ３−Ｃｙｓ−Ｘａａ３−Ｇｌｙ−Ｓｅｒ−Ｃｙｓ−Ａｒｇ−Ｃｙｓ−Ｃｙｓ−Ａｒｇ−Ｔｈｒ−＃（配列番号：１８５）
【０１５２】
名称：  ＱｃＩＩＩＡ
種：  ｑｕｅｒｃｉｎｕｓ
単離：  はい
毒素配列：
Ｃｙｓ−Ｃｙｓ−Ｓｅｒ−Ｇｌｎ−Ａｓｐ−Ｃｙｓ−Ｌｅｕ−Ｖａｌ−Ｃｙｓ−Ｉｌｅ−Ｘａａ３−Ｃｙｓ−Ｃｙｓ−Ｘａａ３−Ａｓｎ−＃（配列番号：１８６）
【０１５３】
名称：  ＱｃＩＩＩＢ
種：  ｑｕｅｒｃｉｎｕｓ
単離：  はい
毒素配列：
Ｃｙｓ−Ｃｙｓ−Ｓｅｒ−Ａｒｇ−Ｈｉｓ−Ｃｙｓ−Ｘａａ４−Ｖａｌ−Ｃｙｓ−Ｉｌｅ−Ｘａａ３−Ｃｙｓ−Ｃｙｓ−Ｘａａ３−Ａｓｎ−？（配列番号：１８７）
【０１５４】
名称：  Ｒ３．１
種：  ｒａｄｉａｔｕｓ
単離：  はい
クローニング：  はい
ＤＮＡ配列：
ＴＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＣＴＧＴＡＧＡＣＣＧＡＣＴＴＧＣＡＧＡＧＣＧＴＡＴＧＣＡＧＧＡＣＡＡＣＡＴＴＴＣＡＴＣＴＧＡＧＣＡＧＣＡＴＡＣＣＴＴＣＴＴＴＧＡＡＡＡＧＡＧＡＣＴＡＣＣＡＴＣＧＴＧＴＴＧＣＴＣＣＣＴＴＡＡＣＴＴＧＣＧＧＣＴＴＴＧＣＣＣＡＧＴＡＣＣＡＧＣＡＴＧＣＡＡＡＣＧＴＡＡＣＣＣＴＴＧＴＴＧＣＡＣＡＧＧＡＴＡＡＣＧＴＧＴＴＧＡＴＧＡＣＣＡＡＣＴＴＴＧＴＴＡＴＣＡＣＧＧＣＴＡＣＧＴＣＡＡＧＴＧＴＣＴＡＧＴＧＡＡＴＡＡＧＴＡＡＡＡＣＧＡＴＴＧＣＡＧＴ（配列番号：１８８）
翻訳：
ＭＭＳＫＬＧＶＬＬＴＩＣＬＬＬＦＰＬＴＡＬＰＭＤＧＤＱＰＶＤＲＬＡＥＲＭＱＤＮＩＳＳＥＱＨＴＦＦＥＫＲＬＰＳＣＣＳＬＮＬＲＬＣＰＶＰＡＣＫＲＮＰＣＣＴＧ（配列番号：１８９）
毒素配列：
Ｌｅｕ−Ｘａａ３−Ｓｅｒ−Ｃｙｓ−Ｃｙｓ−Ｓｅｒ−Ｌｅｕ−Ａｓｎ−Ｌｅｕ−Ａｒｇ−Ｌｅｕ−Ｃｙｓ−Ｘａａ３−Ｖａｌ−Ｘａａ３−Ａｌａ−Ｃｙｓ−Ｌｙｓ−Ａｒｇ−Ａｓｎ−Ｘａａ３−Ｃｙｓ−Ｃｙｓ−Ｔｈｒ−＃（配列番号：１９０）
【０１５５】
名称：  Ｒ３．２
種：  ｒａｄｉａｔｕｓ
クローニング：  はい
ＤＮＡ配列：
ＡＧＧＴＣＧＡＣＴＣＴＡＧＡＧＧＡＴＣＣＣＣＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＣＴＧＣＡＧＡＣＣＧＡＣＴＴＧＣＡＧＡＧＣＧＴＡＴＧＣＡＧＧＡＣＧＡＣＡＴＴＴＣＡＴＣＴＧＡＧＣＡＧＣＡＴＣＣＣＴＴＣＴＴＴＡＡＡＡＡＧＡＧＡＣＡＡＣＡＡＡＧＡＴＧＴＴＧＣＡＣＣＧＴＴＡＡＧＡＧＧＡＴＴＴＧＴＣＣＡＧＴＡＣＣＡＧＣＡＴＧＣＡＧＡＡＧＴＡＡＡＣＣＴＴＧＴＴＧＣＡＡＡＴＣＡＴＡＡＣＧＴＡＴＴＧＡＴＧＡＣＣＡＡＣＴＴＴＧＴＴＡＴＣＡＣＧＧＣＴＡＣＧＴＣＡＡＧＴＧＴＣＴＡＧＴＧＡＡＴＡＡＧＴＡＡＡＡＴＧＡＴＴＧＣＡＧ（配列番号：１９１）
翻訳：
ＭＭＳＫＬＧＶＬＬＴＩＣＬＬＬＦＰＬＴＡＬＰＭＤＧＤＱＰＡＤＲＬＡＥＲＭＱＤＤＩＳＳＥＱＨＰＦＦＫＫＲＱＱＲＣＣＴＶＫＲＩＣＰＶＰＡＣＲＳＫＰＣＣＫＳ（配列番号：１９２）
毒素配列：
Ｘａａ２−Ｇｌｎ−Ａｒｇ−Ｃｙｓ−Ｃｙｓ−Ｔｈｒ−Ｖａｌ−Ｌｙｓ−Ａｒｇ−Ｉｌｅ−Ｃｙｓ−Ｘａａ３−Ｖａｌ−Ｘａａ３−Ａｌａ−Ｃｙｓ−Ａｒｇ−Ｓｅｒ−Ｌｙｓ−Ｘａａ３−Ｃｙｓ−Ｃｙｓ−Ｌｙｓ−Ｓｅｒ−＾（配列番号：１９３）
【０１５６】
名称：  Ｒ３．３
種：  ｒａｄｉａｔｕｓ
クローニング：  はい
ＤＮＡ配列：
ＡＣＣＴＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＧＴＴＡＣＴＧＣＴＣＴＴＣＣＧＡＴＧＧＡＴＧＧＴＧＡＴＣＡＡＣＣＴＧＣＡＧＡＣＣＧＡＣＴＴＧＴＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＡＡＡＧＡＧＡＡＧＡＧＧＡＧＧＣＴＧＴＴＧＣＡＣＡＣＣＴＣＣＧＡＧＧＡＡＡＴＧＣＡＡＡＧＡＣＣＧＡＧＣＣＴＧＣＡＡＡＣＣＴＧＣＡＣＧＴＴＧＣＴＧＣＧＧＣＣＣＡＧＧＡＴＡＡＣＧＴＧＴＴＧＡＴＧＡＣＣＡＡＣＴＴＴＧＴＴＡＴＣＡＣＧＧＣＴＡＣＧＴＣＡＡＧＴＧＴＣＴＡＧＴＧＡＡＴＡＡＧＴＡＡＡＡＣＧＡＴＴＧＣＡＧＴ（配列番号：１９４）
翻訳：
ＭＭＳＫＬＧＶＬＬＴＩＣＬＬＬＦＰＶＴＡＬＰＭＤＧＤＱＰＡＤＲＬＶＥＲＭＱＤＮＩＳＳＥＱＨＰＦＦＥＫＲＲＧＧＣＣＴＰＰＲＫＣＫＤＲＡＣＫＰＡＲＣＣＧＰＧ（配列番号：１９５）
毒素配列：
Ａｒｇ−Ｇｌｙ−Ｇｌｙ−Ｃｙｓ−Ｃｙｓ−Ｔｈｒ−Ｘａａ３−Ｘａａ３−Ａｒｇ−Ｌｙｓ−Ｃｙｓ−Ｌｙｓ−Ａｓｐ−Ａｒｇ−Ａｌａ−Ｃｙｓ−Ｌｙｓ−Ｘａａ３−Ａｌａ−Ａｒｇ−Ｃｙｓ−Ｃｙｓ−Ｇｌｙ−Ｘａａ３−＃（配列番号：１９６）
【０１５７】
名称：  Ｒａ３．１
種：  ｒａｔｔｕｓ
クローニング：  はい
ＤＮＡ配列：
ＧＧＡＴＣＣＡＴＧＡＴＧＴＣＴＡＡＡＣＴＧＧＧＡＧＴＣＴＴＧＧＴＧＡＣＣＡＴＣＴＧＣＣＴＧＣＴＴＣＴＧＴＴＣＣＣＴＣＴＴＧＣＴＧＣＴＴＴＴＣＣＡＣＴＧＧＡＴＧＧＡＧＡＴＣＡＡＣＣＴＧＣＡＧＡＣＣＡＣＣＣＴＧＣＡＡＡＧＣＧＴＡＣＧＣＡＡＧＡＴＧＡＣＡＧＴＴＣＡＧＣＴＧＣＣＣＴＧＡＴＣＡＡＴＧＣＣＴＧＧＣＴＴＧＡＴＧＡＡＴＣＣＣＡＧＡＣＴＴＧＣＴＧＣＡＧＴＡＡＣＴＧＣＧＧＴＧＡＡＧＡＴＴＧＴＧＡＴＧＧＴＴＧＴＴＧＣＣＡＧＴＡＡＣＧＴＧＴＴＧＡＴＧＡＣＣＡＡＣＴＴＴＣＴＣＧＡＧ（配列番号：１９７）
翻訳：
ＧＳＭＭＳＫＬＧＶＬＶＴＩＣＬＬＬＦＰＬＡＡＦＰＬＤＧＤＱＰＡＤＨＰＡＫＲＴＱＤＤＳＳＡＡＬＩＮＡＷＬＤＥＳＱＴＣＣＳＮＣＧＥＤＣＤＧＣＣＱ（配列番号：１９８）
毒素配列：
Ｘａａ２−Ｔｈｒ−Ｃｙｓ−Ｃｙｓ−Ｓｅｒ−Ａｓｎ−Ｃｙｓ−Ｇｌｙ−Ｘａａ１−Ａｓｐ−Ｃｙｓ−Ａｓｐ−Ｇｌｙ−Ｃｙｓ−Ｃｙｓ−Ｇｌｎ−＾（配列番号：１９９）
【０１５８】
名称：  Ｓｍ３．１
種：  ｓｔｅｒｃｕｓｍｕｓｃａｒｕｍ
クローニング：  はい
ＤＮＡ配列：
ＧＡＣＣＴＣＡＡＧＡＧＧＧＡＴＣＧＡＴＡＧＣＡＧＴＴＣＧＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＴＣＴＴＡＣＴＧＣＴＣＴＴＣＣＧＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＡＣＴＧＧＧＡＡＧＡＡＧＧＧＧＴＣＡＴＧＣＴＣＣＧＧＣＡＡＡＧＣＡＴＧＣＡＡＡＡＡＴＣＴＣＡＡＡＴＧＴＴＧＣＴＣＴＧＧＡＣＧＡＴＡＡＣＧＴＧＴＴＧＡＴＧＡＣＣＡＡＣＴＴＴＧＴＴＡＴＣＡＣＧＧＣＴＡＣＧＴＣＡＡＧＴＧＴＣＴＡＡＴＧＡＡＴＡＡＧＴＡＡＡＡＣＧＡＴＴＧＣＡＧＴ（配列番号：２００）
翻訳：
ＭＳＫＬＧＶＬＬＴＩＣＬＬＬＦＰＬＴＡＬＰＭＤＧＤＱＰＡＤＱＰＡＤＲＭＱＤＤＩＳＳＥＱＹＰＬＦＤＫＲＱＫＣＣＴＧＫＫＧＳＣＳＧＫＡＣＫＮＬＫＣＣＳＧＲ（配列番号：２０１）
毒素配列：
Ｘａａ２−Ｌｙｓ−Ｃｙｓ−Ｃｙｓ−Ｔｈｒ−Ｇｌｙ−Ｌｙｓ−Ｌｙｓ−Ｇｌｙ−Ｓｅｒ−Ｃｙｓ−Ｓｅｒ−Ｇｌｙ−Ｌｙｓ−Ａｌａ−Ｃｙｓ−Ｌｙｓ−Ａｓｎ−Ｌｅｕ−Ｌｙｓ−Ｃｙｓ−Ｃｙｓ−Ｓｅｒ−＃（配列番号：２０２）
【０１５９】
名称：  Ｕ０３４
種：  ｓｔｅｒｃｕｓｍｕｓｃａｒｕｍ
単離：  はい
クローニング：  はい
ＤＮＡ配列：
ＧＡＴＣＧＡＴＡＧＣＡＧＴＴＣＧＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＡＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＧＧＣＣＣＣＧＧＣＧＣＧＴＣＡＴＧＣＣＣＣＡＧＡＴＡＴＴＴＣＡＡＡＧＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＡＣＴＴＣＧＴＴＡＴＣＡＣＧＡＣＴＴＣＧＣＣＡＡＧＴＧＴＣＴＡＡＴＧＡＡＴＡＡＧＴＡＡＡＡＣＧＡＴＴＧＣＡＧＴ（配列番号：２０３）
翻訳：
ＭＳＫＬＧＶＬＬＴＩＣＬＬＬＦＰＬＴＡＬＰＭＤＧＤＱＰＡＤＱＰＡＤＲＭＱＮＤＩＳＳＥＱＹＰＬＦＤＫＲＱＫＣＣＧＰＧＡＳＣＰＲＹＦＫＤＮＦＩＣＧＣＣ（配列番号：２０４）
毒素配列：
Ｘａａ２−Ｌｙｓ−Ｃｙｓ−Ｃｙｓ−Ｇｌｙ−Ｘａａ３−Ｇｌｙ−Ａｌａ−Ｓｅｒ−Ｃｙｓ−Ｘａａ３−Ａｒｇ−Ｘａａ５−Ｐｈｅ−Ｌｙｓ−Ａｓｐ−Ａｓｎ−Ｐｈｅ−Ｉｌｅ−Ｃｙｓ−Ｇｌｙ−Ｃｙｓ−Ｃｙｓ−＾（配列番号：２０５）
【０１６０】
名称：  Ｓ３．１
種：  ｓｔｒｉａｔｕｓ
クローニング：  はい
ＤＮＡ配列：
ＣＧＡＣＣＴＴＴＣＡＡＧＡＧＧＧＡＴＣＧＡＴＡＧＣＡＧＴＴＣＧＣＧＡＴＧＴＣＴＡＡＡＣＴＧＧＧＧＧＴＡＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＡＡＧＡＴＣＡＡＣＣＴＧＣＡＧＡＣＣＡＡＣＴＴＧＡＡＧＡＴＣＧＴＡＴＧＣＡＧＧＡＣＧＡＣＡＴＴＴＣＡＴＣＴＧＡＧＣＡＧＴＡＴＣＣＣＴＣＧＴＴＴＧＴＴＡＧＧＡＧＡＣＡＡＡＡＧＴＧＴＴＧＣＧＧＣＧＡＡＧＧＣＴＣＧＴＣＡＴＧＣＣＣＣＡＡＡＴＡＴＴＴＣＡＡＡＡＡＣＡＡＴＴＴＴＡＴＴＴＧＴＧＧＴＴＧＴＴＧＴＴＡＡＡＴＧＡＣＡＡＣＧＴＧＴＣＧＡＴＧＡＣＣＡＡＣＴＴＣＧＴＴＡＴＣＡＣＧＡＣＴＡＣＧＣＣＡＡＧＴＧＴＣＴＴＧＴＣＴＡＡＴＧＡＴＡＡＴＡＡＡＡＴＧＡＴＴＣＣ（配列番号：２０６）
翻訳：
ＭＳＫＬＧＶＬＬＴＩＣＬＬＬＦＰＬＴＡＬＰＭＤＥＤＱＰＡＤＱＬＥＤＲＭＱＤＤＩＳＳＥＱＹＰＳＦＶＲＲＱＫＣＣＧＥＧＳＳＣＰＫＹＦＫＮＮＦＩＣＧＣＣ（配列番号：２０７）
毒素配列：
Ｘａａ２−Ｌｙｓ−Ｃｙｓ−Ｃｙｓ−Ｇｌｙ−Ｘａａ１−Ｇｌｙ−Ｓｅｒ−Ｓｅｒ−Ｃｙｓ−Ｘａａ３−Ｌｙｓ−Ｘａａ５−Ｐｈｅ−Ｌｙｓ−Ａｓｎ−Ａｓｎ−Ｐｈｅ−Ｉｌｅ−Ｃｙｓ−Ｇｌｙ−Ｃｙｓ−Ｃｙｓ−＾（配列番号：２０８）
【０１６１】
名称：  Ｓ３．２
種：  ｓｔｒｉａｔｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＧＴＣＴＧＴＣＴＧＣＴＴＣＴＧＴＴＴＣＣＣＣＴＴＡＣＴＧＣＴＣＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＣＧＡＧＣＡＴＣＣＣＴＴＧＴＴＴＧＡＴＡＡＧＡＧＡＣＡＡＡＡＣＴＧＴＴＧＣＡＡＴＧＧＧＧＧＡＴＧＣＴＣＣＡＧＣＡＡＡＴＧＧＴＧＣＡＧＡＧＡＴＣＡＣＧＣＡＣＧＴＴＧＴＴＧＣＧＧＴＣＧＡＴＧＡＴＡＡＣＧＴＧＴＴＧＡＴＧＡＣＣＡＡＣＴＴＴＣＴＣＧＡＧ（配列番号：２０９）
翻訳：
ＧＳＭＭＳＫＬＧＶＬＬＴＶＣＬＬＬＦＰＬＴＡＬＰＬＤＧＤＱＰＡＤＲＰＡＥＲＭＱＤＤＩＳＳＤＥＨＰＬＦＤＫＲＱＮＣＣＮＧＧＣＳＳＫＷＣＲＤＨＡＲＣＣＧＲ（配列番号：２１０）
毒素配列：
Ｘａａ２−Ａｓｎ−Ｃｙｓ−Ｃｙｓ−Ａｓｎ−Ｇｌｙ−Ｇｌｙ−Ｃｙｓ−Ｓｅｒ−Ｓｅｒ−Ｌｙｓ−Ｘａａ４−Ｃｙｓ−Ａｒｇ−Ａｓｐ−Ｈｉｓ−Ａｌａ−Ａｒｇ−Ｃｙｓ−Ｃｙｓ−＃（配列番号：２１１）
【０１６２】
名称：  Ｔｓ３．１
種：  ｔｅｓｓｕｌａｔｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＧＴＧＴＣＴＧＣＴＴＣＴＧＴＴＴＣＣＣＣＴＴＡＣＴＧＣＴＧＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＧＧＣＡＧＧＡＣＡＴＴＧＣＡＡＣＴＧＡＣＧＡＴＣＡＴＣＣＴＴＴＧＴＴＴＧＡＴＣＣＣＧＴＣＡＡＡＣＧＧＴＧＣＴＧＣＣＡＣＡＡＡＴＧＣＴＡＴＡＴＧＧＧＡＴＧＣＡＴＣＣＣＴＴＧＴＴＧＣＡＴＴＴＡＧＴＡＡＣＧＴＧＴＴＧＡＴＧＡＣＣＡＡＣＴＴＴＣＴＣＧＡＧ（配列番号：２１２）
翻訳：
ＧＳＭＭＳＫＬＧＶＬＬＴＭＣＬＬＬＦＰＬＴＡＶＰＬＤＧＤＱＰＡＤＲＰＡＥＲＲＱＤＩＡＴＤＤＨＰＬＦＤＰＶＫＲＣＣＨＫＣＹＭＧＣＩＰＣＣＩ（配列番号：２１３）
毒素配列：
Ｃｙｓ−Ｃｙｓ−Ｈｉｓ−Ｌｙｓ−Ｃｙｓ−Ｘａａ５−Ｍｅｔ−Ｇｌｙ−Ｃｙｓ−Ｉｌｅ−Ｘａａ３−Ｃｙｓ−Ｃｙｓ−Ｉｌｅ−＾（配列番号：２１４）
【０１６３】
名称：  Ｔｓ３．２
種：  ｔｅｓｓｕｌａｔｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＧＴＧＣＴＴＣＴＧＴＴＴＣＣＣＣＴＴＡＣＴＧＣＴＧＴＴＣＣＧＣＴＧＧＡＴＧＧＡＧＡＴＣＡＡＣＣＴＧＣＡＧＡＣＣＡＡＣＣＴＧＣＡＧＡＧＣＧＴＡＣＧＣＡＧＡＡＣＧＡＧＣＡＧＣＡＴＣＣＣＴＴＧＴＡＴＧＡＴＣＡＧＡＡＡＡＧＡＡＡＧＴＧＴＴＧＣＣＧＧＣＣＧＣＣＡＴＧＣＧＣＣＡＴＧＡＧＣＴＧＣＧＧＣＡＴＧＧＣＴＡＧＧＴＧＴＴＧＣＴＡＴＴＡＡＴＧＡＴＡＡＣＧＴＧＴＴＧＡＴＧＡＣＣＡＡＣＴＴＴＣＴＣＧＡＧ（配列番号：２１５）
翻訳：
ＧＳＭＭＳＫＬＧＶＬＬＴＩＣＶＬＬＦＰＬＴＡＶＰＬＤＧＤＱＰＡＤＱＰＡＥＲＴＱＮＥＱＨＰＬＹＤＱＫＲＫＣＣＲＰＰＣＡＭＳＣＧＭＡＲＣＣＹ（配列番号：２１６）
毒素配列：
Ｌｙｓ−Ｃｙｓ−Ｃｙｓ−Ａｒｇ−Ｘａａ３−Ｘａａ３−Ｃｙｓ−Ａｌａ−Ｍｅｔ−Ｓｅｒ−Ｃｙｓ−Ｇｌｙ−Ｍｅｔ−Ａｌａ−Ａｒｇ−Ｃｙｓ−Ｃｙｓ−Ｘａａ５−＾（配列番号：２１７）
【０１６４】
名称：  Ｃｉｒｃｌｉｎｇ
種：  ｔｅｘｔｉｌｅ
単離：  はい
クローニング：  はい
ＤＮＡ配列：
ＧＡＧＴＣＡＡＣＣＣＡＣＴＧＴＣＡＣＧＣＣＡＡＧＡＧＣＧＧＡＣＧＣＣＡＣＡＧＣＴＡＡＧＧＣＡＡＧＡＡＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＣＡＧＣＧＴＣＴＧＣＡＧＧＡＣＣＧＣＡＴＴＣＣＡＡＣＴＧＡＡＧＡＴＣＡＴＣＣＣＴＴＡＴＴＴＧＡＴＣＣＣＡＡＣＡＡＡＣＧＧＴＧＴＴＧＣＣＣＧＣＣＧＧＴＧＧＣＡＴＧＣＡＡＣＡＴＧＧＧＡＴＧＣＡＡＧＣＣＴＴＧＴＴＧＴＧＧＡＴＧＡＣＣＡＧＣＴＴＴＧＴＴＡＴＣＧＣＧＧＴＣＴＣＡＴＧＡＡＧＴＧＴＣＴＡＡＴＧＡＡＴＡＡＧＴＡＡＡＡＣＧＡＴＴＧＣＡＧＴＴＴＣＧＴＴＣＡＧＡＴＴＴＧＣＴＧＴＴＧＴＡＴＴＴＴＧＧＴＣＴＡＡＡＧＡＴＴＡＡＴＧＡＣＣＡＡＡＣＴＧＴＴＣＴＴＴＴＧＡＴＣＣＧＧＡＴＴＴＴＣＡＣＧＴＡＴＴＴＣＴＣＧＡＴＴＣＣＴＡＴＴＣＡＡＣＡＣＴＡＧＡＴＡＡＧＴＴＡＡＴＣＡＣＧＡＣＡＧＡＴＣＴＧＡＴＴＴＴＣＣＡＴＣＡＡＴＧＣＣＴＴＧＣＴＴＴＴＴＧＧＴＣＴＧＴＣＡＴＡＴＡＡＡＴＣＴＴＧＴＴＴＡＴＡＴＴＴＡＡＴＴＴＣＴＣＧＴＣＡＣＴＴＴＣＡＡＣＡＣＧＣＡＣＡＣＡＣＡＣＡＣＡＣＡＣＡＣＡＣＡＣＧＣＧＣＧＣＧＣ（配列番号：２１８）
翻訳：
ＭＭＳＫＬＧＡＬＬＴＩＣＬＬＬＦＳＬＴＡＶＰＬＤＧＤＱＨＡＤＱＰＡＱＲＬＱＤＲＩＰＴＥＤＨＰＬＦＤＰＮＫＲＣＣＰＰＶＡＣＮＭＧＣＫＰＣＣＧ（配列番号：２１９）
毒素配列：
Ｃｙｓ−Ｃｙｓ−Ｘａａ３−Ｘａａ３−Ｖａｌ−Ａｌａ−Ｃｙｓ−Ａｓｎ−Ｍｅｔ−Ｇｌｙ−Ｃｙｓ−Ｌｙｓ−Ｘａａ３−Ｃｙｓ−Ｃｙｓ−Ｇｌｙ−＾（配列番号：２２０）
【０１６５】
名称：  Ｓｃｒａｔｃｈｅｒ Ｉ
種：  ｔｅｘｔｉｌｅ
クローニング：  はい
ＤＮＡ配列：
ＧＧＡＴＣＣＡＧＡＣＧＡＣＡＡＡＧＡＡＧＡＧＴＣＡＡＣＣＣＡＣＴＧＣＣＡＣＧＴＣＡＡＧＡＧＣＡＧＡＧＣＣＣＡＣＡＧＣＴＡＡＧＡＣＡＡＧＡＡＧＧＡＴＣＧＡＴＡＧＣＡＧＴＴＣＡＴＧＡＴＧＴＴＴＡＡＡＣＴＧＧＧＡＧＴＣＴＴＧＴＴＧＡＣＣＡＴＣＴＧＴＣＴＣＣＴＴＣＴＧＴＴＴＴＣＣＣＴＴＡＡＴＧＣＴＧＴＴＣＣＧＴＴＧＧＡＴＧＧＡＧＡＴＣＡＡＣＣＴＧＣＡＧＡＣＣＡＡＣＣＴＧＣＡＧＡＧＣＧＴＣＴＧＣＴＧＧＡＣＧＡＣＡＴＴＴＣＡＴＴＴＧＡＡＡＡＴＡＡＴＣＣＣＴＴＴＴＡＴＧＡＴＣＣＣＧＣＣＡＡＡＣＧＧＴＧＴＴＧＣＡＧＧＡＣＴＴＧＣＴＴＣＧＧＴＴＧＣＡＣＡＣＣＴＴＧＴＴＧＴＧＧＡＴＧＡＣＣＡＧＣＣＴＣＡＴＣＡＡＧＴＧＴＣＴＡＡＣＧＡＡＴＡＡＧＴＡＡＡＧＣＧＡＴＴＧＣＡＧＴＣＴＣＧＴＴＣＡＧＡＴＴＴＡＣＴＴＴＴＧＴＡＴＴＣＴＧＧＴＣＴＡＡＡＧＡＴＴＡＡＴＧＡＣＣＡＡＡＣＴＣＴＴＣＴＴＴＴＧＡＴＣＣＧＧＡＴＧＴＡＣＡＴＡＴＡＴＴＴＣＴＣＧＡＴＴＣＣＴＡＴＣＣＡＡＣＧＣＴＡＧＡＴＡＡＧＣＴＡＡＴＣＡＣＧＡＣＡＧＡＴＣＴＧＡＴＴＴＴＣＴＧＴＣＡＡＴＧＣＣＴＴＧＣＴＴＴＴＴＧＧＴＣＴＣＴＣＡＴＡＴＣＡＣＴＣＴＴＧＴＴＴＡＴＡＴＴＴＡＡＴＴＴＣＴＣＧＴＣＡＣＴＡＴＡＴＡＴＡＴＡＴＡＴＡＣＡＣＡＣＡＣＡＣＡＣＡＣＡＣＧＧＡＡＴＴＣＣＧＡＴＴＧＴＣＣＡＧＴＡＣＣＧＴＴＣＴＴＧＧＧＡＴＣＧＡＧＧＴＡＴＴＧＣＴＧＣＧＡＴＧＧＣＴＴＡＴＴＣＴＧＴＡＣＴＣＴＴＴＴＣＴＴＣＴＧＣＧＣＴＴＧＡＴＡＧＴＧＡＴＧＴＣＴＴＣＴＡＣＴＣＣＣＡＴＣＴＧＴＧＣＴＡＣＣＣＣＴＧＧＣＴＴＧＡＴＣＴＴＴＧＡＴＡＧＧＣＧＴＧＴＧＣＣＣＴＴＣＡＣＴＧＧＴＴＡＴＡＡＡＣＣＣＣＴＣＴＧＡＴＣＣＴＡＣＴＣＴＣＴＧＧＡＣＧＣＣＴＣＧＧＧＧＧＣＣＣＡＡＣＣＴＣＣＡＡＡＴＡＡＡＧＣＧＡＣＡＴＣＣＡＡＴＧＡＡＡＡＡＡ（配列番号：２２１）
翻訳：
ＭＭＦＫＬＧＶＬＬＴＩＣＬＬＬＦＳＬＮＡＶＰＬＤＧＤＱＰＡＤＱＰＡＥＲＬＬＤＤＩＳＦＥＮＮＰＦＹＤＰＡＫＲＣＣＲＴＣＦＧＣＴＰＣＣＧ（配列番号：２２２）
毒素配列：
Ｃｙｓ−Ｃｙｓ−Ａｒｇ−Ｔｈｒ−Ｃｙｓ−Ｐｈｅ−Ｇｌｙ−Ｃｙｓ−Ｔｈｒ−Ｘａａ３−Ｃｙｓ−Ｃｙｓ−＃（配列番号：２２３）
【０１６６】
名称：  Ｔｘ３．１
種：  ｔｅｘｔｉｌｅ
クローニング：  はい
ＤＮＡ配列：
ＧＧＡＡＣＡＧＴＣＡＡＣＣＣＣＡＣＡＧＣＣＡＣＧＣＣＡＡＧＡＧＣＡＧＡＣＡＧＣＣＡＣＡＧＣＴＡＣＧＴＧＡＡＧＡＡＧＧＧＴＧＧＡＧＡＧＡＧＧＴＴＣＡＴＧＡＴＧＴＴＧＡＡＡＡＴＧＧＧＡＧＴＧＧＴＧＣＴＡＴＴＣＡＴＣＴＴＴＣＴＧＧＴＡＣＴＧＴＴＴＣＣＣＣＴＧＧＣＡＡＣＧＣＴＣＣＡＧＣＴＧＧＡＴＧＣＡＧＡＴＣＡＡＣＣＴＧＴＡＧＡＡＣＧＡＴＡＴＧＣＧＧＡＧＡＡＣＡＡＡＣＡＧＣＴＣＣＴＣＡＡＣＣＣＡＧＡＴＧＡＡＡＧＧＡＧＧＧＡＡＡＴＣＣＴＡＴＴＧＣＣＴＧＣＴＣＴＧＡＧＧＡＡＧＴＴＣＴＧＣＴＧＴＧＡＴＴＣＧＡＡＴＴＧＧＴＧＣＣＡＣＡＴＴＴＣＧＧＡＴＴＧＴＧＡＧＴＧＣＴＧＣＴＡＣＧＧＴＴＡＧＣＧＣＣＧＡＡＣＡＴＣＣＡＴＧＧＣＡＣＴＧＴＧＣＴＧＧＧＣＧＧＴＴＴＣＡＴＣＣＣＡＡＣＡＡＣＧＡＣＡＧＣＧＴＴＴＧＴＴＧＡＴＴＴＣＡＴＧＴＡＴＣＡＴＴＧＣＧＣＣＣＡＣＧＴＣＴＣＴＴＧＴＣＴＡＡＧＡＡＴＧＡＣＧＡＡＣＡＴＧＡＴＴＧＣＡＣＴＣＴＧＧＴＴＣＡＧＡＴＴＴＣＧＴＧＴＴＣＴＴＴＴＣＴＧＡＣＡＡＴＡＡＡＴＧＡＣＡＡＡｃＣＴＣＣ（配列番号：２２４）
翻訳：
ＭＭＬＫＭＧＶＶＬＦＩＦＬＶＬＦＰＬＡＴＬＱＬＤＡＤＱＰＶＥＲＹＡＥＮＫＱＬＬＮＰＤＥＲＲＥＩＬＬＰＡＬＲＫＦＣＣＤＳＮＷＣＨＩＳＤＣＥＣＣＹＧ（配列番号：２２５）
毒素配列：
Ｐｈｅ−Ｃｙｓ−Ｃｙｓ−Ａｓｐ−Ｓｅｒ−Ａｓｎ−Ｘａａ４−Ｃｙｓ−Ｈｉｓ−Ｉｌｅ−Ｓｅｒ−Ａｓｐ−Ｃｙｓ−Ｘａａ１−Ｃｙｓ−Ｃｙｓ−Ｘａａ５−＃（配列番号：２２６）
【０１６７】
名称：  Ｕ０３１
種：  ｔｅｘｔｉｌｅ
単離：  はい
クローニング：  はい
ＤＮＡ配列：
ＣＡＡＧＧＡＡＣＡＧＴＣＡＡＣＣＣＣＡＣＡＧＣＣＡＣＧＣＣＡＡＧＡＧＣＡＧＡＣＡＧＣＣＡＣＡＧＣＴＡＣＧＴＧＡＡＧＡＡＧＧＧＴＧＧＡＧＡＧＡＧＧＴＴＣＧＴＧＡＴＧＴＴＧＡＡＡＡＴＧＧＧＡＧＴＧＧＴＧＣＴＡＴＴＣＡＴＣＴＴＣＣＴＧＧＴＡＣＴＧＴＴＴＣＣＣＣＴＧＧＣＡＡＣＧＣＴＣＣＡＧＣＴＧＧＡＴＧＣＡＧＡＴＣＡＡＣＣＴＧＴＡＧＡＡＣＧＡＴＡＴＧＣＧＧＡＧＡＡＣＡＡＡＣＡＧＣＴＣＣＴＣＡＧＣＣＣＡＧＡＴＧＡＡＡＧＧＡＧＧＧＡＡＡＴＣＡＴＡＴＴＧＣＡＴＧＣＴＣＴＧＧＧＧＡＣＧＣＧＡＴＧＣＴＧＴＴＣＴＴＧＧＧＡＴＧＴＧＴＧＣＧＡＣＣＡＣＣＣＧＡＧＴＴＧＴＡＣＴＴＧＣＴＧＣＧＧＴＴＡＧＣＧＣＣＧＡＡＣＡＴＣＣＡＴＧＧＣＧＣＴＧＴＧＣＴＧＧＧＣＧＧＴＴＴＴＡＴＣＣＣＡＡＣＡＡＣＧＡＣＡＧＣＧＴＴＴＧＴＴＧＡＴＴＴＣＡＴＧＴＡＴＣＡＴＴＧＣＧＣＣＣＡＣＧＴＣＴＣＴＴＧＴＣＴＡＡＧＡＡＴＧＡＣＧＡＡＣＡＴＧＡＴＴＧＣＡＣＴＣＴＧＧＴＴＣＡＧＡＴＴＴＣＧＴＧＴＴＣＴＴＴＴＣＴＧＡＣＡＡＴＡＡＡＴＧＡＣＡＡＡＡＣＮＣＣ（配列番号：２２７）
翻訳：
ＭＬＫＭＧＶＶＬＦＩＦＬＶＬＦＰＬＡＴＬＱＬＤＡＤＱＰＶＥＲＹＡＥＮＫＱＬＬＳＰＤＥＲＲＥＩＩＬＨＡＬＧＴＲＣＣＳＷＤＶＣＤＨＰＳＣＴＣＣＧ（配列番号：２２８）
毒素配列：
Ｃｙｓ−Ｃｙｓ−Ｓｅｒ−Ｘａａ４−Ａｓｐ−Ｖａｌ−Ｃｙｓ−Ａｓｐ−Ｈｉｓ−Ｘａａ３−Ｓｅｒ−Ｃｙｓ−Ｔｈｒ−Ｃｙｓ−Ｃｙｓ−＃（配列番号：２２９）
【０１６８】
名称：  Ｕ０３２
種：  ｔｅｘｔｉｌｅ
単離：  はい
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＣＴＧＧＡＴＧＧＡＧＡＴＣＡＡＣＣＣＧＣＡＧＡＣＣＡＡＧＣＴＧＣＡＧＡＧＣＧＴＡＴＧＣＡＧＧＣＣＧＡＧＣＡＧＣＡＴＣＣＣＴＴＧＴＴＴＧＡＴＣＡＧＡＡＡＡＧＡＣＧＧＴＧＣＴＧＣＡＡＧＴＴＴＣＣＡＴＧＣＣＣＣＧＡＴＡＧＴＴＧＣＡＧＡＴＡＴＴＴＧＴＧＴＴＧＣＧＧＧＴＧＡＴＧＡＴＡＡＣＧＴＧＴＴＧＡＴＧＡＣＣＡＡＣＴＴＴＣＴＣＧＡＧ（配列番号：２３０）
翻訳：
ＧＳＭＭＳＫＬＧＶＬＬＴＩＣＬＬＬＦＰＬＴＡＬＰＬＤＧＤＱＰＡＤＱＡＡＥＲＭＱＡＥＱＨＰＬＦＤＱＫＲＲＣＣＫＦＰＣＰＤＳＣＲＹＬＣＣＧ（配列番号：２３１）
毒素配列：
Ａｒｇ−Ｃｙｓ−Ｃｙｓ−Ｌｙｓ−Ｐｈｅ−Ｘａａ３−Ｃｙｓ−Ｘａａ３−Ａｓｐ−Ｓｅｒ−Ｃｙｓ−Ａｒｇ−Ｘａａ５−Ｌｅｕ−Ｃｙｓ−Ｃｙｓ−＃（配列番号：２３２）
【０１６９】
名称：  Ｔ３．１
種：  ｔｕｌｉｐａ
クローニング：  はい
ＤＮＡ配列：
ＣＧＡＣＣＴＣＡＡＧＡＧＧＧＡＴＣＧＡＴＡＧＣＡＧＴＴＣＡＴＧＴＣＴＡＡＡＣＴＧＧＧＡＧＴＣＴＴＧＴＴＧＡＣＡＡＴＣＴＧＴＣＴＧＣＴＴＣＴＧＴＴＴＣＣＣＣＴＴＡＣＴＧＣＴＣＴＧＣＣＧＡＴＧＧＡＴＧＧＡＧＡＴＧＡＡＣＣＴＧＣＡＧＡＣＣＧＡＣＣＴＧＣＡＧＡＧＣＧＴＡＴＧＣＡＧＧＡＣＡＡＣＡＴＴＴＣＡＴＣＴＧＡＧＣＡＧＣＡＴＣＣＣＴＴＧＴＴＴＧＡＧＧＡＧＡＧＡＣＡＣＧＧＡＴＧＴＴＧＣＡＡＧＧＧＧＣＣＣＧＡＡＧＧＡＴＧＣＴＣＣＴＣＣＡＧＡＧＡＡＴＧＣＡＧＡＣＣＣＣＡＡＣＡＴＴＧＴＴＧＣＧＧＴＣＧＡＣＧＡＴＡＡＣＧＴＧＴＴＧＡＧＧＧＣＣＡＡＣＴＴＴＧＴＴＡＴＣＡＣＧＧＣＴＡＣＧＴＣＡＡＧＴＧＴＴＴＡＧＴＧＡＡＴＡＡＧＴＡＡＡＡＴＧＡＴＴＧＣＡＧ（配列番号：２３３）
翻訳：
ＭＳＫＬＧＶＬＬＴＩＣＬＬＬＦＰＬＴＡＬＰＭＤＧＤＥＰＡＤＲＰＡＥＲＭＱＤＮＩＳＳＥＱＨＰＬＦＥＥＲＨＧＣＣＫＧＰＥＧＣＳＳＲＥＣＲＰＱＨＣＣＧＲＲ（配列番号：２３４）
毒素配列：
Ｈｉｓ−Ｇｌｙ−Ｃｙｓ−Ｃｙｓ−Ｌｙｓ−Ｇｌｙ−Ｘａａ３−Ｘａａ１−Ｇｌｙ−Ｃｙｓ−Ｓｅｒ−Ｓｅｒ−Ａｒｇ−Ｘａａ１−Ｃｙｓ−Ａｒｇ−Ｘａａ３−Ｇｌｎ−Ｈｉｓ−Ｃｙｓ−Ｃｙｓ−＃（配列番号：２３５）
【０１７０】
名称：  Ｆｉ３．１
種：  ｆｉｇｕｌｉｎｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＣＴＧＡＣＣＡＴＣＴＧＴＣＴＧＣＴＴＣＴＧＡＴＴＣＣＣＣＴＴＡＣＴＧＣＴＣＴＴＴＣＧＣＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＴＧＧＡＡＴＴＴＣＡＴＣＴＧＡＡＣＡＧＣＡＴＣＣＣＡＴＧＴＴＴＧＡＴＣＣＣＧＴＣＡＧＡＣＧＧＴＧＴＴＧＣＣＣＧＴＧＧＣＣＡＴＧＣＡＡＣＡＴＡＧＧＡＴＧＣＧＴＡＣＣＴＴＧＴＴＧＴＴＧＡＴＧＡＣＣＡＧＴＴＴＴＧＴＴＡＴＣＧＣＧＧＣＣＴＣＡＴＣＡＡＡＴＧＴＣＴＡＡＴＧＡＡＴＡＡＧＴＡＡＡＡＣＧＡＴＴＧＣＡＧＴ（配列番号：２３６）
翻訳：
ＭＭＳＫＬＧＶＬＬＴＩＣＬＬＬＩＰＬＴＡＬＳＬＤＧＤＱＰＡＤＲＰＡＥＲＭＱＤＧＩＳＳＥＱＨＰＭＦＤＰＶＲＲＣＣＰＷＰＣＮＩＧＣＶＰＣＣ（配列番号：２３７）
毒素配列：
Ｃｙｓ−Ｃｙｓ−Ｘａａ３−Ｘａａ４−Ｘａａ３−Ｃｙｓ−Ａｓｎ−Ｉｌｅ−Ｇｌｙ−Ｃｙｓ−Ｖａｌ−Ｘａａ３−Ｃｙｓ−Ｃｙｓ−＾（配列番号：２３８）
【０１７１】
名称：  Ｆｉ３．２
種：  ｆｉｇｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＴＴＡＡＡＣＴＧＧＧＡＧＴＣＣＴＧＴＴＧＡＣＣＡＴＣＴＧＴＡＴＧＣＴＴＣＴＧＴＴＴＣＣＣＴＴＴＡＣＴＧＣＴＣＴＴＣＣＧＣＴＧＧＡＴＧＧＡＧＡＧＣＡＡＣＣＴＧＣＡＧＡＣＣＡＡＣＣＴＧＣＡＧＡＧＣＧＣＡＴＧＣＡＧＴＡＴＧＡＣＡＴＧＴＴＡＣＧＴＧＣＡＡＴＧＡＡＴＣＣＣＴＧＧＴＴＴＧＡＴＣＣＣＧＴＣＡＡＡＡＧＧＴＧＣＴＧＣＴＣＧＡＡＧＡＡＣＴＧＣＧＣＡＧＴＡＴＧＣＡＴＣＣＣＴＴＧＴＴＧＣＣＣＧＴＡＡＣＴＧＡＣＣＡＧＣＴＴＧＡＴＴＡＴＣＧＣＧＧＣＣＡＡＧＧＣＴＣＴＡＡＴＧＡＡＴＡＡＧＴＡＡＡＡＣＧＡＴＴＧＣＡＧＴ（配列番号：２３９）
翻訳：
ＭＭＦＫＬＧＶＬＬＴＩＣＭＬＬＦＰＦＴＡＬＰＬＤＧＥＱＰＡＤＱＰＡＥＲＭＱＹＤＭＬＲＡＭＮＰＷＦＤＰＶＫＲＣＣＳＫＮＣＡＶＣＩＰＣＣＰ（配列番号：２４０）
毒素配列：
Ｃｙｓ−Ｃｙｓ−Ｓｅｒ−Ｌｙｓ−Ａｓｎ−Ｃｙｓ−Ａｌａ−Ｖａｌ−Ｃｙｓ−Ｉｌｅ−Ｘａａ３−Ｃｙｓ−Ｃｙｓ−Ｘａａ３−＾（配列番号：２４１）
【０１７２】
名称：  Ｆｉ３．３
種：  ｆｉｇｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＡＧＡＧＴＣＴＴＧＴＴＧＡＣＣＴＴＡＴＧＴＣＴＧＣＴＴＣＴＧＴＴＴＣＣＣＣＴＴＡＣＴＧＣＴＣＴＴＣＣＧＣＴＧＡＡＴＧＡＡＧＡＴＣＡＡＣＣＴＧＣＡＧＡＧＣＧＴＡＴＧＣＡＧＧＡＣＧＡＣＡＡＴＴＣＡＴＣＴＧＡＧＣＡＧＣＡＣＣＣＣＴＴＧＴＡＴＧＡＣＣＡＣＡＡＡＣＧＡＡＡＧＴＧＴＴＧＣＣＧＧＴＧＧＣＣＡＴＧＣＣＣＣＧＣＡＡＧＡＴＧＣＧＧＣＴＣＴＴＧＴＴＧＣＣＴＧＴＡＡＴＡＡＣＧＴＧＴＴＧＧＣＣＡＡＣＴＴＴＧＴＴＡＴＣＡＣＧＧＣＣＡＣＧＴＣＡＡＡＴＧＴＴＴＡＡＴＧＡＡＴＡＡＧＴＡＡＡＡＣＧＡＴＴＧＣＡＧＴ（配列番号：２４２）
翻訳：
ＭＭＳＫＬＲＶＬＬＴＬＣＬＬＬＦＰＬＴＡＬＰＬＮＥＤＱＰＡＥＲＭＱＤＤＮＳＳＥＱＨＰＬＹＤＨＫＲＫＣＣＲＷＰＣＰＡＲＣＧＳＣＣＬ（配列番号：２４３）
毒素配列：
Ｃｙｓ−Ｃｙｓ−Ａｒｇ−Ｘａａ４−Ｘａａ３−Ｃｙｓ−Ｘａａ３−Ａｌａ−Ａｒｇ−Ｃｙｓ−Ｇｌｙ−Ｓｅｒ−Ｃｙｓ−Ｃｙｓ−Ｌｅｕ−＾（配列番号：２４４）
【０１７３】
名称：  Ｆｉ３．４
種：  ｆｉｇｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＴＴＡＴＧＴＣＴＧＣＴＴＣＴＧＴＴＴＣＣＣＣＴＧＡＣＴＧＣＴＣＴＴＣＣＧＣＴＧＧＡＴＧＡＡＧＡＴＣＡＡＧＣＴＧＣＡＧＡＣＣＧＡＣＣＴＧＣＡＧＡＧＣＧＴＡＴＧＣＡＧＧＧＣＡＴＧＴＣＡＴＣＴＧＡＡＣＡＧＣＡＴＣＣＣＴＴＣＴＴＴＧＡＴＣＣＣＧＴＣＡＡＡＣＧＧＴＧＴＴＧＣＧＡＧＴＴＧＴＣＡＣＧＣＴＧＣＣＴＴＧＧＡＴＧＣＧＴＣＣＣＴＴＧＴＴＧＣＡＣＡＴＣＴＴＡＡＴＡＡＣＧＴＧＴＧＧＡＴＧＡＣＣＡＡＣＴＧＴＧＴＴＡＴＣＡＣＧＧＣＣＡＣＧＴＣＡＡＧＴＧＴＣＴＡＡＴＧＡＡＴＡＡＧＴＡＡＡＡＴＧＡＴＴＧＣＡＧＴ（配列番号：２４５）
翻訳：
ＭＭＳＫＬＧＶＬＬＴＬＣＬＬＬＦＰＬＴＡＬＰＬＤＥＤＱＡＡＤＲＰＡＥＲＭＱＧＭＳＳＥＱＨＰＦＦＤＰＶＫＲＣＣＥＬＳＲＣＬＧＣＶＰＣＣＴＳ（配列番号：２４６）
毒素配列：
Ｃｙｓ−Ｃｙｓ−Ｘａａ１−Ｌｅｕ−Ｓｅｒ−Ａｒｇ−Ｃｙｓ−Ｌｅｕ−Ｇｌｙ−Ｃｙｓ−Ｖａｌ−Ｘａａ３−Ｃｙｓ−Ｃｙｓ−Ｔｈｒ−Ｓｅｒ−＾（配列番号：２４７）
【０１７４】
名称：  Ｆｉ３．５
種：  ｆｉｇｕｌｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＴＴＡＴＧＴＣＴＧＣＴＴＣＴＧＴＴＴＣＣＣＣＴＧＡＣＴＧＣＴＣＴＴＣＣＧＣＴＧＧＡＴＧＡＡＧＡＴＣＡＡＣＣＴＧＣＡＧＡＣＣＧＡＣＣＴＧＣＡＧＡＧＣＧＴＡＴＧＣＡＧＧＧＣＡＴＧＴＣＡＴＣＴＧＡＡＣＡＧＣＡＴＣＣＣＴＴＣＴＴＴＧＡＴＣＣＣＧＴＣＡＡＡＣＧＧＴＧＴＴＧＣＧＡＧＴＴＧＴＣＡＡＡＡＴＧＣＣＡＴＧＧＡＴＧＣＧＴＣＣＣＴＴＧＴＴＧＣＡＴＡＣＣＴＴＡＡＴＡＡＣＧＴＧＣＧＧＡＴＧＡＣＣＡＡＣＴＧＴＧＴＴＡＴＣＡＣＧＧＣＣＡＣＧＴＣＡＡＧＴＧＴＣＴＡＡＴＧＡＡＴＡＡＧＴＡＡＡＡＴＧＡＴＴＧＣＡＧＴ（配列番号：２４８）
翻訳：
ＭＭＳＫＬＧＶＬＬＴＬＣＬＬＬＦＰＬＴＡＬＰＬＤＥＤＱＰＡＤＲＰＡＥＲＭＱＧＭＳＳＥＱＨＰＦＦＤＰＶＫＲＣＣＥＬＳＫＣＨＧＣＶＰＣＣＩＰ（配列番号：２４９）
毒素配列：
Ｃｙｓ−Ｃｙｓ−Ｘａａ１−Ｌｅｕ−Ｓｅｒ−Ｌｙｓ−Ｃｙｓ−Ｈｉｓ−Ｇｌｙ−Ｃｙｓ−Ｖａｌ−Ｘａａ３−Ｃｙｓ−Ｃｙｓ−Ｉｌｅ−Ｘａａ３−＾（配列番号：２５０）
【０１７５】
名称：  Ｑｃ３．２
種：  ｑｕｅｒｃｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＣＧＧＡＧＴＣＴＴＧＴＴＧＡＣＣＡＴＣＴＧＴＣＴＧＧＴＴＣＴＧＴＴＴＣＣＣＣＴＴＡＣＡＧＣＴＣＴＴＣＡＧＣＴＧＧＡＴＧＧＡＧＡＴＣＡＡＣＣＴＧＣＡＧＡＣＣＧＡＣＣＴＧＣＡＧＡＧＣＧＴＡＣＧＣＡＧＧＡＣＡＴＴＴＣＡＴＣＴＧＡＡＣＡＧＴＡＴＣＧＡＡＡＧＴＴＴＧＡＴＣＡＧＡＧＡＣＡＧＡＧＧＴＧＴＴＧＣＣＧＧＴＧＧＣＣＡＴＧＣＣＣＣＧＧＴＡＧＴＴＧＣＡＧＡＴＧＣＴＧＣＣＧＴＴＡＴＣＧＴＴＡＡＣＧＴＧＴＴＧＧＴＧＡＣＣＡＧＣＴＴＴＧＴＴＡＴＣＡＣＧＡＣＣＡＣＧＣＣＡＡＧＴＧＴＣＴＡＡＣＧＡＡＴＡＡＧＴＡＡＡＡＴＧＡＴＴＧＣＡＧＴ（配列番号：２５１）
翻訳：
ＭＭＳＫＬＧＶＬＬＴＩＣＬＶＬＦＰＬＴＡＬＱＬＤＧＤＱＰＡＤＲＰＡＥＲＴＱＤＩＳＳＥＱＹＲＫＦＤＱＲＱＲＣＣＲＷＰＣＰＧＳＣＲＣＣＲＹＲ（配列番号：２５２）
毒素配列：
Ｘａａ２−Ａｒｇ−Ｃｙｓ−Ｃｙｓ−Ａｒｇ−Ｘａａ４−Ｘａａ３−Ｃｙｓ−Ｘａａ３−Ｇｌｙ−Ｓｅｒ−Ｃｙｓ−Ａｒｇ−Ｃｙｓ−Ｃｙｓ−Ａｒｇ−Ｘａａ５−Ａｒｇ−＾（配列番号：２５３）
【０１７６】
名称：  Ｑｃ３．３
種：  ｑｕｅｒｃｉｎｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＣＴＧＧＡＴＧＧＡＧＡＴＣＡＡＣＣＴＧＣＡＧＡＴＣＡＡＴＣＴＧＣＡＧＡＧＣＧＡＣＣＴＧＣＡＧＡＧＣＧＴＡＣＧＣＡＧＧＡＣＧＡＣＡＴＴＣＡＧＣＡＧＣＡＴＣＣＧＴＴＡＴＡＴＧＡＴＣＣＧＡＡＡＡＧＡＡＧＧＴＧＴＴＧＣＣＧＴＴＡＴＣＣＡＴＧＣＣＣＣＧＡＣＡＧＣＴＧＣＣＡＣＧＧＡＴＣＴＴＧＣＴＧＣＴＡＴＡＡＧＴＧＡＴＡＡＣＡＴＧＴＴＧＡＴＧＧＣＣＡＧＣＴＴＴＧＴＴＡＴＣＡＣＧＧＣＣＡＣＧＴＣＡＡＧＴＧＴＣＴＡＡＴＧＡＡＴＡＡＧＴＡＡＡＡＣＧＡＴＴＧＣＡＧＴ（配列番号：２５４）
翻訳：
ＭＭＳＫＬＧＶＬＬＴＩＣＬＬＬＦＰＬＴＡＬＰＬＤＧＤＱＰＡＤＱＳＡＥＲＰＡＥＲＴＱＤＤＩＱＱＨＰＬＹＤＰＫＲＲＣＣＲＹＰＣＰＤＳＣＨＧＳＣＣＹＫ（配列番号：２５５）
毒素配列：
Ａｒｇ−Ｃｙｓ−Ｃｙｓ−Ａｒｇ−Ｘａａ５−Ｘａａ３−Ｃｙｓ−Ｘａａ３−Ａｓｐ−Ｓｅｒ−Ｃｙｓ−Ｈｉｓ−Ｇｌｙ−Ｓｅｒ−Ｃｙｓ−Ｃｙｓ−Ｘａａ５−Ｌｙｓ−＾（配列番号：２５６）
【０１７７】
名称：  Ｗｉ３．１
種：  ｗｉｔｔｉｇｉ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＡＴＴＡＣＴＧＣＴＣＴＴＣＣＧＧＴＧＧＧＴＧＧＡＧＡＴＣＡＧＣＣＴＧＣＡＧＡＣＣＧＡＣＴＴＧＣＡＧＡＧＣＧＴＡＴＧＣＡＧＧＡＣＧＡＣＡＣＴＴＣＡＴＣＴＧＡＧＣＡＧＣＡＴＣＣＣＴＴＴＧＡＡＡＡＧＡＧＡＣＴＡＣＣＡＴＣＡＴＧＴＴＧＣＧＡＣＴＴＴＧＡＧＡＧＧＣＴＴＴＧＣＧＴＡＧＴＡＣＣＡＧＣＡＴＧＣＡＴＡＣＧＴＣＡＴＣＡＧＴＧＴＴＧＣＡＣＡＧＧＡＴＡＡＣＧＴＧＴＴＧＡＴＧＡＣＣＡＡＣＴＴＴＣＴＣＧＡＧ（配列番号：２５７）
翻訳：
ＭＭＳＫＬＧＶＬＬＴＩＣＬＬＬＦＰＩＴＡＬＰＶＧＧＤＱＰＡＤＲＬＡＥＲＭＱＤＤＴＳＳＥＱＨＰＦＥＫＲＬＰＳＣＣＤＦＥＲＬＣＶＶＰＡＣＩＲＨＱＣＣＴＧ（配列番号：２５８）
毒素配列：
Ｌｅｕ−Ｘａａ３−Ｓｅｒ−Ｃｙｓ−Ｃｙｓ−Ａｓｐ−Ｐｈｅ−Ｘａａ１−Ａｒｇ−Ｌｅｕ−Ｃｙｓ−Ｖａｌ−Ｖａｌ−Ｘａａ３−Ａｌａ−Ｃｙｓ−Ｉｌｅ−Ａｒｇ−Ｈｉｓ−Ｇｌｎ−Ｃｙｓ−Ｃｙｓ−Ｔｈｒ−＃（配列番号：２５９）
【０１７８】
名称：  ｂｔ３ａ
種：  ｂｅｔｕｌｉｎｕｓ
単離：  はい
毒素配列：
Ｃｙｓ−Ｃｙｓ−Ｌｙｓ−Ｇｌｎ−Ｓｅｒ−Ｃｙｓ−Ｔｈｒ−Ｔｈｒ−Ｃｙｓ−Ｍｅｔ−Ｘａａ３−Ｃｙｓ−Ｃｙｓ−Ｘａａ４−＾（配列番号：２６０）
【０１７９】
名称：  Ｔ３．２
種：  ｔｕｌｉｐａ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＡＡＴＣＴＧＴＣＴＧＣＴＴＣＴＧＴＴＴＣＣＣＣＴＴＡＣＴＧＣＴＣＴＧＣＣＧＡＴＧＧＡＴＧＧＡＧＡＴＧＡＡＣＣＴＧＣＡＧＡＣＣＧＡＣＣＴＧＣＡＧＡＧＣＧＴＡＴＧＣＡＧＧＡＣＡＡＣＡＴＴＴＣＡＴＣＴＧＡＧＣＡＧＣＡＴＣＣＣＴＴＧＴＴＴＧＡＧＧＡＧＡＧＡＣＡＣＧＧＡＴＧＴＴＧＣＧＡＧＧＧＧＣＣＧＡＡＧＧＧＡＴＧＣＴＣＣＴＣＣＡＧＡＧＡＡＴＧＣＡＧＡＣＣＣＣＡＡＣＡＴＴＧＴＴＧＣＧＧＴＣＧＡＣＧＡＴＡＡＣＧＴＧＴＴＧＡＴＧＡＣＣＡＡＣＴＮＴＣＴＣＧＡＧ（配列番号：２６１）
翻訳：
ＭＭＳＫＬＧＶＬＬＴＩＣＬＬＬＦＰＬＴＡＬＰＭＤＧＤＥＰＡＤＲＰＡＥＲＭＱＤＮＩＳＳＥＱＨＰＬＦＥＥＲＨＧＣＣＥＧＰＫＧＣＳＳＲＥＣＲＰＱＨＣＣＧＲＲ（配列番号：２６２）
毒素配列：
Ｈｉｓ−Ｇｌｙ−Ｃｙｓ−Ｃｙｓ−Ｘａａ１−Ｇｌｙ−Ｘａａ３−Ｌｙｓ−Ｇｌｙ−Ｃｙｓ−Ｓｅｒ−Ｓｅｒ−Ａｒｇ−Ｘａａ１−Ｃｙｓ−Ａｒｇ−Ｘａａ３−Ｇｌｎ−Ｈｉｓ−Ｃｙｓ−Ｃｙｓ−＃（配列番号：２６３）
【０１８０】
名称：  Ａ３．５
種：  ａｕｒｉｓｉａｃｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＣＣＣＣＴＴＡＣＴＧＣＴＴＴＴＣＣＧＡＴＧＧＡＴＧＧＡＧＡＴＣＡＡＣＣＴＧＣＡＧＡＣＣＡＡＣＣＴＧＣＡＧＡＴＣＧＴＡＴＧＣＡＧＧＡＣＧＡＣＡＴＴＴＣＡＴＣＴＧＡＧＣＡＧＴＡＴＣＣＣＴＴＧＴＴＴＧＡＴＡＡＧＡＧＡＣＡＡＡＡＧＴＧＴＴＧＣＡＣＴＧＧＧＡＧＧＡＡＧＧＧＧＴＣＡＴＧＣＴＣＣＧＧＣＡＡＡＧＣＡＴＧＣＡＡＡＡＡＴＣＴＣＡＡＡＴＧＴＴＧＣＴＣＴＧＧＡＣＧＡＴＡＡＣＧＴＧＴＴＧＡＴＧＡＣＣＡＡＣＴＴＴＣＴＣＧＡＮ（配列番号：２６４）
翻訳：
ＭＭＳＫＬＧＶＬＬＴＩＣＬＬＬＦＰＬＴＡＦＰＭＤＧＤＱＰＡＤＱＰＡＤＲＭＱＤＤＩＳＳＥＱＹＰＬＦＤＫＲＱＫＣＣＴＧＲＫＧＳＣＳＧＫＡＣＫＮＬＫＣＣＳＧＲ（配列番号：２６５）
毒素配列：
Ｘａａ２−Ｌｙｓ−Ｃｙｓ−Ｃｙｓ−Ｔｈｒ−Ｇｌｙ−Ａｒｇ−Ｌｙｓ−Ｇｌｙ−Ｓｅｒ−Ｃｙｓ−Ｓｅｒ−Ｇｌｙ−Ｌｙｓ−Ａｌａ−Ｃｙｓ−Ｌｙｓ−Ａｓｎ−Ｌｅｕ−Ｌｙｓ−Ｃｙｓ−Ｃｙｓ−Ｓｅｒ−＃（配列番号：２６６）
【０１８１】
名称：  Ｂｔ３．５
種：  ｂｅｔｕｌｉｎｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＧＴＴＣＣＧＴＴＧＧＡＴＧＧＡＧＡＴＣＡＡＣＣＴＧＣＡＧＡＣＣＡＡＣＣＴＧＣＡＧＡＧＣＧＴＡＴＧＣＡＧＡＡＣＧＡＧＣＡＧＣＡＴＣＣＣＴＣＧＴＴＴＧＡＴＣＡＧＡＡＡＡＧＡＡＧＧＴＧＣＴＧＣＣＧＧＴＧＧＣＣＡＴＧＣＣＣＣＡＧＴＡＴＡＴＧＣＧＧＣＡＴＧＧＣＴＡＧＧＴＧＴＴＧＣＴＴＣＧＴＣＡＴＧＡＴＡＡＣＧＴＧＴＴＧＡＴＧＡＣＣＡＡＣＴＴＴＣＴＣＧＡＧ（配列番号：２６７）
翻訳：
ＭＭＳＫＬＧＶＬＬＴＩＣＬＬＬＦＰＬＴＡＶＰＬＤＧＤＱＰＡＤＱＰＡＥＲＭＱＮＥＱＨＰＳＦＤＱＫＲＲＣＣＲＷＰＣＰＳＩＣＧＭＡＲＣＣＦＶＭＩＴＣ（配列番号：２６８）
毒素配列：
Ａｒｇ−Ｃｙｓ−Ｃｙｓ−Ａｒｇ−Ｘａａ４−Ｘａａ３−Ｃｙｓ−Ｘａａ３−Ｓｅｒ−Ｉｌｅ−Ｃｙｓ−Ｇｌｙ−Ｍｅｔ−Ａｌａ−Ａｒｇ−Ｃｙｓ−Ｃｙｓ−Ｐｈｅ−Ｖａｌ−Ｍｅｔ−Ｉｌｅ−Ｔｈｒ−Ｃｙｓ−＾（配列番号：２６９）
【０１８２】
名称：  Ｂｔ３．６
種：  ｂｅｔｕｌｉｎｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＴＣＡＴＣＴＧＴＣＴＧＣＴＴＣＴＧＴＴＴＣＣＣＣＴＴＡＣＴＧＣＴＧＴＴＣＣＧＣＴＧＧＡＴＧＧＡＧＡＴＣＡＧＣＣＴＧＣＡＧＡＧＣＧＴＡＣＧＣＡＧＡＴＣＧＡＧＣＡＧＣＡＴＣＣＣＴＴＧＴＴＴＧＡＣＣＡＧＡＡＡＡＧＡＡＧＧＴＧＴＴＧＣＣＧＧＴＧＧＣＣＡＴＧＣＣＣＣＡＧＴＡＧＡＴＧＣＧＧＣＡＴＧＧＣＴＡＧＧＴＧＴＴＧＣＴＴＣＧＴＣＡＴＧＡＴＡＡＣＧＴＧＴＴＧＡＴＧＡＮＣＧＡＣＣＴＣＴＣＮＡＧ（配列番号：２７０）
翻訳：
ＭＭＳＫＬＧＶＬＬＩＩＣＬＬＬＦＰＬＴＡＶＰＬＤＧＤＱＰＡＥＲＴＱＩＥＱＨＰＬＦＤＱＫＲＲＣＣＲＷＰＣＰＳＲＣＧＭＡＲＣＣＦＶＭＩＴＣ（配列番号：２７１）
毒素配列：
Ａｒｇ−Ｃｙｓ−Ｃｙｓ−Ａｒｇ−Ｘａａ４−Ｘａａ３−Ｃｙｓ−Ｘａａ３−Ｓｅｒ−Ａｒｇ−Ｃｙｓ−Ｇｌｙ−Ｍｅｔ−Ａｌａ−Ａｒｇ−Ｃｙｓ−Ｃｙｓ−Ｐｈｅ−Ｖａｌ−Ｍｅｔ−Ｉｌｅ−Ｔｈｒ−Ｃｙｓ−＾（配列番号：２７２）
【０１８３】
名称：  Ｐｒ３．１
種：  ｐａｒｉｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＴＧＡＴＣＡＡＣＣＴＧＣＡＧＡＣＣＧＡＣＴＴＧＴＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＡＡＡＧＡＧＡＡＧＡＧＧＡＧＧＣＴＧＴＴＧＣＡＣＡＣＣＴＣＣＧＡＡＧＡＡＡＴＧＣＡＡＡＧＡＣＣＧＡＧＣＣＴＧＣＡＡＡＣＣＴＧＣＡＣＧＴＴＧＣＴＧＣＧＧＣＣＣＡＧＧＡＴＡＡＣＧＴＧＴＴＧＡＴＧＡＣＣＡＡＣＴＴＴＣＴＣＧＣＣ（配列番号：２７３）
翻訳：
ＭＭＳＫＬＧＶＬＬＴＩＣＬＬＬＦＰＬＴＡＬＰＭＤＧＤＱＰＡＤＲＬＶＥＲＭＱＤＮＩＳＳＥＱＨＰＦＦＥＫＲＲＧＧＣＣＴＰＰＫＫＣＫＤＲＡＣＫＰＡＲＣＣＧＰＧ（配列番号：２７４）
毒素配列：
Ａｒｇ−Ｇｌｙ−Ｇｌｙ−Ｃｙｓ−Ｃｙｓ−Ｔｈｒ−Ｘａａ３−Ｘａａ３−Ｌｙｓ−Ｌｙｓ−Ｃｙｓ−Ｌｙｓ−Ａｓｐ−Ａｒｇ−Ａｌａ−Ｃｙｓ−Ｌｙｓ−Ｘａａ３−Ａｌａ−Ａｒｇ−Ｃｙｓ−Ｃｙｓ−Ｇｌｙ−Ｘａａ３−＃（配列番号：２７５）
【０１８４】
名称：  Ｐｒ３．２
種：  ｐａｒｉｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＴＧＡＴＣＡＡＣＣＴＧＣＡＧＡＣＣＧＡＣＴＴＧＴＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＡＡＡＧＡＧＡＡＧＡＧＧＣＴＧＴＴＧＣＡＣＡＣＣＴＣＣＧＡＧＧＡＡＡＴＧＣＡＡＡＧＡＣＣＧＡＧＣＣＴＧＣＡＡＡＣＣＴＧＣＡＣＧＴＴＧＴＴＧＣＧＧＣＣＣＡＧＧＡＴＡＡＣＧＴＧＴＴＧＡＴＧＡＣＣＡＡＣＴＴＴＣＴＣＧＡＧ（配列番号：２７６）
翻訳：
ＭＭＳＫＬＧＶＬＬＴＩＣＬＬＬＦＰＬＴＡＬＰＭＤＧＤＱＰＡＤＲＬＶＥＲＭＱＤＮＩＳＳＥＱＨＰＦＦＥＫＲＲＧＣＣＴＰＰＲＫＣＫＤＲＡＣＫＰＡＲＣＣＧＰＧ（配列番号：２７７）
毒素配列：
Ａｒｇ−Ｇｌｙ−Ｃｙｓ−Ｃｙｓ−Ｔｈｒ−Ｘａａ３−Ｘａａ３−Ａｒｇ−Ｌｙｓ−Ｃｙｓ−Ｌｙｓ−Ａｓｐ−Ａｒｇ−Ａｌａ−Ｃｙｓ−Ｌｙｓ−Ｘａａ３−Ａｌａ−Ａｒｇ−Ｃｙｓ−Ｃｙｓ−Ｇｌｙ−Ｘａａ３−＃（配列番号：２７８）
【０１８５】
名称：  Ｃｔ３．１
種：  ｃｏｒｏｎａｔｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＡＡＴＴＡＣＴＧＣＣＣＴＴＣＣＧＣＴＧＧＡＴＧＡＡＧＡＴＣＡＡＣＣＴＧＣＡＧＡＣＣＧＡＣＣＴＧＣＡＧＡＧＣＧＴＡＴＧＣＡＧＧＡＣＡＴＴＧＣＡＡＣＴＧＡＡＣＡＧＣＡＴＣＣＣＴＴＧＴＴＴＧＡＴＣＣＣＧＴＣＡＡＡＣＧＧＴＧＣＴＧＣＧＡＴＴＧＧＣＣＡＴＧＣＡＴＣＣＣＡＧＧＡＴＧＣＡＣＣＣＣＴＴＧＴＴＧＣＴＴＧＣＣＴＴＧＡＴＡＡＣＧＴＧＴＴＧＡＴＧＡＣＣＡＡＣＴＴＴＣＴＣＧＡＧ（配列番号：２７９）
翻訳：
ＭＭＳＫＬＧＶＬＬＴＩＣＬＬＬＦＰＩＴＡＬＰＬＤＥＤＱＰＡＤＲＰＡＥＲＭＱＤＩＡＴＥＱＨＰＬＦＤＰＶＫＲＣＣＤＷＰＣＩＰＧＣＴＰＣＣＬＰ（配列番号：２８０）
毒素配列：
Ｃｙｓ−Ｃｙｓ−Ａｓｐ−Ｘａａ４−Ｘａａ３−Ｃｙｓ−Ｉｌｅ−Ｘａａ３−Ｇｌｙ−Ｃｙｓ−Ｔｈｒ−Ｘａａ３−Ｃｙｓ−Ｃｙｓ−Ｌｅｕ−Ｘａａ３−＾（配列番号：２８１）
【０１８６】
名称：  Ｍｓ３．１
種：  ｍｕｓｉｃｕｓ
クローニング：  はい
ＤＮＡ配列：
ＧＧＡＴＣＣＡＴＧＡＴＧＴＣＴＡＡＡＣＴＧＧＧＡＧＴＣＣＴＧＴＴＧＡＣＣＡＴＣＴＧＴＣＴＧＣＴＴＣＴＧＴＴＴＣＣＴＣＴＴＴＣＴＧＣＴＣＴＴＣＣＧＡＴＧＧＡＴＧＡＡＧＡＴＣＡＡＣＴＴＧＣＡＧＡＣＣＴＡＣＣＴＧＣＡＧＡＧＣＧＴＡＴＧＣＧＧＧＡＣＡＣＴＧＣＡＡＣＴＧＴＡＧＡＴＣＡＴＣＣＣＴＣＣＴＡＴＧＡＴＣＣＴＧＡＣＡＡＡＧＣＧＴＧＣＴＧＣＧＡＧＣＡＧＡＧＣＴＧＴＡＣＡＡＣＡＴＧＣＴＴＴＣＣＧＴＧＣＴＧＣＴＡＧＣＣＴＴＧＡＡＣＡＣＡＧＴＡＡＣＧＴＧＴＴＧＡＴＧＡＣＣＡＡＣＴＴＴＣＴＣＧＡＧ（配列番号：２８２）
翻訳：
ＭＭＳＫＬＧＶＬＬＴＩＣＬＬＬＦＰＬＳＡＬＰＭＤＥＤＱＬＡＤＬＰＡＥＲＭＲＤＴＡＴＶＤＨＰＳＹＤＰＤＫＡＣＣＥＱＳＣＴＴＣＦＰＣＣ（配列番号：２８３）
毒素配列：
Ａｌａ−Ｃｙｓ−Ｃｙｓ−Ｘａａ１−Ｇｌｎ−Ｓｅｒ−Ｃｙｓ−Ｔｈｒ−Ｔｈｒ−Ｃｙｓ−Ｐｈｅ−Ｘａａ３−Ｃｙｓ−Ｃｙｓ−＾（配列番号：２８４）
【０１８７】
名称：  ｂｔ３ｂ
種：  ｂｅｔｕｌｉｎｕｓ
単離：  はい
毒素配列：
Ａｌａ−Ｃｙｓ−Ｃｙｓ−Ｘａａ１−Ｇｌｎ−Ｓｅｒ−Ｃｙｓ−Ｔｈｒ−Ｔｈｒ−Ｃｙｓ−Ｍｅｔ−Ｘａａ３−Ｃｙｓ−Ｃｙｓ−＾（配列番号：２８５）
【０１８８】
名称：  ｂｔ３ｃ
種：  ｂｅｔｕｌｉｎｕｓ
単離：  はい
毒素配列：
Ｃｙｓ−Ｃｙｓ−Ｘａａ１−Ｇｌｎ−Ｓｅｒ−Ｃｙｓ−Ｔｈｒ−Ｔｈｒ−Ｃｙｓ−Ｍｅｔ−Ｘａａ３−Ｃｙｓ−Ｃｙｓ−Ｘａａ４−？（配列番号：２８６）
【０１８９】
名称：  Ｐｎ３．２
種：  ｐｅｎｎａｃｅｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＣＴＧＧＡＴＧＧＡＧＡＴＣＡＡＣＣＴＧＣＡＴＡＣＣＡＡＧＣＴＧＣＡＧＡＧＣＧＴＡＴＧＣＡＧＧＣＣＧＡＧＣＡＴＣＡＴＣＣＣＴＴＧＴＴＴＧＡＴＣＡＧＡＡＡＡＧＡＣＧＧＴＧＣＴＧＣＡＡＧＴＴＴＣＣＡＴＧＣＣＣＣＧＡＴＡＧＴＴＧＣＡＡＡＴＡＴＴＴＧＴＧＴＴＧＣＧＧＧＴＧＡＴＧＡＴＡＡＣＡＴＧＴＴＧＡＴＧＡＣＣＡＡＣＴＴＴＣＴＴＧＡＧ（配列番号：２８７）
翻訳：
ＭＭＳＫＬＧＶＬＬＴＩＣＬＬＬＦＰＬＴＡＬＰＬＤＧＤＱＰＡＹＱＡＡＥＲＭＱＡＥＨＨＰＬＦＤＱＫＲＲＣＣＫＦＰＣＰＤＳＣＫＹＬＣＣＧ（配列番号：２８８）
毒素配列：
Ａｒｇ−Ｃｙｓ−Ｃｙｓ−Ｌｙｓ−Ｐｈｅ−Ｘａａ３−Ｃｙｓ−Ｘａａ３−Ａｓｐ−Ｓｅｒ−Ｃｙｓ−Ｌｙｓ−Ｘａａ５−Ｌｅｕ−Ｃｙｓ−Ｃｙｓ−＃（配列番号：２８９）
【０１９０】
名称：  Ｐｕ３．２
種：  ｐｕｌｉｃａｒｉｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＡＴＧＧＡＴＧＧＴＧＡＴＣＡＡＣＴＴＧＣＡＧＡＣＣＧＡＣＴＴＧＴＡＧＡＧＣＧＴＡＴＧＣＡＧＧＡＣＡＡＣＡＴＴＴＣＡＴＣＴＧＡＧＣＡＧＣＡＴＣＣＣＴＴＣＴＴＴＧＡＴＣＣＣＧＴＣＡＡＡＣＧＧＴＧＴＴＧＣＧＴＣＡＧＣＴＧＴＴＡＣＡＴＧＧＧＡＴＧＣＡＴＣＣＣＴＴＧＴＴＧＣＴＴＣＴＡＧＴＡＡＴＡＡＣＧＴＧＴＴＧＡＴＧＡＣＣＡＡＣＴＴＴＣＴＣＧＡＧ（配列番号：２９０）
翻訳：
ＭＭＳＫＬＧＶＬＬＴＩＣＬＬＬＦＰＬＴＡＬＰＭＤＧＤＱＬＡＤＲＬＶＥＲＭＱＤＮＩＳＳＥＱＨＰＦＦＤＰＶＫＲＣＣＶＳＣＹＭＧＣＩＰＣＣＦ（配列番号：２９１）
毒素配列：
Ｃｙｓ−Ｃｙｓ−Ｖａｌ−Ｓｅｒ−Ｃｙｓ−Ｘａａ５−Ｍｅｔ−Ｇｌｙ−Ｃｙｓ−Ｉｌｅ−Ｘａａ３−Ｃｙｓ−Ｃｙｓ−Ｐｈｅ−＾（配列番号：２９２）
【０１９１】
名称：  Ｐｕ３．３
種：  ｐｕｌｉｃａｒｉｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＧＴＣＴＧＴＣＴＧＣＴＴＣＴＧＴＧＴＣＣＣＣＴＴＡＣＴＧＣＴＣＴＴＣＣＡＣＴＧＧＡＴＧＡＡＧＡＴＣＡＡＣＴＴＧＣＡＧＡＣＣＧＡＣＣＴＧＣＡＧＡＧＣＧＴＡＴＧＣＡＧＧＡＴＧＡＣＡＣＴＴＣＡＧＣＴＧＣＡＣＡＧＡＴＴＴＴＣＧＧＧＴＴＴＧＡＴＣＣＣＧＴＣＡＡＡＣＧＧＴＧＣＴＧＣＡＡＡＴＴＧＣＴＡＴＧＣＴＡＣＴＣＧＧＧＡＴＧＣＡＣＴＣＣＴＴＧＴＴＧＣＣＡＴＡＴＴＴＧＡＴＡＡＣＧＴＧＴＴＧＡＴＧＡＣＣＡＡＣＴＴＴＣＴＣＧＡＧ（配列番号：２９３）
翻訳：
ＭＭＳＫＬＧＶＬＬＴＶＣＬＬＬＣＰＬＴＡＬＰＬＤＥＤＱＬＡＤＲＰＡＥＲＭＱＤＤＴＳＡＡＱＩＦＧＦＤＰＶＫＲＣＣＫＬＬＣＹＳＧＣＴＰＣＣＨＩ（配列番号：２９４）
毒素配列：
Ｃｙｓ−Ｃｙｓ−Ｌｙｓ−Ｌｅｕ−Ｌｅｕ−Ｃｙｓ−Ｘａａ５−Ｓｅｒ−Ｇｌｙ−Ｃｙｓ−Ｔｈｒ−Ｘａａ３−Ｃｙｓ−Ｃｙｓ−Ｈｉｓ−Ｉｌｅ−＾（配列番号：２９５）
【０１９２】
名称：  Ｒａ３．２
種：  ｒａｔｔｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＧＴＧＴＴＴＣＣＧＣＴＴＡＣＴＧＣＴＣＴＴＣＣＧＡＴＧＧＡＴＧＧＴＧＡＴＣＡＡＣＣＴＧＣＡＧＡＣＣＧＡＣＴＴＧＴＡＧＡＧＣＧＴＡＴＡＣＡＧＧＡＣＡＡＣＡＴＴＴＣＡＴＣＴＧＡＧＣＡＧＣＡＴＣＣＣＴＴＣＴＴＴＧＡＡＡＡＧＡＧＡＡＧＡＧＧＣＴＧＴＴＧＣＧＣＡＣＣＴＣＣＧＡＧＧＡＡＡＴＧＣＡＡＡＧＡＣＣＧＡＧＣＣＴＧＣＡＡＡＣＣＴＧＣＡＣＧＴＴＧＣＴＧＣＧＧＣＣＣＡＧＧＡＴＡＡＣＧＴＧＴＴＧＡＴＧＡＣＣＡＡＣＴＴＴＣＴＣＧＡＧ（配列番号：２９６）
翻訳：
ＭＭＳＫＬＧＶＬＬＴＩＣＬＬＶＦＰＬＴＡＬＰＭＤＧＤＱＰＡＤＲＬＶＥＲＩＱＤＮＩＳＳＥＱＨＰＦＦＥＫＲＲＧＣＣＡＰＰＲＫＣＫＤＲＡＣＫＰＡＲＣＣＧＰＧ（配列番号：２９７）
毒素配列：
Ａｒｇ−Ｇｌｙ−Ｃｙｓ−Ｃｙｓ−Ａｌａ−Ｘａａ３−Ｘａａ３−Ａｒｇ−Ｌｙｓ−Ｃｙｓ−Ｌｙｓ−Ａｓｐ−Ａｒｇ−Ａｌａ−Ｃｙｓ−Ｌｙｓ−Ｘａａ３−Ａｌａ−Ａｒｇ−Ｃｙｓ−Ｃｙｓ−Ｇｌｙ−Ｘａａ３−＃（配列番号：２９８）
【０１９３】
名称：  Ｓｍ３．３
種：  ｓｔｅｒｃｕｓｍｕｓｃａｒｕｍ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＡＡＴＣＴＧＴＣＴＧＣＴＴＣＴＧＴＴＴＣＣＣＣＴＴＡＴＴＧＣＴＣＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＧＡＡＧＣＡＴＣＣＣＴＴＧＴＴＴＧＡＴＡＡＧＡＧＡＣＡＡＣＧＧＴＧＴＴＧＣＡＡＴＧＧＧＣＧＧＡＧＧＧＧＡＴＧＣＴＣＣＡＧＣＡＧＡＴＧＧＴＧＣＡＧＡＧＡＴＣＡＣＴＣＡＣＧＴＴＧＴＴＧＣＧＧＴＣＧＡＣＧＡＴＡＡＣＧＴＧＴＴＧＡＴＧＡＣＣＡＡＣＴＴＴＣＴＣＧＡＧ（配列番号：２９９）
翻訳：
ＭＭＳＫＬＧＶＬＬＴＩＣＬＬＬＦＰＬＩＡＬＰＬＤＧＤＱＰＡＤＲＰＡＥＲＭＱＤＤＩＳＳＥＫＨＰＬＦＤＫＲＱＲＣＣＮＧＲＲＧＣＳＳＲＷＣＲＤＨＳＲＣＣＧＲＲ（配列番号：３００）
毒素配列：
Ｘａａ２−Ａｒｇ−Ｃｙｓ−Ｃｙｓ−Ａｓｎ−Ｇｌｙ−Ａｒｇ−Ａｒｇ−Ｇｌｙ−Ｃｙｓ−Ｓｅｒ−Ｓｅｒ−Ａｒｇ−Ｘａａ４−Ｃｙｓ−Ａｒｇ−Ａｓｐ−Ｈｉｓ−Ｓｅｒ−Ａｒｇ−Ｃｙｓ−Ｃｙｓ−＃（配列番号：３０１）
【０１９４】
名称：  Ｅｂ３．１
種：  ｅｂｒａｅｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＣＴＧＧＡＴＧＡＡＧＧＴＣＡＡＣＣＴＧＣＡＧＡＣＣＴＡＣＣＴＧＣＡＧＡＧＣＧＴＡＴＧＣＡＧＧＡＣＡＴＴＧＣＡＡＣＴＧＡＡＣＡＧＣＡＴＣＣＣＴＴＧＴＴＴＧＡＴＣＣＴＧＴＣＡＡＡＣＧＧＴＧＴＴＧＣＧＡＧＣＡＧＣＣＡＴＧＣＴＡＣＡＴＧＧＧＡＴＧＣＡＴＣＣＣＴＴＧＴＴＧＣＴＴＣＴＡＡＴＡＡＴＡＡＣＧＴＧＴＴＧＡＴＧＡＣＣＡＡＣＴＴＴＣＴＣＧＡＧ（配列番号：３０２）
翻訳：
ＭＭＳＫＬＧＶＬＬＴＩＣＬＬＬＦＰＬＴＡＬＰＬＤＥＧＱＰＡＤＬＰＡＥＲＭＱＤＩＡＴＥＱＨＰＬＦＤＰＶＫＲＣＣＥＱＰＣＹＭＧＣＩＰＣＣＦ（配列番号：３０３）
毒素配列：
Ｃｙｓ−Ｃｙｓ−Ｘａａ１−Ｇｌｎ−Ｘａａ３−Ｃｙｓ−Ｘａａ５−Ｍｅｔ−Ｇｌｙ−Ｃｙｓ−Ｉｌｅ−Ｘａａ３−Ｃｙｓ−Ｃｙｓ−Ｐｈｅ−＾（配列番号：３０４）
【０１９５】
名称：  Ｅｂ３．２
種：  ｅｂｒａｅｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＡＣＴＧＧＡＴＧＡＡＧＡＴＣＡＡＣＣＴＧＣＡＧＡＣＣＴＡＣＣＴＧＣＡＧＡＧＣＧＴＡＴＧＣＡＧＧＡＣＡＴＴＧＣＡＡＣＴＧＡＡＣＡＧＣＡＴＣＣＣＴＴＧＴＴＴＧＡＴＣＣＴＧＴＣＡＡＡＣＧＧＴＧＣＴＧＣＧＣＧＣＡＧＣＣＡＴＧＣＴＡＣＡＴＧＧＧＡＴＧＣＡＴＣＣＣＴＴＧＴＴＧＣＴＴＣＴＡＡＴＡＡＴＡＡＣＧＴＧＴＴＧＡＴＧＡＣＣＡＡＣＴＴＴＣＴＣＧＡＧ（配列番号：３０５）
翻訳：
ＭＭＳＫＬＧＶＬＬＴＩＣＬＬＬＦＰＬＴＡＬＰＬＤＥＤＱＰＡＤＬＰＡＥＲＭＱＤＩＡＴＥＱＨＰＬＦＤＰＶＫＲＣＣＡＱＰＣＹＭＧＣＩＰＣＣＦ（配列番号：３０６）
毒素配列：
Ｃｙｓ−Ｃｙｓ−Ａｌａ−Ｇｌｎ−Ｘａａ３−Ｃｙｓ−Ｘａａ５−Ｍｅｔ−Ｇｌｙ−Ｃｙｓ−Ｉｌｅ−Ｘａａ３−Ｃｙｓ−Ｃｙｓ−Ｐｈｅ−＾（配列番号：３０７）
【０１９６】
名称：  Ｆｄ３．２
種：  ｆｌａｖｉｄｕｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＧＴＴＣＣＧＴＴＧＧＡＴＧＧＡＧＡＴＣＡＡＣＣＴＧＣＡＧＡＣＣＡＧＣＣＴＧＣＡＧＡＧＣＧＴＡＴＧＣＡＧＡＡＣＧＡＧＣＡＧＣＡＴＣＣＣＴＴＧＴＴＴＧＡＴＣＡＧＡＡＡＡＧＡＡＧＧＴＧＣＴＧＣＣＧＧＴＧＧＣＣＡＴＧＣＣＣＣＡＧＴＡＴＡＴＧＣＧＧＣＡＴＧＧＣＴＡＧＧＴＧＴＴＧＣＴＣＧＴＣＡＴＧＡＴＡＡＣＧＴＧＴＴＧＡＴＧＡＣＣＡＡＣＴＴＴＣＴＣＧＡＧ（配列番号：３０８）
翻訳：
ＭＭＳＫＬＧＶＬＬＴＩＣＬＬＬＦＰＬＴＡＶＰＬＤＧＤＱＰＡＤＱＰＡＥＲＭＱＮＥＱＨＰＬＦＤＱＫＲＲＣＣＲＷＰＣＰＳＩＣＧＭＡＲＣＣＳＳ（配列番号：３０９）
毒素配列：
Ａｒｇ−Ｃｙｓ−Ｃｙｓ−Ａｒｇ−Ｘａａ４−Ｘａａ３−Ｃｙｓ−Ｘａａ３−Ｓｅｒ−Ｉｌｅ−Ｃｙｓ−Ｇｌｙ−Ｍｅｔ−Ａｌａ−Ａｒｇ−Ｃｙｓ−Ｃｙｓ−Ｓｅｒ−Ｓｅｒ−＾（配列番号：３１０）
【０１９７】
名称：  Ｍｆ３．１
種：  ｍｉｌｉａｒｉｓ
クローニング：  はい
ＤＮＡ配列：
ＧＧＡＴＣＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＡＡＴＴＡＣＴＧＣＣＣＴＴＣＣＡＣＴＧＧＡＴＧＡＡＧＡＴＣＡＡＣＣＴＧＣＡＧＡＣＣＧＡＣＣＴＧＣＡＧＡＧＣＧＴＡＴＧＣＡＧＧＡＣＡＴＴＧＣＡＡＣＴＧＡＡＣＡＧＣＡＴＣＣＣＴＴＧＴＴＴＧＡＴＣＣＣＧＴＣＡＡＡＣＧＧＴＧＴＴＧＣＧＡＴＴＧＧＣＣＡＴＧＣＡＧＣＧＣＡＧＧＡＴＧＣＴＡＣＣＣＴＴＧＴＴＧＣＴＴＣＣＣＴＴＡＡＴＡＡＣＧＴＧＴＴＧＡＴＧＡＣＣＡＡＣＴＮＡＮＧＮＡＡＡＡＡＡＡ（配列番号：３１１）
翻訳：
ＭＭＳＫＬＧＶＬＬＴＩＣＬＬＬＦＰＩＴＡＬＰＬＤＥＤＱＰＡＤＲＰＡＥＲＭＱＤＩＡＴＥＱＨＰＬＦＤＰＶＫＲＣＣＤＷＰＣＳＡＧＣＹＰＣＣＦＰ（配列番号：３１２）
毒素配列：
Ｃｙｓ−Ｃｙｓ−Ａｓｐ−Ｘａａ４−Ｘａａ３−Ｃｙｓ−Ｓｅｒ−Ａｌａ−Ｇｌｙ−Ｃｙｓ−Ｘａａ５−Ｘａａ３−Ｃｙｓ−Ｃｙｓ−Ｐｈｅ−Ｘａａ３−＾（配列番号：３１３）
【０１９８】
名称：  Ｍｆ３．２
種：  ｍｉｌｉａｒｉｓ
クローニング：  はい
注記：
ＤＮＡ配列：
ＧＧＡＴＣＣＡＴＧＡＴＧＴＣＴＡＡＡＣＴＧＧＧＡＧＴＧＧＴＧＣＣＡＴＴＣＧＴＣＴＴＴＣＴＧＧＴＣＣＴＧＴＴＴＣＣＣＣＴＧＧＣＡＡＣＡＣＴＣＣＡＡＣＴＧＧＡＴＧＣＡＧＡＴＣＡＡＣＣＴＧＣＡＧＡＣＣＧＡＣＣＴＧＣＧＣＧＴＡＡＡＡＡＧＧＧＣＡＴＴＧＣＡＡＣＴＡＡＡＣＧＧＣＡＴＣＣＣＴＴＧＴＣＴＧＡＴＣＣＴＧＴＣＡＧＡＧＧＧＴＧＴＴＧＣＣＣＴＣＣＡＡＴＧＴＧＣＡＣＡＣＣＡＴＧＣＴＴＣＣＣＴＴＧＣＴＧＴＴＴＴＣＧＴＴＡＡＴＡＡＣＧＴＧＴＴＧＡＴＧＮＡＴＧＡＴＧＮＡＮ（配列番号：３１４）
翻訳：
ＭＭＳＫＬＧＶＶＰＦＶＦＬＶＬＦＰＬＡＴＬＱＬＤＡＤＱＰＡＤＲＰＡＲＫＫＧＩＡＴＫＲＨＰＬＳＤＰＶＲＧＣＣＰＰＭＣＴＰＣＦＰＣＣＦＲ（配列番号：３１５）
毒素配列：
Ｇｌｙ−Ｃｙｓ−Ｃｙｓ−Ｘａａ３−Ｘａａ３−Ｍｅｔ−Ｃｙｓ−Ｔｈｒ−Ｘａａ３−Ｃｙｓ−Ｐｈｅ−Ｘａａ３−Ｃｙｓ−Ｃｙｓ−Ｐｈｅ−Ａｒｇ−＾（配列番号：３１６）
【０１９９】
名称：  Ａｆ３．１
種：  ａｍｍｉｒａｌｉｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＣＴＧＣＴＣＴＴＣＣＧＣＴＧＧＡＴＧＧＡＧＡＴＣＡＡＣＣＴＧＣＡＧＡＣＣＡＡＧＣＴＧＣＡＧＡＧＣＧＴＡＴＧＣＡＧＧＣＣＧＡＧＣＡＧＣＡＴＣＣＣＴＴＧＴＴＴＧＡＴＣＡＧＡＡＡＡＧＡＣＧＧＴＧＴＴＧＣＡＧＧＴＴＴＣＣＡＴＧＣＣＣＣＧＡＴＡＣＴＴＧＣＡＧＡＣＡＴＴＴＧＴＧＴＴＧＣＧＧＧＴＧＡＴＧＡＴＡＡＣＧＴＧＣＴＧＡＴＧＡＣＣＣＡＣＴＴＴＧＴＣＡＴＣＡＣＧＧＣＴＡＣＧＴＣＡＡＧＴＧＴＣＴＡＡＴＧＡＡＴＡＡＧＴＡＡＡＡＴＧＡＴＴＧＣＡＧＴ（配列番号：３１７）
翻訳：
ＭＭＳＫＬＧＶＬＬＴＩＣＬＬＬＦＰＬＴＡＬＰＬＤＧＤＱＰＡＤＱＡＡＥＲＭＱＡＥＱＨＰＬＦＤＱＫＲＲＣＣＲＦＰＣＰＤＴＣＲＨＬＣＣＧ（配列番号：３１８）
毒素配列：
Ａｒｇ−Ｃｙｓ−Ｃｙｓ−Ａｒｇ−Ｐｈｅ−Ｘａａ３−Ｃｙｓ−Ｘａａ３−Ａｓｐ−Ｔｈｒ−Ｃｙｓ−Ａｒｇ−Ｈｉｓ−Ｌｅｕ−Ｃｙｓ−Ｃｙｓ−＃（配列番号：３１９）
【０２００】
名称：  Ａｆ３．２
種：  ａｍｍｉｒａｌｉｓ
クローニング：  はい
ＤＮＡ配列：
ＣＡＡＧＡＧＧＧＡＴＣＧＡＴＡＧＣＡＧＴＴＣＡＴＧＡＴＧＴＴＴＡＡＡＣＴＧＧＧＡＧＴＣＴＴＧＣＴＧＡＣＣＡＴＣＴＧＴＣＴＡＣＴＴＣＴＧＴＴＴＴＣＣＣＴＴＡＡＴＧＣＴＧＴＴＣＣＧＣＴＧＧＡＴＧＧＡＧＡＴＣＡＡＣＣＴＧＣＡＧＡＣＣＡＡＣＣＴＧＣＡＧＡＧＣＧＴＣＴＧＣＴＧＧＡＣＧＡＣＡＴＴＴＣＡＴＣＴＧＡＡＡＡＴＡＡＴＣＣＣＴＴＴＴＡＴＧＡＴＣＣＣＧＣＣＡＡＡＣＧＧＴＧＴＴＧＣＡＴＧＡＣＴＴＧＣＴＴＣＧＧＴＴＧＣＡＣＡＣＣＴＴＧＴＴＧＴＧＧＡＴＧＡＣＣＡＧＣＣＴＣＡＴＣＡＡＧＴＧＴＣＴＡＡＣＧＡＡＴＡＡＧＴＡＡＡＡＣＧＡＴＴＧＣＡＧＴ（配列番号：３２０）
翻訳：
ＭＭＦＫＬＧＶＬＬＴＩＣＬＬＬＦＳＬＮＡＶＰＬＤＧＤＱＰＡＤＱＰＡＥＲＬＬＤＤＩＳＳＥＮＮＰＦＹＤＰＡＫＲＣＣＭＴＣＦＧＣＴＰＣＣＧ（配列番号：３２１）
毒素配列：
Ｃｙｓ−Ｃｙｓ−Ｍｅｔ−Ｔｈｒ−Ｃｙｓ−Ｐｈｅ−Ｇｌｙ−Ｃｙｓ−Ｔｈｒ−Ｘａａ３−Ｃｙｓ−Ｃｙｓ−＃（配列番号：３２２）
【０２０１】
名称：  Ａｆ３．３
種：  ａｍｍｉｒａｌｉｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＧＧＡＣＣＧＣＣＴＴＣＣＡＡＣＴＧＡＡＡＡＴＣＡＴＣＣＣＴＴＡＴＡＴＧＡＴＣＣＣＧＴＣＡＡＡＣＧＧＴＧＴＴＧＣＧＡＴＧＡＴＴＣＧＧＡＡＴＧＣＧＡＣＴＡＴＴＣＴＴＧＣＴＧＧＣＣＴＴＧＣＴＧＴＡＴＴＴＴＴＴＣＡＴＡＡＣＣＴＴＴＧＴＴＡＴＣＧＣＧＧＣＣＴＣＡＴＣＣＴＡＧＴＧＴＣＡＡＡＴＧＡＡＴＡＡＧＴＡＡＡＡＣＧＡＴＴＧＣＡＧＴ（配列番号：３２３）
翻訳：
ＭＭＳＫＬＧＡＬＬＴＩＣＬＬＬＦＳＬＴＡＶＰＬＤＧＤＱＨＡＤＱＰＡＥＲＬＱＤＲＬＰＴＥＮＨＰＬＹＤＰＶＫＲＣＣＤＤＳＥＣＤＹＳＣＷＰＣＣＩＦＳ（配列番号：３２４）
毒素配列：
Ｃｙｓ−Ｃｙｓ−Ａｓｐ−Ａｓｐ−Ｓｅｒ−Ｘａａ１−Ｃｙｓ−Ａｓｐ−Ｘａａ５−Ｓｅｒ−Ｃｙｓ−Ｘａａ４−Ｘａａ３−Ｃｙｓ−Ｃｙｓ−Ｉｌｅ−Ｐｈｅ−Ｓｅｒ−＾（配列番号：３２５）
【０２０２】
名称：  Ａｆ３．４
種：  ａｍｍｉｒａｌｉｓ
クローニング：  はい
ＤＮＡ配列：
ＣＡＡＧＡＧＧＧＡＴＣＧＡＴＡＧＣＡＧＴＴＣＡＴＧＡＴＧＴＴＴＡＡＡＣＴＣＧＧＡＧＴＣＴＴＧＣＴＧＡＣＣＡＴＣＴＧＴＣＴＡＣＴＴＣＴＧＴＴＴＴＣＣＣＴＡＡＴｔＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＧＧＡＣＣＧＣＣＴＴＣＣＡＡＣＴＧＡＡＡＡＴＣＡＴＣＣＣＴＴＡＴＡＴＧＡＴＣＣＣＧＴＣＡＡＡＣＧＧＴＧＴＴＧＣＡＧＧＴＴＧＴＴＡＴＧＣＣＴＣＡＧＴＴＧＣＡＡＣＣＣＴＴＧＴＴＧＴＧＧＡＴＧＡＣＣＡＧＣＴＴＴＧＴＴＡＴＣＡＣＧＧＣＣＴＣＡＴＣＡＡＧＴＧＴＣＴＡＡＴＧＡＡＴＡＡＧＴＡＡＡＡＣＧＡＴＴＧＣＡＧＴ（配列番号：３２６）
翻訳：
ＭＭＦＫＬＧＶＬＬＴＩＣＬＬＬＦＳＬＩＡＶＰＬＤＧＤＱＨＡＤＱＰＡＥＲＬＱＤＲＬＰＴＥＮＨＰＬＹＤＰＶＫＲＣＣＲＬＬＣＬＳＣＮＰＣＣＧ（配列番号：３２７）
毒素配列：
Ｃｙｓ−Ｃｙｓ−Ａｒｇ−Ｌｅｕ−Ｌｅｕ−Ｃｙｓ−Ｌｅｕ−Ｓｅｒ−Ｃｙｓ−Ａｓｎ−Ｘａａ３−Ｃｙｓ−Ｃｙｓ−＃（配列番号：３２８）
【０２０３】
名称：  Ａｆ３．６
種：  ａｍｍｉｒａｌｉｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＧＧＡＣＣＧＣＡＴＴＣＣＡＡＣＴＧＡＡＧＡＴＣＡＴＣＣＣＴＴＡＴＴＴＧＡＴＣＣＣＡＡＣＡＡＡＣＧＧＴＧＴＴＧＣＧＡＴＧＡＴＴＣＧＧＡＡＴＧＣＧＧＣＴＡＴＴＣＡＴＧＣＴＧＧＣＣＴＴＧＣＴＧＴＴＡＴＧＧＡＴＡＡＧＣＴＴＴＧＴＴＡＴＣＧＣＧＧＣＣＴＣＡＴＣＣＡＧＴＧＴＣＡＡＣＧＡＡＴＡＡＧＴＡＡＡＡＣＧＡＴＴＧＣＡＧＴ（配列番号：３２９）
翻訳：
ＭＭＳＫＬＧＡＬＬＴＩＣＬＬＬＦＳＬＴＡＶＰＬＤＧＤＱＨＡＤＱＰＡＥＲＬＱＤＲＩＰＴＥＤＨＰＬＦＤＰＮＫＲＣＣＤＤＳＥＣＧＹＳＣＷＰＣＣＹＧ（配列番号：３３０）
毒素配列：
Ｃｙｓ−Ｃｙｓ−Ａｓｐ−Ａｓｐ−Ｓｅｒ−Ｘａａ１−Ｃｙｓ−Ｇｌｙ−Ｘａａ５−Ｓｅｒ−Ｃｙｓ−Ｘａａ４−Ｘａａ３−Ｃｙｓ−Ｃｙｓ−Ｘａａ５−＃（配列番号：３３１）
【０２０４】
名称：  Ｓｆ３．１
種：  ｓｐｕｒｉｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＣＴＧＡＣＣＡＴＣＴＧＴＣＴＧＣＴＴＣＴＧＴＴＴＣＣＡＣＧＴＡＣＴＴＣＴＣＴＴＣＣＧＣＴＧＧＡＴＧＧＡＧＡＴＣＡＡＣＣＴＧＣＡＧＴＣＣＧＡＴＣＴＧＣＡＡＡＧＣＧＴＡＴＧＣＡＴＴＣＡＴＣＴＡＴＡＣＡＧＣＧＴＣＧＴＴＴＣＴＴＴＧＡＴＣＣＣＧＴＣＡＡＡＣＧＧＴＧＴＴＧＣＣＣＴＡＧＡＴＧＣＡＧＣＧＡＧＴＧＣＡＡＣＣＣＴＴＧＴＴＧＴＧＧＡＴＧＡＣＣＡＧＣＴＴＴＧＴＣＡＴＣＧＣＧＧＣＣＴＣＡＴＴＡＡＧＴＧＴＣＴＡＡＴＧＡＡＴＡＡＧＴＡＡＡＡＴＧＡＴＴＧＣＡＧＴ（配列番号：３３２）
翻訳：
ＭＭＳＫＬＧＶＬＬＴＩＣＬＬＬＦＰＲＴＳＬＰＬＤＧＤＱＰＡＶＲＳＡＫＲＭＨＳＳＩＱＲＲＦＦＤＰＶＫＲＣＣＰＲＣＳＥＣＮＰＣＣＧ（配列番号：３３３）
毒素配列：
Ｃｙｓ−Ｃｙｓ−Ｘａａ３−Ａｒｇ−Ｃｙｓ−Ｓｅｒ−Ｘａａ１−Ｃｙｓ−Ａｓｎ−Ｘａａ３−Ｃｙｓ−Ｃｙｓ−＃（配列番号：３３４）
【０２０５】
名称：  Ｏｍ３．１
種：  ｏｍａｒｉａ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＣＧＴＴＧＡＣＣＡＴＣＴＧＴＣＴＡＣＴＴＣＴＡＴＴＴＴＣＣＣＴＴＡＣＴＧＣＴＧＴＴＣＣＧＣＴＴＧＡＴＧＧＡＧＡＴＣＡＡＣＡＴＧＣＡＧＡＣＣＡＡＣＣＴＧＣＡＧＡＧＣＧＴＣＴＧＣＡＧＧＧＣＧＡＣＡＴＴＴＴＡＴＣＴＧＡＡＡＡＧＣＡＴＣＣＣＴＴＡＴＴＴＡＡＴＣＣＣＧＴＣＡＡＡＣＧＧＴＧＴＴＧＣＧＡＴＧＡＧＧＡＡＧＡＡＴＧＣＡＧＣＡＧＴＧＣＡＴＧＣＴＧＧＣＣＴＴＧＴＴＧＴＴＧＧＧＧＧＴＧＡＴＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡＴＧＡＴＴＧＣＡＧＴ（配列番号：３３５）
翻訳：
ＭＭＳＫＬＧＶＳＬＴＩＣＬＬＬＦＳＬＴＡＶＰＬＤＧＤＱＨＡＤＱＰＡＥＲＬＱＧＤＩＬＳＥＫＨＰＬＦＮＰＶＫＲＣＣＤＥＥＥＣＳＳＡＣＷＰＣＣＷＧ（配列番号：３３６）
毒素配列：
Ｃｙｓ−Ｃｙｓ−Ａｓｐ−Ｘａａ１−Ｘａａ１−Ｘａａ１−Ｃｙｓ−Ｓｅｒ−Ｓｅｒ−Ａｌａ−Ｃｙｓ−Ｘａａ４−Ｘａａ３−Ｃｙｓ−Ｃｙｓ−Ｘａａ４−＃（配列番号：３３７）
【０２０６】
名称：  Ｏｍ３．２
種：  ｏｍａｒｉａ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＴＣＡＴＣＴＧＴＣＴＡＣＴＴＣＴＧＴＧＴＣＣＣＣＴＴＡＣＴＧＣＴＧＴＴＣＴＧＧＡＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＡＣＴＧＡＧＣＡＴＣＡＴＣＣＣＴＴＴＴＡＴＧＡＴＣＣＣＧＴＣＡＡＡＣＧＧＴＧＴＴＧＣＡＡＧＴＡＣＧＧＧＴＧＧＡＣＡＴＧＣＴＴＧＣＴＡＧＧＡＴＧＣＡＣＴＣＣＴＴＧＴＧＡＴＴＧＴＴＧＡＣＣＡＧＴＴＴＴＧＴＴＡＴＣＧＣＧＧＣＣＴＣＧＴＣＡＡＧＴＧＴＣＴＡＡＴＧＡＡＴＡＡＧＴＡＡＡＡＣＧＡＴＴＧＣＡＧＴ（配列番号：３３８）
翻訳：
ＭＭＳＫＬＧＶＬＬＩＩＣＬＬＬＣＰＬＴＡＶＬＥＤＧＤＱＰＡＤＲＰＡＥＲＭＱＤＤＩＳＴＥＨＨＰＦＹＤＰＶＫＲＣＣＫＹＧＷＴＣＬＬＧＣＴＰＣＤＣ（配列番号：３３９）
毒素配列：
Ｃｙｓ−Ｃｙｓ−Ｌｙｓ−Ｘａａ５−Ｇｌｙ−Ｘａａ４−Ｔｈｒ−Ｃｙｓ−Ｌｅｕ−Ｌｅｕ−Ｇｌｙ−Ｃｙｓ−Ｔｈｒ−Ｘａａ３−Ｃｙｓ−Ａｓｐ−Ｃｙｓ−＾（配列番号：３４０）
【０２０７】
名称：  Ｏｍ３．３
種：  ｏｍａｒｉａ
クローニング：  はい
ＤＮＡ配列：
ＣＡＡＧＡＧＧＧＡＴＣＧＡＴＡＧＣＡＧＴＴＣＡＴＧＡＴＧＴＣＴＡＴＡＣＴＧＧＧＡＧＴＣＴＴＧＴＴＧＡＴＣＡＴＣＴＧＴＣＴＡＣＴＴＣＴＧＴＧＴＣＣＣＣＴＴＡＣＴＧＣＴＧＴＴＣＴＧＧＡＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＧＣＡＴＴＴＣＡＴＣＴＧＡＡＣＡＴＣＡＴＣＣＣＴＴＴＴＴＧＧＡＴＣＣＣＧＴＣＡＡＡＣＧＧＴＧＴＴＧＣＣＡＴＣＴＡＴＴＧＧＣＡＴＧＣＣＧＣＴＴＴＧＧＡＴＧＣＴＣＧＣＣＴＴＧＴＴＧＴＴＧＧＴＧＡＣＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡＣＧＡＴＴＧＣＡＧＴ（配列番号：３４１）
翻訳：
ＭＭＳＩＬＧＶＬＬＩＩＣＬＬＬＣＰＬＴＡＶＬＥＤＧＤＱＰＡＤＲＰＡＥＲＭＱＤＧＩＳＳＥＨＨＰＦＬＤＰＶＫＲＣＣＨＬＬＡＣＲＦＧＣＳＰＣＣＷ（配列番号：３４２）
毒素配列：
Ｃｙｓ−Ｃｙｓ−Ｈｉｓ−Ｌｅｕ−Ｌｅｕ−Ａｌａ−Ｃｙｓ−Ａｒｇ−Ｐｈｅ−Ｇｌｙ−Ｃｙｓ−Ｓｅｒ−Ｘａａ３−Ｃｙｓ−Ｃｙｓ−Ｘａａ４−＾（配列番号：３４３）
【０２０８】
名称：  Ｏｍ３．４
種：  ｏｍａｒｉａ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＴＣＡＴＣＴＧＴＣＴＡＣＴＴＣＴＴＴＧＴＣＣＣＣＴＴＡＣＴＧＣＴＧＴＴＣＣＧＣＡＧＧＡＴＧＧＡＧＡＴＣＡＡＣＣＴＧＣＡＧＡＣＣＧＡＣＣＴＧＣＡＧＡＧＣＧＴＡＴＧＣＡＧＧＧＣＧＧＣＡＴＴＴＣＡＴＣＴＧＡＡＣＡＴＣＡＴＣＣＣＴＴＴＴＴＴＧＡＴＣＣＣＧＴＣＡＡＡＣＧＧＴＧＴＴＧＣＡＧＧＴＡＣＧＧＧＴＧＧＡＣＡＴＧＣＴＧＧＣＴＡＧＧＡＴＧＣＡＣＴＣＣＣＴＧＴＧＧＴＴＧＴＴＧＡＣＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡＣＧＡＴＴＧＣＡＧＴ（配列番号：３４４）
翻訳：
ＭＭＳＫＬＧＶＬＬＩＩＣＬＬＬＣＰＬＴＡＶＰＱＤＧＤＱＰＡＤＲＰＡＥＲＭＱＧＧＩＳＳＥＨＨＰＦＦＤＰＶＫＲＣＣＲＹＧＷＴＣＷＬＧＣＴＰＣＧＣ（配列番号：３４５）
毒素配列：
Ｃｙｓ−Ｃｙｓ−Ａｒｇ−Ｘａａ５−Ｇｌｙ−Ｘａａ４−Ｔｈｒ−Ｃｙｓ−Ｘａａ４−Ｌｅｕ−Ｇｌｙ−Ｃｙｓ−Ｔｈｒ−Ｘａａ３−Ｃｙｓ−Ｇｌｙ−Ｃｙｓ−＾（配列番号：３４６）
【０２０９】
名称：  Ｅｐ３．１
種：  ｅｐｉｓｃｏｐａｔｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＴＣＣＣＴＴＡＴＴＧＣＴＧＴＴＣＣＧＣＴＴＧＡＴＧＧＡＧＡＴＣＡＡＣＡＴＧＣＡＧＡＣＣＡＡＣＣＴＧＣＡＧＡＧＣＧＴＣＴＧＣＡＧＧＧＣＧＡＣＡＴＴＴＴＡＴＣＴＧＡＡＡＡＧＣＡＴＣＣＣＴＴＡＴＴＴＡＴＧＣＣＴＧＴＣＡＡＡＣＧＧＴＧＴＴＧＣＧＡＴＧＡＧＧＡＣＧＡＡＴＧＣＡＡＣＡＧＴＴＣＡＴＧＣＴＧＧＣＣＴＴＧＴＴＧＴＴＧＧＧＧＧＴＧＡＴＣＡＧＣＴＴＴＧＴＴＡＴＣＧＣＧＧＣＣＴＧＡＴＣＡＡＧＴＧＴＡＴＡＡＴＧＡＡＴＡＡＧＴＡＡＡＡＣＧＡＴＴＧＣＡＧＴ（配列番号：３４７）
翻訳：
ＭＭＳＫＬＧＶＬＬＴＩＣＬＬＬＦＳＬＩＡＶＰＬＤＧＤＱＨＡＤＱＰＡＥＲＬＱＧＤＩＬＳＥＫＨＰＬＦＭＰＶＫＲＣＣＤＥＤＥＣＮＳＳＣＷＰＣＣＷＧ（配列番号：３４８）
毒素配列：
Ｃｙｓ−Ｃｙｓ−Ａｓｐ−Ｘａａ１−Ａｓｐ−Ｘａａ１−Ｃｙｓ−Ａｓｎ−Ｓｅｒ−Ｓｅｒ−Ｃｙｓ−Ｘａａ４−Ｘａａ３−Ｃｙｓ−Ｃｙｓ−Ｘａａ４−＃（配列番号：３４９）
【０２１０】
名称：  Ｅｐ３．２
種：  ｅｐｉｓｃｏｐａｔｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＴＣＣＣＴＴＡＴＴＧＣＴＧＴＴＣＣＧＣＴＴＧＡＴＧＧＡＧＡＴＣＡＡＣＡＴＧＣＡＧＡＣＣＡＡＣＣＴＧＣＡＧＡＧＣＧＴＣＴＧＣＡＧＧＧＣＧＡＣＡＴＴＴＴＡＴＣＴＧＡＡＡＡＧＣＡＴＣＣＣＴＴＡＴＴＴＡＴＧＣＣＴＧＴＣＡＡＡＣＧＧＴＧＴＴＧＣＧＡＴＧＡＧＧＡＣＧＡＡＴＧＣＡＧＣＡＧＴＴＣＡＴＧＣＴＧＧＣＣＴＴＧＴＴＧＴＴＧＧＧＧＡＴＧＡＧＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡＣＧＡＴＴＧＣＡＧＴ（配列番号：３５０）
翻訳：
ＭＭＳＫＬＧＶＬＬＴＩＣＬＬＬＦＳＬＩＡＶＰＬＤＧＤＱＨＡＤＱＰＡＥＲＬＱＧＤＩＬＳＥＫＨＰＬＦＭＰＶＫＲＣＣＤＥＤＥＣＳＳＳＣＷＰＣＣＷＧ（配列番号：３５１）
毒素配列：
Ｃｙｓ−Ｃｙｓ−Ａｓｐ−Ｘａａ１−Ａｓｐ−Ｘａａ１−Ｃｙｓ−Ｓｅｒ−Ｓｅｒ−Ｓｅｒ−Ｃｙｓ−Ｘａａ４−Ｘａａ３−Ｃｙｓ−Ｃｙｓ−Ｘａａ４−＃（配列番号：３５２）
【０２１１】
名称：  Ｅｐ３．３
種：  ｅｐｉｓｃｏｐａｔｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＴＧＡＴＧＧＡＧＡＴＣＡＡＣＡＴＧＣＡＧＡＣＣＡＡＣＣＴＧＣＡＧＡＧＣＧＴＣＴＧＣＡＧＧＧＣＧＡＣＡＴＴＴＴＡＴＣＴＧＡＡＡＡＧＣＡＴＣＣＣＴＴＡＴＴＴＡＡＴＣＣＣＧＴＣＡＡＡＣＧＧＴＧＴＴＧＣＣＣＧＧＣＧＧＣＧＧＣＡＴＧＴＧＣＣＡＴＧＧＧＡＴＧＣＡＡＧＣＣＴＴＧＴＴＧＴＧＧＡＴＧＡＧＣＡＧＣＴＴＴＧＴＴＡＴＣＧＴＧＧＣＣＴＣＡＴＣＡＡＧＴＧＴＣＴＡＡＴＧＡＡＴＡＡＧＴＡＡＡＡＣＧＡＴＴＧＣＡＧＴ（配列番号：３５３）
翻訳：
ＭＭＳＫＬＧＶＬＬＴＩＣＬＬＬＦＳＬＴＡＶＰＬＤＧＤＱＨＡＤＱＰＡＥＲＬＱＧＤＩＬＳＥＫＨＰＬＦＮＰＶＫＲＣＣＰＡＡＡＣＡＭＧＣＫＰＣＣＧ（配列番号：３５４）
毒素配列：
Ｃｙｓ−Ｃｙｓ−Ｘａａ３−Ａｌａ−Ａｌａ−Ａｌａ−Ｃｙｓ−Ａｌａ−Ｍｅｔ−Ｇｌｙ−Ｃｙｓ−Ｌｙｓ−Ｘａａ３−Ｃｙｓ−Ｃｙｓ−＃（配列番号：３５５）
【０２１２】
名称：  Ａｕ３．２
種：  ａｕｌｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＴＣＣＧＴＴＡＣＴＧＣＴＣＴＴＣＣＧＣＣＧＧＡＴＧＧＡＧＡＴＣＡＡＣＣＴＧＣＡＧＡＣＣＧＡＧＣＴＧＣＡＧＡＧＣＧＴＡＧＧＣＡＧＧＴＣＧＡＧＣＡＧＣＡＴＣＣＣＧＴＧＴＴＴＧＡＴＣＡＴＧＡＡＡＧＡＧＧＧＴＧＴＴＧＣＴＣＧＣＣＡＣＣＡＴＧＣＣＡＣＡＧＴＡＴＴＴＧＣＧＣＴＧＣＴＴＴＣＴＧＴＴＧＣＧＧＧＴＧＡＴＧＡＴＡＡＣＧＴＧＴＴＧＡＴＧＡＣＣＣＡＣＴＴＴＧＴＣＡＴＣＡＣＧＧＣＴＧＣＧＴＣＡＡＧＴＧＴＣＴＡＡＴＧＡＡＴＡＡＧＴＡＡＡＡＴＧＡＴＴＧＣＡＧＴ（配列番号：３５６）
翻訳：
ＭＭＳＫＬＧＶＬＬＴＩＣＬＬＬＦＳＶＴＡＬＰＰＤＧＤＱＰＡＤＲＡＡＥＲＲＱＶＥＱＨＰＶＦＤＨＥＲＧＣＣＳＰＰＣＨＳＩＣＡＡＦＣＣＧ（配列番号：３５７）
毒素配列：
Ｇｌｙ−Ｃｙｓ−Ｃｙｓ−Ｓｅｒ−Ｘａａ３−Ｘａａ３−Ｃｙｓ−Ｈｉｓ−Ｓｅｒ−Ｉｌｅ−Ｃｙｓ−Ａｌａ−Ａｌａ−Ｐｈｅ−Ｃｙｓ−Ｃｙｓ−＃（配列番号：３５８）
【０２１３】
名称：  Ａｕ３．３
種：  ａｕｌｉｃｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＴＧＡＴＧＧＡＧＡＴＣＡＡＣＡＴＧＣＡＧＡＣＣＡＡＣＣＴＧＣＡＧＡＧＣＧＴＣＴＧＣＡＧＧＧＣＧＡＣＡＴＴＴＴＡＴＣＴＧＡＡＡＡＧＣＡＴＣＣＣＴＴＡＴＴＴＡＡＴＣＣＣＧＴＣＡＡＡＣＧＧＴＧＴＴＧＣＣＧＡＣＣＧＧＴＧＧＣＡＴＧＴＧＣＣＡＴＧＧＧＡＴＧＣＡＡＧＣＣＴＴＧＴＴＧＴＧＧＡＴＧＡＧＣＡＧＣＴＴＴＧＴＴＡＴＣＧＴＧＧＣＣＴＣＡＴＣＡＡＧＴＧＴＣＴＡＡＴＧＡＡＴＡＡＧＴＡＡＡＡＴＧＡＴＴＧＣＡＧＴ（配列番号：３５９）
翻訳：
ＭＭＳＫＬＧＶＬＬＴＩＣＬＬＬＦＳＬＴＡＶＰＬＤＧＤＱＨＡＤＱＰＡＥＲＬＱＧＤＩＬＳＥＫＨＰＬＦＮＰＶＫＲＣＣＲＰＶＡＣＡＭＧＣＫＰＣＣＧ（配列番号：３６０）
毒素配列：
Ｃｙｓ−Ｃｙｓ−Ａｒｇ−Ｘａａ３−Ｖａｌ−Ａｌａ−Ｃｙｓ−Ａｌａ−Ｍｅｔ−Ｇｌｙ−Ｃｙｓ−Ｌｙｓ−Ｘａａ３−Ｃｙｓ−Ｃｙｓ−＃（配列番号：３６１）
【０２１４】
名称：  Ａｕ３．４
種：  ａｕｌｉｃｕｓ
クローニング：  はい
ＤＮＡ配列：
ＣＡＡＧＡＧＧＧＡＴＣＧＡＴＡＧＣＡＧＴＴＣａＴＧＡＴＧＴＣＴＡＡＡＣＴＧＧＧＡＧＴＣＴＴＧＴＴＧＡＴＣＡＴＣＴＧＴＣＴＡＣＴＴＣＴＧＴＣＴＣＣＣＣＴＴＡＣＴＧＣＴＧＴＴＣＣＧＣＴＧＧＡＴＧＧＡＧＡＴＣＡＡＣＣＴＧＣＡＧＡＣＣＧＡＣＣＴＧＣＡＧＡＧＣＧＴＡＴＧＣＡＧＧＡＣＧＡＣＡＴＴＴＣＡＴＣＴＧＡＡＣＡＴＣＡＡＣＣＣＡＴＧＴＴＴＧＡＴＧＣＣＡＴＣＡＧＡＣＡＧＴＧＴＴＧＣＣＣＧＧＣＧＧＴＧＧＣＡＴＧＣＧＣＣＡＴＧＧＧＡＴＧＣＧＡＧＣＣＴＴＧＴＴＧＴＧＧＡＴＧＡＣＣＡＧＣＴＴＴＧＴＴＡＴＣＧＣＧＧＣＣＴＣＡＴＣＡＡＧＴＧＴＣＴＡＡＴＧＡＡＴＡＡＧＴＡＡＡＡＴＧＡＴＴＧＣＡＧＴ（配列番号：３６２）
翻訳：
ＭＭＳＫＬＧＶＬＬＩＩＣＬＬＬＳＰＬＴＡＶＰＬＤＧＤＱＰＡＤＲＰＡＥＲＭＱＤＤＩＳＳＥＨＱＰＭＦＤＡＩＲＱＣＣＰＡＶＡＣＡＭＧＣＥＰＣＣＧ（配列番号：３６３）
毒素配列：
Ｘａａ２−Ｃｙｓ−Ｃｙｓ−Ｘａａ３−Ａｌａ−Ｖａｌ−Ａｌａ−Ｃｙｓ−Ａｌａ−Ｍｅｔ−Ｇｌｙ−Ｃｙｓ−Ｘａａ１−Ｘａａ３−Ｃｙｓ−Ｃｙｓ−＃（配列番号：３６４）
【０２１５】
名称：  Ａｅ３．１
種：  ａｕｒｅｕｓ
クローニング：  はい
ＤＮＡ配列：
ＣＡＡＧＡＡＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＴＡＣＴＧＣＴＧＴＴＣＣＧＣＴＧＧＡＴＧＧＡＧＡＴＣＡＡＣＡＴＧＣＡＧＡＣＣＡＡＣＡＴＧＣＡＧＡＧＣＧＴＣＴＧＣＡＴＧＡＣＣＧＣＣＴＴＣＣＡＡＣＴＧＡＡＡＡＴＣＡＴＣＣＣＴＴＡＴＡＴＧＡＴＣＣＣＧＴＣＡＡＡＣＧＧＴＧＴＴＧＣＧＡＴＧＡＴＴＣＧＧＡＡＴＧＣＧＡＣＴＡＴＴＣＴＴＧＣＴＧＧＣＣＴＴＧＣＴＧＴＡＴＴＴＴＴＧＧＡＴＡＡＣＣＴＴＴＧＴＴＡＴＣＧＣＧＧＣＣＴＣＡＴＣＡＡＧＴＧＴＣＡＡＡＴＧＡＡＴＡＡＧＴＡＡＡＡＣＧＡＴＴＧＣＡＧＴ（配列番号：３６５）
翻訳：
ＭＭＳＫＬＧＡＬＬＴＩＣＬＬＬＦＳＬＴＡＶＰＬＤＧＤＱＨＡＤＱＨＡＥＲＬＨＤＲＬＰＴＥＮＨＰＬＹＤＰＶＫＲＣＣＤＤＳＥＣＤＹＳＣＷＰＣＣＩＦＧ（配列番号：３６６）
毒素配列：
Ｃｙｓ−Ｃｙｓ−Ａｓｐ−Ａｓｐ−Ｓｅｒ−Ｘａａ１−Ｃｙｓ−Ａｓｐ−Ｘａａ５−Ｓｅｒ−Ｃｙｓ−Ｘａａ４−Ｘａａ３−Ｃｙｓ−Ｃｙｓ−Ｉｌｅ−Ｐｈｅ−＃（配列番号：３６７）
【０２１６】
名称：  Ａｅ３．２
種：  ａｕｒｅｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＣＣＴＴＧＴＴＧＡＣＣＡＴＣＴＧＴＣＴＡＣＴＴＣＴＧＴＴＴＴＣＣＣＴＡＡＣＴＧＣＴＧＴＴＣＣＧＣＴＧＧＡＴＧＧＡＧＡＴＣＡＡＣＡＴＧＣＡＧＡＣＣＡＡＣＣＴＧＣＡＧＡＧＣＧＴＣＴＧＣＡＧＧＡＣＣＧＣＡＴＴＣＣＡＡＣＴＧＡＡＡＡＴＣＡＴＣＣＣＴＴＡＴＴＴＧＡＴＣＣＧＡＡＣＡＡＡＣＧＧＴＧＴＴＧＣＡＡＴＧＡＴＴＧＧＧＡＡＴＧＣＧＡＣＧＡＴＴＣＡＴＧＣＴＧＧＣＣＴＴＧＣＴＧＴＴＡＴＧＧＡＴＡＡＣＣＴＴＴＧＴＴＡＴＣＧＣＧＧＣＣＴＣＡＴＣＡＡＧＴＧＴＣＡＡＡＴＧＡＡＴＡＡＧＴＡＡＡＡＣＧＡＴＴＧＣＡＧＴ（配列番号：３６８）
翻訳：
ＭＭＳＫＬＧＡＬＬＴＩＣＬＬＬＦＳＬＴＡＶＰＬＤＧＤＱＨＡＤＱＰＡＥＲＬＱＤＲＩＰＴＥＮＨＰＬＦＤＰＮＫＲＣＣＮＤＷＥＣＤＤＳＣＷＰＣＣＹＧ（配列番号：３６９）
毒素配列：
Ｃｙｓ−Ｃｙｓ−Ａｓｎ−Ａｓｐ−Ｘａａ４−Ｘａａ１−Ｃｙｓ−Ａｓｐ−Ａｓｐ−Ｓｅｒ−Ｃｙｓ−Ｘａａ４−Ｘａａ３−Ｃｙｓ−Ｃｙｓ−Ｘａａ５−＃（配列番号：３７０）
【０２１７】
名称：  Ｃｎ３．１
種：  ｃｏｎｓｏｒｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＴＴＧＣＴＴＣＴＧＴＴＴＣＣＣＣＴＴＡＣＴＧＣＴＣＴＴＣＣＡＡＴＧＧＡＴＧＧＡＧＡＴＣＡＡＴＣＴＧＴＡＧＡＣＣＧＡＣＣＴＧＣＡＧＡＧＣＧＴＡＴＧＣＡＧＧＡＣＧＡＣＡＴＴＴＣＡＴＣＴＧＡＧＣＴＧＣＡＴＣＣＣＴＴＧＴＴＣＡＡＴＣＡＧＡＡＡＡＧＡＡＴＧＴＧＴＴＧＣＧＧＣＧＡＡＧＧＴＧＣＧＣＣＡＴＧＣＣＣＣＡＧＣＴＡＴＴＴＣＡＧＡＡＡＣＡＧＴＣＡＧＡＴＴＴＧＴＣＡＴＴＧＴＴＧＴＴＡＡＡＴＧＡＣＡＡＣＧＴＧＴＣＧＡＴＧＡＣＣＡＡＣＴＴＣＧＴＴＡＴＣＡＣＧＡＣＴＡＡＴＧＡＡＴＡＡＧＴＡＡＡＡＴＧＡＴＴＧＣＡＧＴ（配列番号：３７１）
翻訳：
ＭＭＳＫＬＧＶＬＬＴＩＣＬＬＬＦＰＬＴＡＬＰＭＤＧＤＱＳＶＤＲＰＡＥＲＭＱＤＤＩＳＳＥＬＨＰＬＦＮＱＫＲＭＣＣＧＥＧＡＰＣＰＳＹＦＲＮＳＱＩＣＨＣＣ（配列番号：３７２）
毒素配列：
Ｍｅｔ−Ｃｙｓ−Ｃｙｓ−Ｇｌｙ−Ｘａａ１−Ｇｌｙ−Ａｌａ−Ｘａａ３−Ｃｙｓ−Ｘａａ３−Ｓｅｒ−Ｘａａ５−Ｐｈｅ−Ａｒｇ−Ａｓｎ−Ｓｅｒ−Ｇｌｎ−Ｉｌｅ−Ｃｙｓ−Ｈｉｓ−Ｃｙｓ−Ｃｙｓ−＾（配列番号：３７３）
【０２１８】
名称：  Ｃｎ３．３
種：  ｃｏｎｓｏｒｓ
クローニング：  はい
ＤＮＡ配列：
ＴＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＣＡＴＣＴＧＴＣＴＧＣＴＴＣＴＧＴＴＴＣＣＣＣＴＴＡＴＴＧＣＴＣＴＴＣＣＡＡＴＧＧＡＴＧＧＡＧＡＴＣＡＡＣＣＴＧＣＡＧＡＣＣＧＡＣＣＴＧＣＡＧＡＧＣＧＴＡＴＧＣＡｇＧＡＣＧＡＣＡＴＴＴＣＡＴＣＴＣＡＧＣＡＧＣＡＴＣＣＣＴＴＧＴＴＴＧＡＴＡＡＧＡＧＡＧＧＣＣＧＣＴＧＴＴＧＣＧＡＴＧＴＧＣＣＧＡＡＣＧＣＡＴＧＣＴＣＣＧＧＣＡＧＡＴＧＧＴＧＣＡＧＡＧＡＴＣＡＣＧＣＡＣＡＡＴＧＴＴＧＣＧＧＡＴＧＡＣＧＡＴＡＡＣＧＴＧＴＴＧＡＴＧＡＣＣＡＡＣＴＴＴＧＴＧＡＴＣＡＣＧＧＣＴＡＣＡＴＣＡＡＧＴＧＡＡＴＡＡＧＴＡＡＡＡＣＧＡＴＴＧＣＡＧＴ（配列番号：３７４）
翻訳：
ＭＭＳＫＬＧＶＬＬＴＩＣＬＬＬＦＰＬＩＡＬＰＭＤＧＤＱＰＡＤＲＰＡＥＲＭＱＤＤＩＳＳＱＱＨＰＬＦＤＫＲＧＲＣＣＤＶＰＮＡＣＳＧＲＷＣＲＤＨＡＱＣＣＧ（配列番号：３７５）
毒素配列：
Ｇｌｙ−Ａｒｇ−Ｃｙｓ−Ｃｙｓ−Ａｓｐ−Ｖａｌ−Ｘａａ３−Ａｓｎ−Ａｌａ−Ｃｙｓ−Ｓｅｒ−Ｇｌｙ−Ａｒｇ−Ｘａａ４−Ｃｙｓ−Ａｒｇ−Ａｓｐ−Ｈｉｓ−Ａｌａ−Ｇｌｎ−Ｃｙｓ−Ｃｙｓ−＃（配列番号：３７６）
【０２１９】
名称：  Ｃｎ３．４
種：  ｃｏｎｓｏｒｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＴＴＧＡＣＴＧＴＣＴＧＴＴＴＧＣＴＴＣＴＧＴＴＴＣＣＣＣＴＴＡＣＴＧＣＴＣＴＴＣＣＧＡＴＧＧＡＴＧＧＡＧＡＴＣＡＡＣＣＴＧＣＡＧＡＣＣＡＡＣＣＴＧＣＡＧＡＧＣＧＴＡＴＧＣＡＧＧＡＣＧＡＣＡＴＴＴＣＡＴＣＴＧＡＧＣＡＧＣＡＴＣＣＣＴＴＧＴＴＴＧＡＴＡＡＧＡＧＡＣＡＡＡＧＧＴＧＴＴＧＣＡＣＴＧＧＧＡＡＧＡＡＧＧＧＧＴＣＡＴＧＣＴＣＣＧＧＴＡＡＡＧＣＡＴＧＣＡＡＡＡＧＴＣＴＣＡＡＡＴＧＴＴＧＣＴＣＴＧＧＡＣＧＡＴＡＡＣＧＴＧＴＴＧＡＴＧＡＣＣＡＡＣＴＴＴＧＴＴＡＴＣＡＣＧＧＣＴＡＣＧＴＣＡＡＧＴＧＴＣＴＡＧＴＧＡＡＴＡＡＧＴＡＡＡＡＣＧＡＴＴＧＣＡＧＴ（配列番号：３７７）
翻訳：
ＭＭＳＫＬＧＶＬＬＴＶＣＬＬＬＦＰＬＴＡＬＰＭＤＧＤＱＰＡＤＱＰＡＥＲＭＱＤＤＩＳＳＥＱＨＰＬＦＤＫＲＱＲＣＣＴＧＫＫＧＳＣＳＧＫＡＣＫＳＬＫＣＣＳＧＲ（配列番号：３７８）
毒素配列：
Ｘａａ２−Ａｒｇ−Ｃｙｓ−Ｃｙｓ−Ｔｈｒ−Ｇｌｙ−Ｌｙｓ−Ｌｙｓ−Ｇｌｙ−Ｓｅｒ−Ｃｙｓ−Ｓｅｒ−Ｇｌｙ−Ｌｙｓ−Ａｌａ−Ｃｙｓ−Ｌｙｓ−Ｓｅｒ−Ｌｅｕ−Ｌｙｓ−Ｃｙｓ−Ｃｙｓ−Ｓｅｒ−＃（配列番号：３７９）
【０２２０】
名称：  Ｅｍ３．１
種：  ｅｍａｃｉａｔｕｓ
クローニング：  はい
ＤＮＡ配列：
ＣＡＡＧＡＧＧＧＡＴＣＧＡＴＡＧＣＡＧＴＴＣＡＴＧＡＴＧＴＣＴＡＡＡＣＴＧＧＧＡＧＴＣＴＴＧＣＴＧＡＣＣＡＴＣＴＧＴＣＴＧＣＴＴＣＴＧＴＴＴＣＣＣＣＴＴＡＣＴＧＴＴＣＴＴＣＣＧＡＴＧＧＡＴＧＧＡＧＡＴＣＡＡＣＣＴＧＣＡＧＡＣＣＴＡＣＣＴＧＣＡＴＴＧＣＧＴＧＣＧＣＡＧＴＴＣＴＴＴＧＣＡＣＣＴＧＡＡＣＡＴＡＧＴＣＣＣＣＧＧＴＴＴＧＡＣＣＣＣＧＴＣＡＡＡＣＧＧＴＧＣＴＧＣＴＣＧＣＧＧＧＡＴＴＧＣＡＧＴＧＴＴＴＧＣＡＴＣＣＣＴＴＧＴＴＧＣＣＣＧＴＡＴＧＧＡＴＣＡＣＣＴＴＧＡＴＴＡＴＴＧＣＧＧＣＣＡＣＧＴＣＡＡＧＴＧＴＣＴＡＡＴＧＡＡＴＡＡＧＴＡＡＡＡＴＧＡＴＴＧＣＡＧＴ（配列番号：３８０）
翻訳：
ＭＭＳＫＬＧＶＬＬＴＩＣＬＬＬＦＰＬＴＶＬＰＭＤＧＤＱＰＡＤＬＰＡＬＲＡＱＦＦＡＰＥＨＳＰＲＦＤＰＶＫＲＣＣＳＲＤＣＳＶＣＩＰＣＣＰＹＧＳＰ（配列番号：３８１）
毒素配列：
Ｃｙｓ−Ｃｙｓ−Ｓｅｒ−Ａｒｇ−Ａｓｐ−Ｃｙｓ−Ｓｅｒ−Ｖａｌ−Ｃｙｓ−Ｉｌｅ−Ｘａａ３−Ｃｙｓ−Ｃｙｓ−Ｘａａ３−Ｘａａ５−Ｇｌｙ−Ｓｅｒ−Ｘａａ３−＾（配列番号：３８２）
−−−−−−−−−−−−−−−−−−−−−−−−−−−−−−−−−
【０２２１】
Ｘａａ１は、Ｇｌｕまたはγ−カルボキシ−Ｇｌｕ
Ｘａａ２は、Ｇｌｎまたはピロ−Ｇｌｕ
Ｘａａ３は、Ｐｒｏまたはヒドロキシ−Ｐｒｏ
Ｘａａ４は、Ｔｒｐまたはブロモ−Ｔｒｐ
Ｘａａ５は、Ｔｙｒ、１２５Ｉ−Ｔｙｒ、モノ−ヨード−Ｔｙｒ、ジ−ヨード−Ｔｙｒ、Ｏ−スルホ−ＴｙｒまたはＯ−ホスホ−Ｔｙｒ
＾は、遊離カルボキシルＣ末端またはアミド化Ｃ末端、好ましくは、遊離カルボキシル、
＃は、遊離カルボキシルＣ末端またはアミド化Ｃ末端、好ましくは、アミド化であり、
？＝Ｃ末端の状態は不明である。
【０２２２】
【表１】
2004537253.tif 000002
【表２】
2004537253.tif 000003
【表３】
2004537253.tif 000004
【表４】
2004537253.tif 000005
【０２２３】
実施例３
μ−コノペプチドの髄腔内投与の効果
雄性Ｃ５７黒色マウス（２０〜２５ｇ）をＣｈａｒｌｅｓ Ｒｉｖｅｒ Ｌａｂｏｒａｔｏｒｉｅｓから入手する。これらのマウスおよび動物を、食餌および水を自由に摂取できる１２時間の明暗サイクルの温度制御された部屋（２３°±３℃）に収容する。全動物を実験動物の人道的配慮に関するＰｕｂｌｉｃ Ｈｅａｌｔｈ Ｓｅｒｖｉｃｅ政策に従い安楽死させる。
【０２２４】
髄腔内（ｉｔ）薬物注射を記載（ＨｙｌｄｅｎおよびＷｉｌｃｏｘ， １９８０）のごとく行う。μ−コノペプチドまたはビヒクルを５μｌの容量にて投与する。後肢麻痺の期間を評価する。本実験は、Ｃ５７黒色マウスの髄腔内へのμ−コノペプチドの注射が動物の麻痺を生成することを明らかとする。本実験における動物は十分に回復させた。
【０２２５】
実施例４
局所麻酔剤としてのμ−コノペプチドの効果
雄性Ｈａｒｔｌｙモルモット（老齢飼育）をＣｈａｒｌｅｓ Ｒｉｖｅｒ Ｌａｂｏｒａｔｏｒｉｅｓから入手する。局所麻酔試験は、本質的に記載（ＢｕｌｂｒｉｎｇおよびＷａｊｄａ， １９４５）のごとく行う。試験日の前日に、モルモットの背部の一区画を、まず、電気バリカンで、引続いて除毛クリーム（ＮａｉｒＲ）で除毛する。除毛クリームを５分間適用し、それを温かい洗面タオルで除去する。モルモットを乾かし、それらのケージに戻す。翌日、リドカイン、ブピバカイン、μ−コノペプチドまたはビヒクル（０．５％シクロデキストラン）の皮内注射（０．１ｍｌ容量）を裸とされた区画に成す。注射により皮膚表面上に隆起した膨疹を生成し、それをフェルトペンで丸く囲む。典型的には、４回の注射を各モルモットの背部に成す。いくらかの場合に、モルモットを少なくとも１週間の回復に続いて再使用し、皮膚の未使用部分に注射する。刺激は、２６Ｇ針での（皮膚を破壊するのに十分には硬くない）穏やかなピン刺しよりなる。応答は、皮筋の収縮により引き起こされた局所的な皮膚痙攣である。単位試験は、注射領域内の別々の３〜５秒の６回の均一のピン刺しよりなる。単位スコアは、０（完全な麻酔）から６（麻酔なし）までの範囲である。効力実験では、単位試験は、３０分間に５分間隔にて各部位にて反復され、単位試験スコアを合計する（麻酔なしを表す３６から完全な麻酔を表す０まで）。期間実験では、単位試験は、数時間ないし数日の経過にわたり記載されるごとく行う。
【０２２６】
本発明のμ−コノペプチドは、モルモットにおける皮内膨疹試験における強力でかつ長時間作用型の局所麻酔効果を生成する。期待されたごとく、ブピバカインは、臨床的観察と一致して、僅かにリドカインより長期間を有する。
【０２２７】
実施例５
麻酔されたサルにおけるμ−コノペプチドの筋肉弛緩効果
μ−コノペプチドを２ｍｇ／ｍｌの濃度にて０．９パーセントセーラインに溶解する。アカゲザルをハロタン、亜酸化窒素および酸素で麻酔する。ハロタンの維持濃度は、１．０％である。動脈および静脈カテーテルを薬物投与および動脈圧の記録のために大腿血管に入れる。制御された換気は気管内チューブを介して達成される。前脛骨筋の痙攣および強直性収縮は、坐骨神経を介して間接的に得られる。動脈圧  心電図（第１誘導）、心拍数および筋肉機能の記録は同時に成す。４ないし６匹の動物がリストされた各化合物を受けた。４匹のさらなる動物は、塩化サクシニルコリンまたは塩化ｄ−ツボクラリンを対照として受ける。試験されたμ−コノペプチドが、一般的に、塩化サクシニルコリンまたは塩化ｄ−ツボクラリンにつき見られるものと同様またはより良好な結果を供することを見る。
【０２２８】
実施例６
疼痛モデルにおけるμ−コノペプチドのｉｎ ｖｉｖｏ活性
μ−コノペプチドの抗疼痛活性をいくつかの動物モデルで示す。これらのモデルには、神経損傷モデル（Ｃｈａｐｌａｎら、１９９７）、ラットにおけるホルマリンｓ．ｃ．注射に対する侵害受容性応答（Ｃｏｄｅｎｅ、１９９３）およびＮＭＤＡ誘発持続性疼痛モデル（Ｌｉｕら、１９９７）が含まれる。これらの各モデルにおいて、μ−コノペプチドおよびμ−コノペプチド誘導体が鎮痛特性を有することを見る。
【０２２９】
より詳細には、本試験は、侵害受容性および神経障害性の疼痛のマウスモデルにおいて、μ−コノペプチドの髄腔内投与の効果を評価する。侵害受容性疼痛では、μ−コノペプチドの効果は、炎症性の痛みの２つの異なる試験において試験する。第１のものは、相対的に短期的だか、容易に定量化される信頼性のある痛み行動を生じるために理想的な、ホルマリン試験である。痛み行動には２つの相が存在し、その第２のものは、後肢のホルマリン誘発炎症から大きく誘因されると推測される。μ−コノペプチドは、ホルマリン注射に先立つ１０分前に投与される。注射によって生じたひるみ回数および／またはなめ期間をモニターする。第１の相は一次影響の直接的な活性化のためであり、かくして、脊髄の長時間の変化にほとんど依存しなく、μ−コノペプチドは第２の相における疼痛行動の大きさに対して最大効果を有すると推測される。
【０２３０】
また、後肢に完全フロインドアジュバンドの注射を受けた動物における機械的および熱的な閾値を試験する。これは、後肢の腫脹を含めた局所炎症、および機械的および熱的な閾値における激しい減少を生じ、それは注射後２４時間以内に検出される。μ−コノペプチドを受けたラットにおける閾値の変化は、ビヒクルの髄腔内注射を受けたラットのものと比較される。
【０２３１】
重要な課題は、疼痛モデルが確立された後に投与される場合に薬物が効果的であるかどうか、または前処置として用いられるだけならばそれらが効果的であるかどうかである。明らかに、臨床的要求は、痛みが発生した後に効果的である薬物についてである。この問題を扱うために、炎症（ＣＦＡ）または神経損傷が確立された後に、動物が試験され、ここに、μ−コノペプチドが反復して投与される。これらの実験において、μ−コノペプチドは、髄腔内（ｉ．ｔ．）経路により毎日注射される。機械的および熱的閾値（各々、自由に運動する動物におけるホン・フレイ・ヘアー（ｖｏｎ Ｆｒｅｙ ｈａｉｒ）で、また自由に運動する動物におけるハーグレイブ（Ｈａｒｇｒａｖｅ’ｓ）試験で測定）を、損傷が誘導された後、２ないし４週間反復し、測定された疼痛変化を経時的にモニターする。
【０２３２】
実施例７
疼痛モデルにおけるμ−コノペプチドの効果
また、μ−コノペプチドの鎮痛活性を以下の疼痛モデルにて試験する：
【０２３３】
持続性疼痛（ホルマリン試験）。髄腔内（ｉｔ）薬物注射をＨｙｌｄｅｎおよびＷｉｌｃｏｘ（１９８０）によって記載されたごとく行う。μ−コノペプチドまたはビヒクルを５μｌの容量で投与する。ｉ．ｔ．注射１５分後に、右後肢に２０μｌの５％ホルマリンを注射する。動物は、観察を促すために鏡が背後にある透明なプレキシガラスの筒に入れる。動物を５分間当り２分間詳しく観察し、動物が注射された肢をなめるのに費やした時間量を合計４５〜５０分間このように記録する。結果を５分当りの秒で表すなめ時間として表す。その実験の終わりにて、全動物を加速回転棒に配置し、最初の落下までの潜伏時間を記録する。μ−コノペプチドは、神経障害性疼痛を治療するための効力を予測する本モデルにおいて活性であると見出される。
【０２３４】
急性疼痛（テイル−フリック法（ｔａｉｌ−ｆｌｉｃｋ））。μ−コノペプチドまたはセーラインを５μｌの一定容量にてＨｙｌｄｅｎおよびＷｉｌｃｏｘ（１９８０）の方法により髄腔内（ｉ．ｔ．）投与する。マウスを尾を曝露してタオルで穏やかに包む。ｉ．ｔ．注射後の種々の時点にて、尾を５４℃に維持した水浴中に浸け、積極的な尾の引込め時間を記録する。８秒まで引込めなければ、組織損傷を避けるために尾を取り出す。
【０２３５】
神経障害性疼痛。部分的坐骨神経結紮を用いて、神経障害性疼痛におけるμ−コノペプチドの効力を評価する。神経損傷はＭａｌｍｂｅｒｇおよびＢａｓｂａｕｍ（１９９８）の方法により生成する。動物をケタミン／キシラジン溶液で麻酔し、坐骨神経を曝露し、神経の１／３ないし１／２の周囲の８−０絹縫合糸でしっかりと結紮する。偽手術のマウスにおいては、神経を曝露したが結紮はしない。動物は、試験実施前少なくとも１週間回復させる。試験日に、マウスを金網フレーム上のプレキシガラスの筒に入れ、少なくとも６０分間馴化させる。機械的異痛をＣｈａｐｌａｎら（１９９４）に記載されるアップ−ダウン法を用いて較正されたフォン・フレイ・フィラメント（ｖｏｎ Ｆｒｅｙ ｆｉｌａｍｅｎｔ）で評価し、５０％引込め閾値を計算する。その一連のフィラメントのいずれにも応答しない動物を最大値３．６グラムで示し、それは、典型的には、屈曲なくして後肢を持ち上げたフィラメントであり、動物体重のほぼ１／１０に一致する。
【０２３６】
得られたデータは、μ−コノペプチドが、痛みの３種の共通して用いたモデル：急性、持続性／炎症および神経障害性疼痛モデルにおいて強力な鎮痛特性を有することを示す。
【０２３７】
ニューロンナトリウムチャネルに対するμ−コノペプチドＳ３．２の活性
μ−コノペプチドＳ３．２を以下のとおりナトリウムチャネルに関する活性につき試験した。Ｓ３．２を脳室内（ＩＣＶ）注射によってマウスに投与した。このようなＳ３．２の投与により、マウスは、立ち直り反射の急速な喪失、昏睡−様無活動および痙攣性非制御肢運動を含めた全てのナトリウムチャネルブロッカーの特徴である活性スペクトルを示した。マウスへの髄腔内（ｉｔ）投与後、Ｓ３．２は、急速な後肢麻痺を引き起こし、それは、１０〜２０分間の経過にわたり全身を含めて広がり、続いて、おそらく呼吸麻痺のために死亡する。しかしながら、古典的なμ−コノペプチドとは異なり、Ｓ３．２は、マウスへの静脈内投与（ｉｖ）後有意な活性は有しない。ＧＩＩＩＡおよびＰＩＩＩＡのごとき古典的μ−コノペプチドは、ｉｖ投与後、急速な麻痺および死を引き起こし、骨格筋ナトリウムチャネルにてそれらの活性を示す。Ｓ３．２の選択性を確認するために、８０ｎｍｏｌをラットにｉｖ投与した。Ｓ３．２の効果は、骨格筋収縮、血圧および心拍数に対して測定した。Ｓ３．２は、これらのいずれのパラメーターに対しても効果を有しないことが判明した。対照は、また、８０ｎｍｏｌにてｉｖ投与された本明細書に記載されたＳｍ３．１、Ｓｍ３．３およびＢｕ３．１を含めた古典的μ−コノペプチドを用いて行った。これらの対照ペプチドは、骨格筋収縮における劇的な減少、ならびに全身血圧におけるかなりの低下を引き起こした。かくして、μ−コノペプチドＳ３．２は、驚くべきことに、ニューロンナトリウムチャネルにつき選択性である。Ｓ３．２配列およびこれらの他のペプチドの配列間の最も明確な差は、荷電アミノ酸を欠如する短い第１ループ（システイン残基間の第１ループ）である。
【０２３８】
本発明の方法および組成物は、様々な具体例の形態において組込むことができ、そのいくつかだけを本明細書に開示すると認められるであろう。他の具体例が存在し、それは本発明の精神から逸脱しないことは当業者には明らかであろう。かくして、記載された具体例は例示であり、制限として構成されるべきものではない。
【０２３９】
参考文献リスト
Ａｂｉｋｏ， Ｈ．ら（１９８６）．  Ｂｒａｉｎ Ｒｅｓ． ３８：３２８−３３５．
Ａｌｄｒｅｔｅ， Ｊ．Ａ．ら（１９７９）．  Ｃｒｉｔ． Ｃａｒｅ Ｍｅｄ． ７：４６６−４７０．
Ｂａｒｎａｙ， Ｇ．ら（２０００）．  Ｊ． Ｍｅｄ． Ｃｈｅｍ．
Ｂｉｔａｎ， Ｇ．ら（１９９７）．  Ｊ． Ｐｅｐｔｉｄｅ Ｒｅｓ． ４９：４２１−４２６．
Ｂｏｄａｎｓｋｙら（１９６６）． Ｃｈｅｍ． Ｉｎｄ． ３８：１５９７−９８．
【０２４０】
Ｂｕｌｂｒｉｎｇ， Ｗ．およびＷａｊｄａ， Ｊ．（１９４５）．  Ｊ． Ｐｈａｒｍａｃｏｌ． Ｅｘｐ． Ｔｈｅｒ． ８５：７８−８４．
Ｃａｒｔｉｅｒ， Ｇ．Ｅ．ら（１９９６）．  Ｊ． Ｂｉｏｌ． Ｃｈｅｍ． ２７１：７５２２−７５２８．
Ｃｈａｎｄｌｅｒ， Ｐ．ら（１９９３）．  Ｊ． Ｂｉｏｌ． Ｃｈｅｍ． ２６８：１７１７３−１７１７８．
Ｃｈａｐｌａｎ Ｓ．Ｒ．（１９９４）．  Ｊ Ｎｅｕｒｏｓｃｉｅｎｃｅ Ｍｅｔｈｏｄｓ ５３：５５−６３．
Ｃｈａｐｌａｎ Ｓ．Ｒ．（１９９７）．  Ｊ Ｐｈａｒｍａｃｏｌ． Ｅｘｐ． Ｔｈｅｒ． ２８０：８２９−８３８．
【０２４１】
Ｃｌａｒｋ， Ｃ．ら（１９８１）．  Ｔｏｘｉｃｏｎ １９：６９１−６９９．
Ｃｏｄｅｒｅ， Ｔ．Ｊ．（１９９３）．  Ｅｕｒ． Ｊ． Ｎｅｕｒｏｓｃｉ． ５：３９０−３９３．
Ｃｒａｉｋ， Ｄ．Ｊ．ら（１９９１）．  Ｔｏｘｉｃｏｎ ３９：４３−６０．
Ｃｒｕｚ， Ｌ．Ｊ． ａｔ ａｌ．（１９７６）．  Ｖｅｒｌｉｇｅｒ １８：３０２−３０８．
Ｅｔｔｉｎｇｅｒ， Ｌ．Ｊ．ら（１９７８）．  Ｃａｎｃｅｒ ４１：１２７０−１２７３．
【０２４２】
ＧｏｏｄｍａｎおよびＧｉｌｍａｎ’ｓ Ｔｈｅ Ｐｈａｒｍａｃｏｌｏｇｉｃａｌ Ｂａｓｉｓ ｏｆ Ｔｈｅｒａｐｅｕｔｉｃｓ，第７版， Ｇｉｌｍａｎ， Ａ．Ｇ．ら編， Ｍａｃｍｉｌｌａｎ Ｐｕｂｌｉｓｈｉｎｇ Ｃｏ．， Ｎｅｗ Ｙｏｒｋ（１９８５）．
Ｈａｍｍｅｒｌａｎｄら（１９９２）．  Ｅｕｒ． Ｊ． Ｐｈａｒｍａｃｏｌ． ２２６：２３９−２４４．
Ｈｅａｄｉｎｇ， Ｃ．（１９９９）．  Ｃｕｒｒ． Ｏｐｉｎ． ＣＰＮＳ Ｉｎｖｅｓｔ． Ｄｒｕｇｓ １：１５３−１６６
Ｈｏｒｉｋｉ， Ｋ．ら（１９７８）． Ｃｈｅｍｉｓｔｒｙ Ｌｅｔｔｅｒｓ １６５−６８．
【０２４３】
Ｈｕｂｒｙ， Ｖ．ら（１９９４）．  Ｒｅａｃｔｉｖｅ Ｐｏｌｙｍｅｒｓ ２２：２３１−２４１．
Ｈｙｌｄｅｎ， Ｊ．Ｌ．Ｋ．ａｎｄ Ｗｉｌｃｏｘ， Ｇ．（１９８０）．  Ｅｕｒ． Ｊ． Ｐｈａｒｍａｃｏｌ． ６７：３１３−３１６．
Ｋａｉｓｅｒら（１９７０）．  Ａｎａｌ． Ｂｉｏｃｈｅｍ． ３４：５９５．
Ｋａｐｏｏｒ（１９７０）．  Ｊ． Ｐｈａｒｍ． Ｓｃｉ． ５９：１−２７．
Ｋｏｒｎｒｅｉｃｈ， Ｗ．Ｄ．ら（１９８６）．  米国特許第４，５６９，９６７号．
【０２４４】
Ｌｕｅｒ， Ｍ．Ｓ． ＆ Ｈａｔｔｏｎ， Ｊ．（１９９３）．  Ａｎｎａｌｓ Ｐｈａｒｍｃｏｔｈｅｒａｐｙ ２７：９１２−９２１．
Ｌｉｕ， Ｈ．ら（１９９７）．  Ｎａｔｕｒｅ ３８６：７２１−７２４．
Ｍａｌｍｂｅｒｇ， Ａ．Ｂ．およびＢａｓｂａｕｍ， Ａ．Ｉ．（１９９８）．  Ｐａｉｎ ７６：２１５−２２２．
Ｍａｒｔｉｎｅｚ， Ｊ．Ｓ．ら（１９９５）．  Ｂｉｏｃｈｅｍ． ３４：１４５１９−１４５２６．
ＭｃＩｎｔｏｓｈ， Ｊ． Ｍ．ら（１９９８）．  Ｍｅｔｈｏｄｓ Ｅｎｚｙｍｏｌ． ２９４：６０５−６２４．
【０２４５】
Ｔｈｅ Ｍｅｒｃｋ Ｍａｎｕａｌ ｏｆ Ｄｉａｇｎｏｓｉｓ ａｎｄ Ｔｈｅｒａｐｙ， 第１６版， Ｂｅｒｋｏｗ， Ｒ．ら編，Ｍｅｒｃｋ Ｒｅｓｅａｒｃｈ Ｌａｂｏｒａｔｏｒｉｅｓ， Ｒａｈｗａｙ， Ｎ．Ｊ．， ｐｐ． １４３６−１４４５（１９９２）．
Ｍｅｔｈｏｄｅｎ ｄｅｒ Ｏｒｇａｎｉｓｃｈｅｎ Ｃｈｅｍｉｅ（Ｈｏｕｂｅｎ−Ｗｅｙｌ）： Ｓｙｎｔｈｅｓｅ ｖｏｎ Ｐｅｐｔｉｄｅｎ， Ｅ． Ｗｕｎｓｃｈ（編）， Ｇｅｏｒｇ Ｔｈｉｅｍｅ Ｖｅｒｌａｇ， Ｓｔｕｔｔｇａｒｔ， Ｇｅｒ．（１９７４）．
【０２４６】
Ｎｅｈｌｉｇ， Ａ．ら（１９９０）．  Ｅｆｆｅｃｔｓ ｏｆ ｐｈｅｎｏｂａｒｂｉｔａｌ ｉｎ ｔｈｅ ｄｅｖｅｌｏｐｉｎｇ ｒａｔ ｂｒａｉｎ．Ｉｎ Ｎｅｏｎａｔａｌ Ｓｅｉｚｕｒｅｓ， Ｗａｓｔｅｒｌａｉｎ， Ｃ．Ｇ．およびＶｅｒｔｔ， Ｐ．（編）， Ｒａｖｅｎ Ｐｒｅｓｓ，Ｎｅｗ Ｙｏｒｋ， ｐｐ． ２８５−１９４．
Ｎｉｓｈｉｕｃｈｉ， Ｙ．ら（１９９３）．  Ｉｎｔ． Ｊ． Ｐｅｐｔ． Ｐｒｏｔｅｉｎ Ｒｅｓ． ４２：５３３−５３８．
Ｏｌｉｖｅｒａ， Ｂ．Ｍ．ら（１９８４）． 米国特許第４，４４７，３５６号．
Ｏｌｉｖｅｒａ， Ｂ．Ｍ．ら（１９８５）．  Ｓｃｉｅｎｃｅ ２３０：１３３８−１３４３．
【０２４７】
Ｏｌｉｖｅｒａ， Ｂ．Ｍ．ら（１９９０）．  Ｓｃｉｅｎｃｅ ２４９：２５７−２６３．
Ｏｌｉｖｅｒａ， Ｂ．Ｍ．ら（１９９６）． 米国特許第５，５１４，７７４号．
Ｏｒｎｓｔｅｉｎ，ら（１９９３）．  Ｂｉｏｒｇａｎｉｃ Ｍｅｄｉｃｉｎａｌ Ｃｈｅｍｉｓｔｒｙ Ｌｅｔｔｅｒｓ ３：４３−４８．
Ｒｅｍｉｎｇｔｏｎ’ｓ Ｐｈａｒｍａｃｅｕｔｉｃａｌ Ｓｃｉｅｎｃｅｓ， 第１８版（１９９０， Ｍａｃｋ Ｐｕｂｌｉｓｈｉｎｇ Ｃｏ．，   Ｅａｓｔｏｎ， ＰＡ）．
【０２４８】
Ｒｉｖｉｅｒ， Ｊ．Ｒ．ら（１９７８）． Ｂｉｏｐｏｌｙｍｅｒｓ １７：１９２７−３８．
Ｒｉｖｉｅｒ， Ｊ．Ｒ．ら（１９８７）．  Ｂｉｏｃｈｅｍ． ２６：８５０８−８５１２．
Ｓａｍｂｒｏｏｋ， Ｊ．ら（１９８９）． Ｍｏｌｅｃｕｌａｒ Ｃｌｏｎｉｎｇ： Ａ Ｌａｂｏｒａｔｏｒｙ Ｍａｎｕａｌ， 第２版， Ｃｏｌｄ Ｓｐｒｉｎｇ Ｈａｒｂｏｒ Ｌａｂｏｒａｔｏｒｙ， Ｃｏｌｄ Ｓｐｒｉｎｇ Ｈａｒｂｏｒ， ＮＹ．
Ｓｈｏｎ， Ｋ．−Ｊ．ら（１９９４）．  Ｂｉｏｃｈｅｍｉｓｔｒｙ ３３：１１４２０−１１４２５．
【０２４９】
ＳｔｅｗａｒｔおよびＹｏｕｎｇ， Ｓｏｌｉｄ−Ｐｈａｓｅ Ｐｅｐｔｉｄｅ Ｓｙｎｔｈｅｓｉｓ， Ｆｒｅｅｍａｎ ＆ Ｃｏ．， Ｓａｎ Ｆｒａｎｃｉｓｃｏ， ＣＡ（１９６９）．
Ｖａｌｅら（１９７８）． 米国特許第４，１０５，６０３号．
Ｔｒｏｕｐｉｎ， Ａ．Ｓ．ら（１９８６）．  ＭＫ−８０１．  Ｉｎ Ｎｅｗ Ａｎｔｉｃｏｎｖｕｌｓａｎｔ Ｄｒｕｇｓ， Ｃｕｒｒｅｎｔ Ｐｒｏｂｌｅｍｓ ｉｎ Ｅｐｉｌｅｐｓｙ ４， Ｍｅｌｄｒｕｍ， Ｂ．Ｓ．およびＰｏｒｔｅｒ， Ｒ．Ｊ．（編）， Ｊｏｈｎ Ｌｉｂｂｅｙ， Ｌｏｎｄｏｎ， ｐｐ． １９１−２０２．
【０２５０】
Ｖａｎ ｄｅ Ｓｔｅｅｎ， Ｐ．ら（１９９８）． Ｃｒｉｔｉｃａｌ Ｒｅｖ． ｉｎ Ｂｉｏｃｈｅｍ． ａｎｄ Ｍｏｌ． Ｂｉｏｌ． ３３：１５１−２０８．
Ｗｈｉｔｅ， Ｈ．Ｓ．，ら（１９９２）．  Ｅｐｉｌｅｐｓｙ Ｒｅｓ． １２：２１７−２２６．
Ｗｈｉｔｅ， Ｈ．Ｓ．，ら（１９９５）． Ｅｘｐｅｒｉｍｅｎｔａｌ Ｓｅｌｅｃｔｉｏｎ， Ｑｕａｎｔｉｆｉｃａｔｉｏｎ， ａｎｄ Ｅｖａｌｕａｔｉｏｎ ｏｆ Ａｎｔｉｅｐｉｌｅｐｔｉｃ Ｄｒｕｇｓ．  Ｉｎ Ａｎｔｉｅｐｉｌｅｐｔｉｃ Ｄｒｕｇｓ， 第４版， Ｌｅｖｙ， Ｒ．Ｈ．編， Ｒａｖｅｎ Ｐｒｅｓｓ， Ｎ．Ｙ．， ｐｐ． ９９−１１０．
【０２５１】
Ｗｏｎｇ， Ｅ．Ｈ．Ｐ．ら（１９８６）．  Ｐｒｏｃ． Ｎａｔｌ． Ａｃａｄ． Ｓｃｉ． ＵＳＡ ８３：７１０４−７１０８．
Ｚｈｏｕ Ｌ．Ｍ．，ら（１９９６）．  Ｊ． Ｎｅｕｒｏｃｈｅｍ． ６６：６２０−６２８．
Ｚｉｍｍ， Ｓ．ら（１９８４）．  Ｃａｎｃｅｒ Ｒｅｓ． ４４：１６９８−１７０１．
【０２５２】
米国特許第３，８４２，０６７号．
米国特許第３，８６２，９２５号．
米国特許第３，９７２，８５９号．
米国特許第５，５１４，７７４号．
【０２５３】
米国特許第５，５５０，０５０号．
米国特許第５，６７０，６２２号．
米国特許第５，７１９，２６４号．
米国特許第５，８４４，０７７号（１９９８）．
【０２５４】
ＰＣＴ公開出願ＷＯ ９２／１９１９５．
ＰＣＴ公開出願ＷＯ ９４／２５５０３．
ＰＣＴ公開出願ＷＯ ９５／０１２０３．
ＰＣＴ公開出願ＷＯ ９５／０５４５２．
ＰＣＴ公開出願ＷＯ ９６／０２２８６．
【０２５５】
ＰＣＴ公開出願ＷＯ ９６／０２６４６．
ＰＣＴ公開出願ＷＯ ９６／４０８７１．
ＰＣＴ公開出願ＷＯ ９６／４０９５９．
ＰＣＴ公開出願ＷＯ ９７／１２６３５．
ＰＣＴ公開出願ＷＯ ９８／０３１８９．
ＰＣＴ公開出願ＷＯ ００／２３０９２．
【国際公開パンフレット】
2004537253.tif 000006
2004537253.tif 000007
2004537253.tif 000008
2004537253.tif 000009
2004537253.tif 000010
2004537253.tif 000011
2004537253.tif 000012
2004537253.tif 000013
2004537253.tif 000014
2004537253.tif 000015
2004537253.tif 000016
2004537253.tif 000017
2004537253.tif 000018
2004537253.tif 000019
2004537253.tif 000020
2004537253.tif 000021
2004537253.tif 000022
2004537253.tif 000023
2004537253.tif 000024
2004537253.tif 000025
2004537253.tif 000026
2004537253.tif 000027
2004537253.tif 000028
2004537253.tif 000029
2004537253.tif 000030
2004537253.tif 000031
2004537253.tif 000032
2004537253.tif 000033
2004537253.tif 000034
2004537253.tif 000035
2004537253.tif 000036
2004537253.tif 000037
2004537253.tif 000038
2004537253.tif 000039
2004537253.tif 000040
2004537253.tif 000041
2004537253.tif 000042
2004537253.tif 000043
2004537253.tif 000044
2004537253.tif 000045
2004537253.tif 000046
2004537253.tif 000047
2004537253.tif 000048
2004537253.tif 000049
2004537253.tif 000050
2004537253.tif 000051
2004537253.tif 000052
2004537253.tif 000053
2004537253.tif 000054
2004537253.tif 000055
2004537253.tif 000056
2004537253.tif 000057
2004537253.tif 000058
2004537253.tif 000059
2004537253.tif 000060
2004537253.tif 000061
2004537253.tif 000062
2004537253.tif 000063
2004537253.tif 000064
2004537253.tif 000065
2004537253.tif 000066
2004537253.tif 000067
2004537253.tif 000068
2004537253.tif 000069
2004537253.tif 000070
2004537253.tif 000071
2004537253.tif 000072
2004537253.tif 000073
2004537253.tif 000074
2004537253.tif 000075
2004537253.tif 000076
2004537253.tif 000077
2004537253.tif 000078
2004537253.tif 000079
2004537253.tif 000080
2004537253.tif 000081
2004537253.tif 000082
2004537253.tif 000083
2004537253.tif 000084
2004537253.tif 000085
2004537253.tif 000086
2004537253.tif 000087
2004537253.tif 000088
2004537253.tif 000089
2004537253.tif 000090
2004537253.tif 000091
2004537253.tif 000092
2004537253.tif 000093
2004537253.tif 000094
2004537253.tif 000095
2004537253.tif 000096
2004537253.tif 000097
2004537253.tif 000098
2004537253.tif 000099
2004537253.tif 000100
2004537253.tif 000101
2004537253.tif 000102
2004537253.tif 000103
2004537253.tif 000104
2004537253.tif 000105
2004537253.tif 000106
2004537253.tif 000107
2004537253.tif 000108
2004537253.tif 000109
2004537253.tif 000110
2004537253.tif 000111
2004537253.tif 000112
2004537253.tif 000113
2004537253.tif 000114
2004537253.tif 000115
2004537253.tif 000116
2004537253.tif 000117
2004537253.tif 000118
2004537253.tif 000119
2004537253.tif 000120
2004537253.tif 000121
2004537253.tif 000122
2004537253.tif 000123
2004537253.tif 000124
2004537253.tif 000125
2004537253.tif 000126
2004537253.tif 000127
2004537253.tif 000128
2004537253.tif 000129
2004537253.tif 000130
2004537253.tif 000131
2004537253.tif 000132
2004537253.tif 000133
2004537253.tif 000134
2004537253.tif 000135
2004537253.tif 000136
2004537253.tif 000137
2004537253.tif 000138
2004537253.tif 000139
2004537253.tif 000140
2004537253.tif 000141
2004537253.tif 000142
2004537253.tif 000143
2004537253.tif 000144
2004537253.tif 000145
2004537253.tif 000146
2004537253.tif 000147
2004537253.tif 000148
2004537253.tif 000149
2004537253.tif 000150
2004537253.tif 000151
2004537253.tif 000152
2004537253.tif 000153
2004537253.tif 000154
2004537253.tif 000155
2004537253.tif 000156
2004537253.tif 000157
2004537253.tif 000158
2004537253.tif 000159
2004537253.tif 000160
2004537253.tif 000161
2004537253.tif 000162
2004537253.tif 000163
2004537253.tif 000164
2004537253.tif 000165
2004537253.tif 000166
2004537253.tif 000167
2004537253.tif 000168
2004537253.tif 000169
2004537253.tif 000170
2004537253.tif 000171
2004537253.tif 000172
2004537253.tif 000173
2004537253.tif 000174
2004537253.tif 000175
2004537253.tif 000176
2004537253.tif 000177
2004537253.tif 000178
2004537253.tif 000179
2004537253.tif 000180
2004537253.tif 000181
2004537253.tif 000182
2004537253.tif 000183
2004537253.tif 000184
2004537253.tif 000185
2004537253.tif 000186
2004537253.tif 000187
2004537253.tif 000188
2004537253.tif 000189
2004537253.tif 000190
2004537253.tif 000191
2004537253.tif 000192
2004537253.tif 000193
2004537253.tif 000194
2004537253.tif 000195
2004537253.tif 000196
2004537253.tif 000197
2004537253.tif 000198
2004537253.tif 000199
2004537253.tif 000200
2004537253.tif 000201
2004537253.tif 000202
2004537253.tif 000203
2004537253.tif 000204
2004537253.tif 000205
2004537253.tif 000206
2004537253.tif 000207
2004537253.tif 000208
2004537253.tif 000209
2004537253.tif 000210
2004537253.tif 000211
2004537253.tif 000212
2004537253.tif 000213
2004537253.tif 000214
2004537253.tif 000215
2004537253.tif 000216
2004537253.tif 000217
2004537253.tif 000218
2004537253.tif 000219
2004537253.tif 000220
2004537253.tif 000221
2004537253.tif 000222
2004537253.tif 000223
2004537253.tif 000224
2004537253.tif 000225
2004537253.tif 000226
2004537253.tif 000227
2004537253.tif 000228
2004537253.tif 000229
2004537253.tif 000230
2004537253.tif 000231
2004537253.tif 000232
2004537253.tif 000233
2004537253.tif 000234
2004537253.tif 000235
2004537253.tif 000236
【国際公開パンフレット（コレクトバージョン）】
2004537253.tif 000237
【国際調査報告】
2004537253.tif 000238
2004537253.tif 000239
2004537253.tif 000240